(57)【要約】  本発明の実施形態は、通信分野に関連し、同期情報を送信する方法および装置を提供することにより、超高信頼性および低遅延の通信のシナリオにおいて、デバイス間の比較的高精度の同期を保証し、さらに、デバイス間の通信の効率を改善する。方法は、第１ユーザ機器ＵＥによって、第１同期情報を決定する段階であって、第１同期情報は、同期元として使用される第１ＵＥの優先度を示すために使用される、段階と、第１ＵＥによって第１同期情報を送信することにより、第２ＵＥが、受信された第１同期情報に従って、第２ＵＥの同期元を選択する段階とを備える。
2018537026.tif 000002
【特許請求の範囲】
【請求項１】
同期情報送信方法であって、
第１ユーザ機器ＵＥが第１同期情報を決定する段階であって、前記第１同期情報は、同期元として使用される前記第１ＵＥの優先度を示すために使用される、段階と、
前記第１ＵＥが前記第１同期情報を送信することにより、第２ＵＥが、受信された前記第１同期情報に従って前記第２ＵＥの同期元を選択する段階と、
を備える方法。
【請求項２】
前記第１ＵＥが第１同期情報を決定する前に、前記方法は、前記第１ＵＥが第１構成情報を基地局から、または予め定められた方式で取得する段階であって、前記第１構成情報は、前記第１ＵＥおよび前記第１ＵＥの同期元に使用される周波数情報および／またはタイミング情報を含み、前記第１ＵＥの前記同期元のタイミングは衛星デバイスに由来する、段階をさらに備える、請求項１に記載の方法。
【請求項３】
前記第１同期情報は、第１リンクの周波数が第２リンクの周波数かどうかを示す情報、および／または、前記第２リンクについてのタイミングが前記衛星デバイスに由来するかどうかを示す情報、および／または、前記第２リンクについての前記タイミングが前記衛星デバイスのタイミングに揃えられているかどうかを示す情報を含み、前記第２リンクは、前記第１ＵＥと前記基地局との間のリンクであり、前記第１リンクは、前記第１ＵＥと前記第２ＵＥとの間のリンクである、請求項１または２に記載の方法。
【請求項４】
前記第１ＵＥが第１同期情報を決定する前記段階の前に、前記方法はさらに、前記第１ＵＥが基地局から、または、予め定められた方式で第２構成情報を取得する段階であって、前記第２構成情報は、前記第１ＵＥが所在するセルのカバレッジエリア情報を含み、前記第１ＵＥの同期元のタイミングは、前記衛星デバイスとは無関係である、段階を備える、請求項１に記載の方法。
【請求項５】
前記第１同期情報は、前記第１ＵＥのサービングセルの伝送電力を示す情報、および／または、前記第１ＵＥの前記サービングセルのカバレッジ半径を示す情報、および／または、前記第２リンクにおける前記第１ＵＥと前記サービングセルとの間のタイミングアドバンスＴＡ値を示す情報を含む、請求項１または４に記載の方法。
【請求項６】
前記第１ＵＥが第１同期情報を決定する前記段階は、前記第１ＵＥが基地局から、または、予め定められた方式で前記第１同期情報を取得する段階であって、前記第１同期情報は、第１サイドリンク同期信号ＳＬＳＳを含む、段階を含み、
前記第１ＵＥが前記第１同期情報を送信する前記段階は、前記第１ＵＥと前記第２ＵＥとの間のタイミング遅延が予め設定されたトリガ条件を満たす場合に前記第１ＵＥが前記第１同期情報を送信する段階を含む、
請求項１に記載の方法。
【請求項７】
前記第１ＵＥが第１セルに所在し、前記第２ＵＥが前記第１セルに隣接する第２セルに所在する場合、前記予め設定されたトリガ条件は、
前記第１セルのタイミングと前記第２セルのタイミングとの間の差が第１の予め設定された値より高いこと、
前記第１セルのタイミングと前記第２セルのタイミングが非同期状態であること、
前記第１セルのカバレッジ半径と前記第２セルのカバレッジ半径との間の差が第２の予め設定された値より高いこと、または、
前記第１セルの伝送電力と前記第２セルの伝送電力との間の差が第３の予め設定された値より高いこと
のうちの少なくとも１つを含む、請求項６に記載の方法。
【請求項８】
前記第１ＵＥおよび前記第２ＵＥの両方が第１セルに所在する場合、前記予め設定されたトリガ条件は、前記第２リンクにおける前記第１ＵＥのＴＡ値が第４の予め設定された値より高いことである、請求項６に記載の方法。
【請求項９】
前記第１同期情報は第１リンク物理制御チャネルおよび／または前記ＳＬＳＳにおいて搬送される、請求項１から８のいずれか一項に記載の方法。
【請求項１０】
第１ＵＥが第１同期情報を決定する前記段階は、
前記第１ＵＥが、前記第２ＵＥによって送信された同期信号を受信する段階と、
前記第２ＵＥが遠端ＵＥであることを前記同期信号が示し、かつ、前記同期信号の信号品質が予め設定された閾値より高い場合、前記第１ＵＥが前記第１同期情報を決定する段階と
を含む、請求項１から９のいずれか一項に記載の方法。
【請求項１１】
前記第１同期情報は、
前記第１同期情報が、前記第１ＵＥのタイミングが前記衛星デバイスと同一であることを示し、かつ、前記第１同期情報は、前記第１ＵＥがネットワークの中にあることを示すシーケンスを含むことであって、前記第１ＵＥが前記ネットワークの中に由来し、かつ、前記第１ＵＥの前記タイミングが前記衛星デバイスと同期状態であることを意味する、こと、
前記第１同期情報が、前記第１ＵＥのタイミングが前記衛星デバイスと同一であることを示し、かつ、前記第１同期情報は、前記第１ＵＥがネットワークの外にあることを示すシーケンスを含むことであって、前記第１ＵＥが前記ネットワークの外に由来し、かつ、前記第１ＵＥの前記タイミングが前記衛星デバイスと同一であることを意味する、こと、
前記第１同期情報が、前記第１ＵＥのタイミングが前記衛星デバイスと異なることを示し、かつ、前記第１同期情報は、前記第１ＵＥがネットワークの中にあることを示すシーケンスを含むことであって、前記第１ＵＥが前記ネットワークの中に由来し、かつ、前記第１ＵＥのタイミングが前記衛星デバイスと異なることを意味する、こと、または、
前記第１同期情報が、前記第１ＵＥの前記タイミングが前記衛星デバイスと異なることを示し、かつ、前記第１同期情報が、前記第１ＵＥがネットワークの外にあることを示すシーケンスを含むことであって、前記第１ＵＥが前記ネットワークの外にあり、かつ、自身のタイミングを使用することを意味する、こと
のうちのいずれか１つを含む、請求項１から９のいずれか一項に記載の方法。
【請求項１２】
同期情報送信方法であって、
第１ユーザ機器ＵＥが第１同期情報を決定する段階と、
前記第１ＵＥが、第１リンクにおいて、前記第１同期情報を送信する段階であって、前記第１同期情報は、第２同期情報と異なり、前記第１リンクは、前記第１ＵＥと第２ＵＥとの間のリンクである、段階と
を備える方法。
【請求項１３】
前記第１同期情報が第２同期情報と異なることは、具体的には、
前記第１同期情報における同期信号の、同期サブフレームにおけるシンボル位置が、前記第２同期情報における同期信号の、同期サブフレームにおけるシンボル位置と異なること、
前記第１同期情報における同期信号の、同期サブフレームにおけるシンボル数が、前記第２同期情報における同期信号の、同期サブフレームにおけるシンボル数と異なること、
前記第１同期情報における同期信号に使用されるシーケンスが、前記第２同期情報における同期信号に使用されるシーケンスと異なること、
前記第１同期情報における同期信号に使用されるシーケンスの周波数領域マッピング方式が、前記第２同期情報における同期信号に使用されるシーケンスの周波数領域マッピング方式と異なること、または、
前記第１同期情報を搬送する制御チャネルが、前記第２同期情報を搬送する制御チャネルと異なること
のうちの少なくとも１つを含む、請求項１２に記載の方法。
【請求項１４】
前記第１同期情報における同期信号に使用されるシーケンスが、前記第２同期情報における同期信号に使用されるシーケンスと異なることは、
前記第１同期情報における前記同期信号に使用される第１同期シーケンスが、前記第２同期情報における前記同期信号に使用される第１同期シーケンスと異なること、
前記第１同期情報における前記同期信号に使用される第２同期シーケンスが、前記第２同期情報における前記同期信号に使用される第２同期シーケンスと異なること、または、
前記第１同期情報における前記同期信号に使用される第１同期シーケンスおよび第２同期シーケンスの組み合わせ方式が、前記第２同期情報における前記同期信号に使用される第１同期シーケンスおよび第２同期シーケンスの組み合わせ方式と異なること、
のうちの少なくとも１つを含む、
請求項１３に記載の方法。
【請求項１５】
前記第１同期情報における同期信号に使用されるシーケンスの周波数領域マッピング方式が、前記第２同期情報における同期信号に使用されるシーケンスの周波数領域マッピング方式と異なることは、
第２リンクにおけるサブフレーム５におけるダウンリンク二次同期シーケンスが第２同期シーケンスとして使用されることであって、前記第２リンクは、前記第１ＵＥと基地局との間のリンクである、こと、および／または、
前記第２同期シーケンスによって占有される偶数の副搬送波および奇数の副搬送波はそれぞれ、前記第２リンクにおけるサブフレーム０または前記サブフレーム５における、二次同期シーケンスの奇数の副搬送波および偶数の副搬送波に対応するシーケンスに対応すること、
を含む、請求項１３に記載の方法。
【請求項１６】
前記第１同期情報を搬送する制御チャネルが、前記第２同期情報を搬送する制御チャネルと異なることは、具体的には、
前記第１同期情報を搬送する前記制御チャネルに使用される復調参照信号が、前記第２同期情報を搬送する前記制御チャネルに使用される復調参照信号と異なること、
前記第１同期情報を搬送する前記制御チャネルに使用される巡回冗長検査ＣＲＣマスクが、前記第２同期情報を搬送する前記制御チャネルに使用されるＣＲＣマスクと異なること、
前記第１同期情報を搬送する前記制御チャネルのパケットサイズが、前記第２同期情報を搬送する前記制御チャネルのパケットサイズと異なること、または、
前記第１同期情報を搬送する前記制御チャネルに使用される、スクランブルシーケンスの初期値、または、初期値の計算パラメータが、前記第２同期情報を搬送する前記制御チャネルに使用される、スクランブルシーケンスの初期値、または、初期値の計算パラメータと異なること
のうちの少なくとも１つを含む、請求項１３に記載の方法。
【請求項１７】
前記第１同期情報を搬送する前記制御チャネルに使用される復調参照信号が、前記第２同期情報を搬送する前記制御チャネルに使用される復調参照信号と異なることは、
前記第１同期情報を搬送する前記制御チャネルに使用される前記復調参照信号のシーケンスが、前記第２同期情報を搬送する前記制御チャネルに使用される前記復調参照信号のシーケンスと異なること、
前記第１同期情報を搬送する前記制御チャネルに使用される前記復調参照信号のシンボル位置が、前記第２同期情報を搬送する前記制御チャネルに使用される前記復調参照信号のシンボル位置と異なること、または、
前記第１同期情報を搬送する前記制御チャネルに使用される前記復調参照信号によって占有されるシンボル数が、前記第２同期情報を搬送する前記制御チャネルに使用される前記復調参照信号によって占有されるシンボル数と異なること
のうちの少なくとも１つを含む、請求項１６に記載の方法。
【請求項１８】
通常サイクリックプリフィクスＣＰの場合、前記第１同期情報を搬送する前記制御チャネルは、前記同期サブフレームにおける、第１タイムスロットのシンボル３および６、ならびに、第２タイムスロットのシンボル０および３を占有し、または、前記第１同期情報を搬送する前記制御チャネルは、前記同期サブフレームにおける、第１タイムスロットのシンボル３および５、ならびに、第２タイムスロットのシンボル１および３を占有し、
拡張ＣＰの場合、前記第１同期情報を搬送する前記制御チャネルは、前記同期サブフレームにおける、第１タイムスロットのシンボル２および５、ならびに、第２タイムスロットのシンボル２を占有し、または、前記第１同期情報を搬送する前記制御チャネルは、前記同期サブフレームにおける、第１タイムスロットのシンボル２および４、ならびに、第２タイムスロットのシンボル０および２を占有する、
請求項１７に記載の方法。
【請求項１９】
前記第１ＵＥが第１リンクにおいて前記第１同期情報を送信する前記段階は、前記第１ＵＥが、同期サイクルにおいて、Ｎ個の同期サブフレームを使用することによって、前記第１同期情報を送信する段階であって、Ｎは２より小さくない正の整数である、段階を含む、請求項１３から１８のいずれか一項に記載の方法。
【請求項２０】
前記Ｎ個の同期サブフレームは、前記同期サイクルにおけるＮ個の隣接サブフレームであるか、または、前記Ｎ個の同期サブフレームの間の時間間隔は、前記同期サイクルの１／Ｎである、請求項１９に記載の方法。
【請求項２１】
前記第１同期情報を搬送する前記制御チャネルは、少なくともＭ個の部分を含み、前記Ｍ個の部分はそれぞれ、前記Ｎ個の同期サブフレームにマッピングされ、または、
前記第１同期情報を搬送する前記制御チャネルは、前記同期サイクルにおいてＭ回伝送され、Ｍは２より小さくない正の整数である、
請求項１９に記載の方法。
【請求項２２】
前記Ｎ個の同期サブフレームが第１同期サブフレームおよび第２同期サブフレームを含む場合、
前記第１同期サブフレームにおける第１同期シーケンスは、前記第２同期サブフレームにおける第１同期シーケンスと異なり、および／または、
前記第１同期サブフレームにおける第２同期シーケンスは、前記第２同期サブフレームにおける第２同期シーケンスと異なる、
請求項１９から２１のいずれか一項に記載の方法。
【請求項２３】
前記Ｎ個の同期サブフレームが１組の同期リソースである場合、少なくとも２組の同期リソースが前記同期サイクルに含まれ、
前記第１ＵＥが第１リンクにおいて前記第１同期情報を送信する前記段階は、
前記第１ＵＥが、前記少なくとも２組の同期リソースのうちの１つを使用することによって、前記第１同期情報を送信する段階と、
前記第１ＵＥが、前記少なくとも２組の同期リソースにおける別の組の同期リソースを使用することによって、別のＵＥによって送信された第３同期情報を受信する段階と
を含む、請求項１９から２１のいずれか一項に記載の方法。
【請求項２４】
同期情報送信方法であって、
第２ユーザ機器ＵＥが第１同期情報を取得する段階であって、前記第１同期情報は、同期元として使用される第１ＵＥの優先度を示すために使用される、段階と、
前記第２ＵＥが、前記第１同期情報に従って、前記第１ＵＥを前記第２ＵＥの同期元として使用するかどうかを決定する段階と
を備える方法。
【請求項２５】
前記第１同期情報は、
第１リンクの周波数が第２リンクの周波数かどうかを示す情報、および／または、
前記第２リンクについてのタイミングが衛星デバイスに由来するかどうかを示す情報、および／または、
前記第２リンクについての前記タイミングが前記衛星デバイスのタイミングに揃えられているかどうかを示す情報であって、前記第２リンクは、前記第１ＵＥと基地局との間のリンクであり、前記第１リンクは、前記第１ＵＥと前記第２ＵＥとの間のリンクである、情報
を含み、
前記第２ＵＥが、前記第１同期情報に従って、前記第１ＵＥを前記第２ＵＥの同期元として使用するかどうかを決定する前記段階は、
前記第１リンクの前記周波数が前記第２リンクの前記周波数である場合、前記第２ＵＥが前記第１ＵＥを前記第２ＵＥの前記同期元として使用する段階、または、
前記第２リンクについての前記タイミングが前記衛星デバイスに由来する場合、前記第２ＵＥが前記第１ＵＥを前記第２ＵＥの前記同期元として使用する段階、または、
前記第１リンクの前記周波数が前記第２リンクの前記周波数であり、前記第２リンクについての前記タイミングが前記衛星デバイスに由来する場合、前記第２ＵＥが前記第１ＵＥを前記第２ＵＥの前記同期元として使用する段階
を含む、
請求項２４に記載の方法。
【請求項２６】
前記第１同期情報は、
前記第１ＵＥが所在するセルの伝送電力を示す情報、および／または、
前記第１ＵＥが所在する前記セルのカバレッジ半径を示す情報、および／または、
前記第２リンクにおける前記第１ＵＥのタイミングアドバンスＴＡ値を示す情報
を含み、
前記第２ＵＥが前記第１同期情報に従って、前記第１ＵＥを前記第２ＵＥの同期元として使用するかどうか決定する前記段階は、
前記第１ＵＥが所在する前記セルの前記伝送電力が第１閾値より低い場合、前記第２ＵＥが、前記第１ＵＥを前記第２ＵＥの前記同期元として使用する段階、および／または、
前記第１ＵＥが所在する前記セルの前記カバレッジ半径が第２閾値より低い場合、前記第２ＵＥが前記第１ＵＥを前記第２ＵＥの前記同期元として使用する段階、および／または、
前記第２リンクにおける前記第１ＵＥの前記ＴＡ値が第３閾値より低い場合、前記第２ＵＥが前記第１ＵＥを前記第２ＵＥの前記同期元として使用する段階
を含む、請求項２４に記載の方法。
【請求項２７】
前記第１同期情報は、異なる種類の同期元の優先度情報、および、異なる種類の同期元の同期信号品質閾値を含む、請求項２４に記載の方法。
【請求項２８】
前記第２ＵＥが前記第１同期情報に従って、前記第１ＵＥを前記第２ＵＥの同期元として使用するかどうかを決定する段階は、前記第２ＵＥが、最高優先度を有する同期元を選択する段階であって、前記最高優先度を有する前記同期元の信号品質が、前記最高優先度を有する前記同期元に対応する信号品質閾値より低いとき、前記最高優先度を有する前記同期元より低い優先度を有する同期元を前記第２ＵＥの前記同期元として選択する段階を含む、請求項２４または２７に記載の方法。
【請求項２９】
前記第１同期情報は、前記第１ＵＥのタイミングソース情報、および、前記第１ＵＥのネットワークカバレッジ情報を含み、
前記第２ＵＥが前記第１同期情報に従って、前記第１ＵＥを前記第２ＵＥの同期元として使用するかどうかを決定する前記段階は、前記第１ＵＥの前記タイミングソース情報が、前記第１ＵＥのタイミングが衛星デバイスに由来することを示し、かつ、前記第１ＵＥの前記ネットワークカバレッジ情報が、前記第１ＵＥがネットワークカバレッジエリア外にあることを示す場合、前記第２ＵＥが、前記第１ＵＥを前記第２ＵＥの前記同期元として使用する段階を含む、請求項２４に記載の方法。
【請求項３０】
同期情報送信装置であって、
第１同期情報を決定するように構成されている決定ユニットであって、前記第１同期情報は、同期元として使用される前記第１ＵＥの優先度を示すために使用される、決定ユニットと、
前記第１同期情報を送信するように構成されている送信ユニットであって、第２ＵＥに、受信された前記第１同期情報に従って、前記第２ＵＥの同期元を選択させる、送信ユニットと、
を備える装置。
【請求項３１】
前記装置は、基地局から、または、予め定められた方式で、第１構成情報を取得するように構成されている取得ユニットであって、前記第１構成情報は、前記第１ＵＥおよび前記第１ＵＥの同期元に使用される周波数情報および／またはタイミング情報を含み、前記第１ＵＥの前記同期元のタイミングは衛星デバイスに由来する、取得ユニットをさらに備え、
前記第１同期情報は、第１リンクの周波数が第２リンクの周波数であるかどうかを示す情報、および／または、前記第２リンクについてのタイミングが前記衛星デバイスに由来するかどうかを示す情報、および／または、前記第２リンクについての前記タイミングが前記衛星デバイスのタイミングに揃えられているかどうかを示す情報を含み、前記第２リンクは、前記第１ＵＥと前記基地局との間のリンクであり、前記第１リンクは、前記第１ＵＥと前記第２ＵＥとの間のリンクである、
請求項３０に記載の装置。
【請求項３２】
前記装置は、基地局から、または、予め定められた方式で、第２構成情報を取得するように構成されている取得ユニットであって、前記第２構成情報は、前記第１ＵＥが所在するセルのカバレッジエリア情報を含み、前記第１ＵＥの同期元のタイミングは、前記衛星デバイスと無関係である、取得ユニットをさらに備え、
前記第１同期情報は、前記第１ＵＥの前記サービングセルの伝送電力を示す情報、および／または、前記第１ＵＥの前記サービングセルのカバレッジ半径を示す情報、および／または、前記第２リンクにおける前記第１ＵＥと前記サービングセルとの間のタイミングアドバンスＴＡ値を示す情報を含む、
請求項３０に記載の装置。
【請求項３３】
前記決定ユニットは、具体的には、基地局から、または、予め定められた方式で、前記第１同期情報を取得するように構成され、前記第１同期情報は第１サイドリンク同期信号ＳＬＳＳを含み、
前記送信ユニットは、具体的には、前記第１ＵＥと前記第２ＵＥとの間のタイミング遅延が予め設定されたトリガ条件を満たす場合、前記第１ＵＥによって、前記第１同期情報を送信するように構成され、
前記第１ＵＥが第１セルに所在し、かつ、前記第２ＵＥが、前記第１セルに隣接する第２セルに所在する場合、予め設定されたトリガ条件は、前記第１セルのタイミングと前記第２セルのタイミングとの間の差が、第１の予め設定された値より高いこと、前記第１セルのタイミングおよび前記第２セルのタイミングが非同期状態であること、前記第１セルのカバレッジ半径と前記第２セルのカバレッジ半径との間の差が、第２の予め設定された値より高いこと、または、前記第１セルの伝送電力と前記第２セルの伝送電力との間の差が、第３の予め設定された値より高いことのうちの少なくとも１つを含み、または、
前記第１ＵＥおよび前記第２ＵＥの両方が第１セルに所在する場合、前記予め設定されたトリガ条件は、前記第２リンクにおける前記第１ＵＥのＴＡ値が、第４の予め設定された値より高いことである、
請求項３０に記載の装置。
【請求項３４】
前記決定ユニットは、具体的には、前記第２ＵＥによって送信された同期信号を受信し、前記同期信号が、前記第２ＵＥが遠端ＵＥであることを示し、かつ、前記同期信号の信号品質が予め設定された閾値より高い場合、前記第１同期情報を決定するように構成されている、請求項３０から３３のいずれか一項に記載の装置。
【請求項３５】
同期情報送信装置であって、
第１同期情報を決定するように構成されている取得ユニットと、
第１リンクにおいて、前記第１同期情報を送信するように構成されている送信ユニットであって、前記第１同期情報は第２同期情報と異なり、前記第１リンクは、前記第１ＵＥと第２ＵＥとの間のリンクである、送信ユニットと
を備え、
前記第１同期情報が第２同期情報と異なることは、具体的には、
前記第１同期情報における同期信号の、同期サブフレームにおけるシンボル位置が、前記第２同期情報における同期信号の、同期サブフレームにおけるシンボル位置と異なること、
前記第１同期情報における同期信号の、同期サブフレームにおけるシンボル数が、前記第２同期情報における同期信号の、同期サブフレームにおけるシンボル数と異なること、
前記第１同期情報における同期信号に使用されるシーケンスが、前記第２同期情報における同期信号に使用されるシーケンスと異なること、
前記第１同期情報における同期信号に使用されるシーケンスの周波数領域マッピング方式が、前記第２同期情報における同期信号に使用されるシーケンスの周波数領域マッピング方式と異なること、
または、前記第１同期情報を搬送する制御チャネルが、前記第２同期情報を搬送する制御チャネルと異なること
のうちの少なくとも１つを含む、装置。
【請求項３６】
前記送信ユニットは、具体的には、Ｎ個の同期サブフレームを使用することによって、同期サイクルにおいて、前記第１同期情報を送信するように構成され、Ｎは２より小さくない正の整数である、請求項３５に記載の装置。
【請求項３７】
前記Ｎ個の同期サブフレームが１組の同期リソースである場合、少なくとも２組の同期リソースは、前記同期サイクルに含まれ、
前記送信ユニットは、具体的には、前記少なくとも２組の同期リソースのうちの１つを使用することによって、前記第１同期情報を送信し、および、前記少なくとも２組の同期リソースにおける別の組の同期リソースを使用することによって、別のＵＥによって送信された第３同期情報を受信するように構成されている、
請求項３６に記載の装置。
【請求項３８】
同期情報送信装置であって、
第１同期情報を取得するように構成されている取得ユニットであって、前記第１同期情報は、同期元として使用される第１ＵＥの優先度を示すために使用される、取得ユニットと、
前記第１同期情報に従って、前記第１ＵＥを前記第２ＵＥの同期元として使用するかどうかを決定するように構成されている決定ユニットと
を備える装置。
【請求項３９】
前記決定ユニットは、具体的には、前記第１リンクの周波数が前記第２リンクの周波数である場合、前記第２ＵＥによって、前記第１ＵＥを前記第２ＵＥの前記同期元として使用し、または、前記第２リンクについてのタイミングが衛星デバイスに由来する場合、前記第２ＵＥによって、前記第１ＵＥを前記第２ＵＥの前記同期元として使用し、または、前記第１リンクの周波数が前記第２リンクの周波数であり、かつ、前記第２リンクのタイミングが衛星デバイスに由来する場合、前記第２ＵＥによって、前記第１ＵＥを第２ＵＥの前記同期元として使用するように構成され、
前記第１同期情報は、前記第１リンクの前記周波数が前記第２リンクの前記周波数であるかどうかを示す情報、および／または、前記第２リンクについての前記タイミングが衛星デバイスに由来するかどうかを示す情報、および／または、前記第２リンクについての前記タイミングが、前記衛星デバイスのタイミングに揃えられているかどうかを示す情報を含み、前記第２リンクは、前記第１ＵＥと基地局との間のリンクであり、前記第１リンクは、前記第１ＵＥと前記第２ＵＥとの間のリンクである、
請求項３８に記載の装置。
【請求項４０】
前記決定ユニットは、具体的には、前記第１ＵＥが所在するセルの伝送電力が第１閾値より低い場合、前記第２ＵＥによって、前記第１ＵＥを前記第２ＵＥの前記同期元として使用し、および／または、前記第１ＵＥが所在する前記セルのカバレッジ半径が第２閾値より低い場合、前記第２ＵＥによって、前記第１ＵＥを前記第２ＵＥの前記同期元として使用し、および／または、前記第２リンクにおける前記第１ＵＥのＴＡ値が第３閾値より低い場合、前記第２ＵＥによって、前記第１ＵＥを前記第２ＵＥの前記同期元として使用するように構成され、
前記第１同期情報は、前記第１ＵＥが所在する前記セルの前記伝送電力を示す情報、および／または、前記第１ＵＥが所在する前記セルの前記カバレッジ半径を示す情報、および／または、前記第２リンクにおける前記第１ＵＥの前記タイミングアドバンスＴＡ値を示す情報を含む、
請求項３８に記載の装置。
【請求項４１】
前記決定ユニットは、具体的には、最高優先度を有する同期元を選択するように構成され、前記最高優先度を有する前記同期元の信号品質が、前記最高優先度を有する前記同期元に対応する信号品質閾値より低いとき、前記最高優先度を有する前記同期元より低い優先度を有する同期元を前記第２ＵＥの前記同期元として選択し、
前記第１同期情報は、異なる種類の同期元の優先度情報、および／または、異なる種類の同期元の同期信号品質閾値を含む、
請求項３８に記載の装置。
【請求項４２】
前記決定ユニットは、具体的には、前記第１ＵＥのタイミングソース情報が、前記第１ＵＥのタイミングが衛星デバイスに由来することを示し、かつ、前記第１ＵＥのネットワークカバレッジ情報が、前記第１ＵＥがネットワークカバレッジエリア外にあることを示す場合、前記第２ＵＥによって、前記第１ＵＥを前記第２ＵＥの前記同期元として使用するように構成され、前記第１同期情報は、前記第１ＵＥの前記タイミングソース情報、および、前記第１ＵＥの前記ネットワークカバレッジ情報を含む、
請求項３８に記載の装置。
【請求項４３】
プロセッサ、メモリ、バスおよび通信インタフェースを備えるユーザ機器ＵＥであって、前記メモリは、コンピュータ実行可能命令を記憶するように構成され、前記プロセッサは、前記バスを使用することによって前記メモリに接続され、前記ＵＥが動作しているとき、前記プロセッサが、前記メモリに記憶された前記コンピュータ実行可能命令を実行する結果、前記ＵＥが、請求項１から１１のいずれか一項に記載の同期情報送信方法を実行する、ＵＥ。
【請求項４４】
プロセッサ、メモリ、バスおよび通信インタフェースを備えるユーザ機器ＵＥであって、前記メモリは、コンピュータ実行可能命令を記憶するように構成され、前記プロセッサは、前記バスを使用することによって前記メモリに接続され、前記ＵＥが動作しているとき、前記プロセッサが、前記メモリに記憶された前記コンピュータ実行可能命令を実行する結果、前記ＵＥが、請求項１２から２３のいずれか一項に記載の前記同期情報送信方法を実行する、ＵＥ。
【請求項４５】
プロセッサ、メモリ、バスおよび通信インタフェースを備えるユーザ機器ＵＥであって、前記メモリは、コンピュータ実行可能命令を記憶するように構成され、前記プロセッサは、前記バスを使用することによって前記メモリに接続され、前記ＵＥが動作しているとき、前記プロセッサが、前記メモリに記憶された前記コンピュータ実行可能命令を実行する結果、前記ＵＥが、請求項２４から２９のいずれか一項に記載の前記同期情報送信方法を実行する、ＵＥ。
【発明の詳細な説明】
【技術分野】
【０００１】
本発明は通信分野に関連し、特に、同期情報送信方法および装置に関連する。
【背景技術】
【０００２】
Ｄ２Ｄ（Ｄｅｖｉｃｅ−ｔｏ−Ｄｅｖｉｃｅ、デバイスツーデバイス）通信システムにおいて、ＵＥ間の通信の効率を保証するために、ＵＥは、データの受信および送信の前に、同期処理を実行する必要がある。ＵＥ１を例として使用する。ＵＥ１は、ＳＬＳＳ（Ｓｉｄｅｌｉｎｋ  Ｓｙｎｃｈｒｏｎｉｚａｔｉｏｎ  Ｓｉｇｎａｌ、サイドリンク同期信号）などの同期信号を少なくとも１つの同期元、例えば、基地局またはＵＥ１以外のＵＥから取得し、検出された、別のＵＥによって送信された同期信号を使用することによって同期を実行し得る。
【０００３】
現在、３ＧＰＰ（３ｒｄ  Ｇｅｎｅｒａｔｉｏｎ  Ｐａｒｔｎｅｒｓｈｉｐ  Ｐｒｏｊｅｃｔ、第３世代パートナーシッププロジェクト）が、車両と任意の対象との間の通信、すなわちＶ２Ｘ（Ｖｅｈｉｃｌｅ  ｔｏ  Ｘ、ビークルツーエブリシング）に関する研究を行っている。インターネットオブビークルにおけるＶ２Ｖ（Ｖｅｈｉｃｌｅ  ｔｏ  Ｖｅｈｉｃｌｅ、ビークルツービークル）通信が研究の焦点である。Ｖ２ＸおよびＶ２Ｖは、Ｄ２Ｄと比較すると、伝送遅延および信頼性についての要求が高い。したがって、車両間の比較的高精度の同期が保証される必要がある。従来技術では、Ｖ２ＸまたはＶ２Ｖ通信システムにおける車両およびデバイスは、ＵＥとして使用され、ＵＥ同期は、Ｄ２Ｄシステムにおける同期方法を使用することによって、Ｖ２ＸまたはＶ２Ｖ通信システムに実装され得る。
【０００４】
しかしながら、従来技術では、Ｄ２Ｄ同期信号の検出には過剰に長い時間がかかる。例えば、検出された同期元にＵＥを同期させるには、数百ミリ秒かかる。これは、伝送遅延の要求が低く同期安定性の要求が高い、インターネットオブビークルと同様の適用シナリオには不適当である。
【０００５】
さらに、Ｖ２ＸおよびＶ２Ｖ通信システムにおいて、ＵＥの同期元は、基地局もしくは別のＵＥであり得るか、または、衛星デバイスであり得る。したがって、ＵＥ同期のシナリオは、より複雑になる。例えば、部分的なネットワークカバレッジが提供される場合において、ＵＥ１は、基地局に由来するタイミング参照を受信できず、ＵＥ２は、基地局に由来するタイミング参照を受信でき、ＵＥ３は、衛星デバイスに由来するタイミング参照を受信でき、基地局のタイミング参照は、衛星デバイスに由来することもあり得る。
【０００６】
したがって、本発明は主に、超高信頼性かつ低遅延通信のシナリオにおいてデバイスの同期元を決定および選択することについての問題を解決し、それにより、比較的高い同期元信頼性および同期精度を保証し、さらに、デバイス間の効率を改善する。
【発明の概要】
【０００７】
本発明の実施形態は、同期情報送信方法および装置を提供することにより、超高信頼性および低遅延の通信のシナリオにおいて、デバイス間の比較的高精度の同期を保証し、さらに、デバイス間の通信の効率を改善する。
【０００８】
上記の目的を実現するべく、本発明の実施形態において、以下の技術的解決法が使用される。
【０００９】
第１態様によれば、本発明の実施形態は、同期情報送信方法を提供し、当該方法は、第１ユーザ機器ＵＥによって、第１同期情報を決定する段階であって、第１同期情報は、同期元として使用される第１ＵＥの優先度を示すために使用される、段階と、第１ＵＥによって第１同期情報を送信することにより、第２ＵＥが、受信された第１同期情報に従って、第２ＵＥの同期元を選択する段階とを備える。
【００１０】
第１同期情報は同期元として使用される第１ＵＥの優先度を示し得るので、第２ＵＥの同期元を選択するとき、第２ＵＥは、複数の受信された第１同期情報に従って、比較的高い優先度を有する第１ＵＥを第２ＵＥの同期元として選択し得て、これにより、インターネットオブビークルなどの、超高信頼性かつ低遅延通信のシナリオにおいて、ＵＥ間の同期の信頼性および精度を保証することが分かる。
【００１１】
可能な設計において、第１ＵＥが第１同期情報を決定する前に、方法は、第１ＵＥが第１構成情報を基地局から、または予め定められた方式で取得する段階であって、第１構成情報は、第１ＵＥおよび第１ＵＥの同期元に使用される周波数情報および／またはタイミング情報を含み、第１ＵＥの同期元のタイミングは衛星デバイスに由来する、段階をさらに備える。
【００１２】
可能な設計において、第１同期情報は、第１リンクの周波数が第２リンクの周波数かどうかを示す情報、および／または、第２リンクについてのタイミングが衛星デバイスに由来するかどうかを示す情報、および／または、第２リンクについてのタイミングが衛星デバイスのタイミングに揃えられているかどうかを示す情報を含み、第２リンクは、第１ＵＥと基地局との間のリンクであり、第１リンクは、第１ＵＥと第２ＵＥとの間のリンクである。
【００１３】
このようにして、第１リンクの周波数が第２リンクの周波数と同一であり、かつ、第２ＵＥが第１ＵＥを同期元として選択するとき、第２ＵＥのタイミングが第２リンクにおける基地局のタイミングと同一であるので、タイミングの違いに起因する、第２リンクにおける基地局の受信器またはＵＥの受信器に対する潜在的な干渉を回避できる。第２リンクについてのタイミングが衛星デバイスに由来し、かつ、第２ＵＥが第１ＵＥを同期元として選択するとき、第２ＵＥのタイミングが第２リンクにおける基地局のタイミングと同一であるので、第１リンクにおける同期精度および安定性を改善できる。
【００１４】
可能な設計において、第１ＵＥが第１同期情報を決定する段階の前に、方法はさらに、第１ＵＥが基地局から、または、予め定められた方式で第２構成情報を取得する段階であって、第２構成情報は、第１ＵＥが所在するセルのカバレッジエリア情報を含み、第１ＵＥの同期元のタイミングは、衛星デバイスとは無関係である、段階を備える。
【００１５】
可能な設計において、第１同期情報は、第１ＵＥのサービングセルの伝送電力を示す情報、および／または、第１ＵＥのサービングセルのカバレッジ半径を示す情報、および／または、第２リンクにおける第１ＵＥとサービングセルとの間のタイミングアドバンスＴＡ値を示す情報を含む。
【００１６】
第１同期情報は、第１ＵＥの同期元、および、第１ＵＥが所在するセルのカバレッジエリア情報を反映し得て、その結果、第２ＵＥは、第２ＵＥの同期元を選択するとき、第１同期情報に従って、比較的小さいカバレッジエリアを有するセルに対応する第１ＵＥを第２ＵＥの同期元として選択でき、これにより、比較的小さい半径を有するセルカバレッジ領域における、基地局のアップリンク受信器に対する干渉を低減または除去することが分かる。
【００１７】
可能な設計において、第１ＵＥが第１同期情報を決定する段階は、第１ＵＥが基地局から、または、予め定められた方式で第１同期情報を取得する段階であって、第１同期情報は、第１サイドリンク同期信号ＳＬＳＳを含む、段階を含み、第１ＵＥが第１同期情報を送信する段階は、第１ＵＥと第２ＵＥとの間のタイミング遅延が予め設定されたトリガ条件を満たす場合に第１ＵＥが第１同期情報を送信する段階を含む。
【００１８】
第１ＵＥが第１セルに所在し、第２ＵＥが第１セルに隣接する第２セルに所在する場合、予め設定されたトリガ条件は、第１セルのタイミングと第２セルのタイミングとの間の差が第１の予め設定された値より高いこと、第１セルのタイミングと第２セルのタイミングが非同期状態であること、第１セルのカバレッジ半径と第２セルのカバレッジ半径との間の差が第２の予め設定された値より高いこと、または、第１セルの伝送電力と第２セルの伝送電力との間の差が第３の予め設定された値より高いことのうちの少なくとも１つを含む。
【００１９】
代替的に、第１ＵＥおよび第２ＵＥの両方が第１セルに所在する場合、予め設定されたトリガ条件は、第２リンクにおける第１ＵＥのＴＡ値が第４の予め設定された値より高いことである。
【００２０】
第１ＵＥが第１同期情報を送信するためのトリガ条件が追加され、その結果、これらの条件に従ってＳＬＳＳを送信するように第１ＵＥをトリガでき、これにより、ＵＥによって、第１リンクにおいて、送信されるようにトリガされたＳＬＳＳを使用することによって、第１リンクにおけるより良い同期が実装されることが分かる。その結果、遅延差に起因してＵＥ間で発生する、パケット損失または検出誤りなどの問題を減らすことができ、これにより、第１リンク全体の通信性能が改善する。
【００２１】
可能な設計において、第１同期情報は第１リンク物理制御チャネルおよび／またはＳＬＳＳにおいて搬送される。
【００２２】
可能な設計において、第１ＵＥが第１同期情報を決定する段階は、第１ＵＥが、第２ＵＥによって送信された同期信号を受信する段階と、第２ＵＥが遠端ＵＥであることを同期信号が示し、かつ、同期信号の信号品質が予め設定された閾値より高い場合、第１ＵＥが第１同期情報を決定する段階とを含む。
【００２３】
このようにして、上記のプロセスによれば、遠端ＵＥが基地局のカバレッジエリア内にあるかどうかにかかわらず、および、第２リンクにおける中継ＵＥの信号品質にかかわらず、中継ＵＥのみが遠端ＵＥと中継ＵＥとの間のデータ通信中に第１同期情報を送信することが分かる。これにより、ＵＥ間の同期が実装され、遠端ＵＥの電力消費が減少する。
【００２４】
可能な設計において、第１同期情報は、以下のいずれか１つを含む。第１同期情報は、第１ＵＥのタイミングが衛星デバイスと同一であることを示し、第１同期情報は、第１ＵＥがネットワーク内にあることを示すシーケンスを含み、第１ＵＥがネットワーク内に由来すること、かつ、第１ＵＥのタイミングが衛星デバイスと同期状態であることを意味する。第１同期情報は、第１ＵＥのタイミングが衛星デバイスと同一であることを示し、第１同期情報は、第１ＵＥがネットワーク外にあることを示すシーケンスを含み、第１ＵＥがネットワーク外に由来すること、かつ、第１ＵＥのタイミングが衛星デバイスと同一であることを意味する。第１同期情報は、第１ＵＥのタイミングが衛星デバイスと異なることを示し、第１同期情報は、第１ＵＥがネットワーク内にあることを示すシーケンスを含み、第１ＵＥがネットワーク内に由来すること、かつ、第１ＵＥのタイミングが衛星デバイスと異なることを意味する。または、第１同期情報は、第１ＵＥのタイミングが衛星デバイスと異なることを示し、第１同期情報は、第１ＵＥがネットワーク外にあることを示すシーケンスを含み、第１ＵＥがネットワーク外にあること、かつ、自身のタイミングを使用することを意味する。
【００２５】
第２態様によれば、本発明の実施形態は、同期情報送信方法を提供し、当該方法は、第１ユーザ機器ＵＥが第１同期情報を決定する段階と、第１ＵＥが、第１リンクにおいて、第１同期情報を送信する段階であって、第１同期情報は、第２同期情報と異なり、第１リンクは、第１ＵＥと第２ＵＥとの間のリンクである、段階とを備える。
【００２６】
可能な設計において、第１同期情報が第２同期情報と異なることは、具体的には、第１同期情報における同期信号の、同期サブフレームにおけるシンボル位置が、第２同期情報における同期信号の、同期サブフレームにおけるシンボル位置と異なること、第１同期情報における同期信号の、同期サブフレームにおけるシンボル数が、第２同期情報における同期信号の、同期サブフレームにおけるシンボル数と異なること、第１同期情報における同期信号に使用されるシーケンスが、第２同期情報における同期信号に使用されるシーケンスと異なること、第１同期情報における同期信号に使用されるシーケンスの周波数領域マッピング方式が、第２同期情報における同期信号に使用されるシーケンスの周波数領域マッピング方式と異なること、または、第１同期情報を搬送する制御チャネルが、第２同期情報を搬送する制御チャネルと異なることのうちの少なくとも１つを含む。
【００２７】
このようにして、インターネットオブビークルシステムにおける第１同期情報は、Ｄ２Ｄシステムにおける第２同期情報と異なるように設定され、その結果、同期を実行するとき、受信端として使用される第２ＵＥは、後続の通信サービスがＤ２Ｄサービスか、または、インターネットオブビークルサービスかを決定できる。これにより、第１ＵＥまたは第２ＵＥによって実行される検出を簡略化し、不必要な誤検出を回避する。
【００２８】
可能な設計において、第１同期情報における同期信号に使用されるシーケンスが、第２同期情報における同期信号に使用されるシーケンスと異なることは、第１同期情報における同期信号に使用される第１同期シーケンスが、第２同期情報における同期信号に使用される第１同期シーケンスと異なること、第１同期情報における同期信号に使用される第２同期シーケンスが、第２同期情報における同期信号に使用される第２同期シーケンスと異なること、または、第１同期情報における同期信号に使用される第１同期シーケンスおよび第２同期シーケンスの組み合わせ方式が、第２同期情報における同期信号に使用される第１同期シーケンスおよび第２同期シーケンスの組み合わせ方式と異なることのうちの少なくとも１つを含む。
【００２９】
可能な設計において、第１同期情報における同期信号に使用されるシーケンスの周波数領域マッピング方式が、第２同期情報における同期信号に使用されるシーケンスの周波数領域マッピング方式と異なることは、第２リンクにおけるサブフレーム５におけるダウンリンク二次同期シーケンスが第２同期シーケンスとして使用されることであって、第２リンクは、第１ＵＥと基地局との間のリンクである、こと、および／または、第２同期シーケンスによって占有される偶数の副搬送波および奇数の副搬送波はそれぞれ、第２リンクにおけるサブフレーム０またはサブフレーム５における、二次同期シーケンスの奇数の副搬送波および偶数の副搬送波に対応するシーケンスに対応することを含む。
【００３０】
可能な設計において、第１同期情報を搬送する制御チャネルが、第２同期情報を搬送する制御チャネルと異なることは、具体的には、第１同期情報を搬送する制御チャネルに使用される復調参照信号が、第２同期情報を搬送する制御チャネルに使用される復調参照信号と異なること、第１同期情報を搬送する制御チャネルに使用されるＣＲＣマスクが、第２同期情報を搬送する制御チャネルに使用されるＣＲＣマスクと異なること、第１同期情報を搬送する制御チャネルのパケットサイズが、第２同期情報を搬送する制御チャネルのパケットサイズと異なること、または、第１同期情報を搬送する制御チャネルに使用される、スクランブルシーケンスの初期値、もしくは、初期値の計算パラメータが、第２同期情報を搬送する制御チャネルに使用される、スクランブルシーケンスの初期値、もしくは、初期値の計算パラメータと異なることのうちの少なくとも１つを含む。
【００３１】
可能な設計において、第１同期情報を搬送する制御チャネルに使用される復調参照信号が、第２同期情報を搬送する制御チャネルに使用される復調参照信号と異なることは、第１同期情報を搬送する制御チャネルに使用される復調参照信号のシーケンスが、第２同期情報を搬送する制御チャネルに使用される復調参照信号のシーケンスと異なること、第１同期情報を搬送する制御チャネルに使用される復調参照信号のシンボル位置が、第２同期情報を搬送する制御チャネルに使用される復調参照信号のシンボル位置と異なること、または、第１同期情報を搬送する制御チャネルに使用される復調参照信号によって占有されるシンボル数が、第２同期情報を搬送する制御チャネルに使用される復調参照信号によって占有されるシンボル数と異なることのうちの少なくとも１つを含む。
【００３２】
例えば、通常ＣＰの場合、第１同期情報を搬送する制御チャネルは、同期サブフレームにおける、第１タイムスロットのシンボル３および６、ならびに、第２タイムスロットのシンボル０および３を占有し、または、第１同期情報を搬送する制御チャネルは、同期サブフレームにおける、第１タイムスロットのシンボル３および５、ならびに、第２タイムスロットのシンボル１および３を占有し、拡張ＣＰの場合、第１同期情報を搬送する制御チャネルは、同期サブフレームにおける、第１タイムスロットのシンボル２および５、ならびに、第２タイムスロットのシンボル２を占有し、または、第１同期情報を搬送する制御チャネルは、同期サブフレームにおける、第１タイムスロットのシンボル２および４、ならびに、第２タイムスロットのシンボル０および２を占有する。
【００３３】
可能な設計において、第１ＵＥが第１リンクにおいて第１同期情報を送信する段階は、第１ＵＥが、同期サイクルにおいて、Ｎ個の同期サブフレームを使用することによって、第１同期情報を送信する段階であって、Ｎは２より小さくない正の整数である、段階を含む。
【００３４】
このようにして、第１同期情報は、同期サイクルにおいて、Ｎ個の同期サブフレームを使用することによって送信され、その結果、ＤＭＲＳの数を保証しながら、同期サブフレームにおけるデータシンボルの数を増加させることができる。この結果、制御チャネルのビットレートが減少し、これにより、第２ＵＥによる、制御チャネルおよび第１同期情報の検出の性能が改善する。
【００３５】
可能な設計において、Ｎ個の同期サブフレームは、同期サイクルにおけるＮ個の隣接サブフレームであるか、または、Ｎ個の同期サブフレームの間の時間間隔は、同期サイクルの１／Ｎである。
【００３６】
可能な設計において、第１同期情報を搬送する制御チャネルは、少なくともＭ個の部分を含み、Ｍ個の部分はそれぞれ、Ｎ個の同期サブフレームにマッピングされ、または、第１同期情報を搬送する制御チャネルは、同期サイクルにおいてＭ回伝送され、Ｍは２より小さくない正の整数である。
【００３７】
可能な設計において、Ｎ個の同期サブフレームが第１同期サブフレームおよび第２同期サブフレームを含む場合、第１同期サブフレームにおける第１同期シーケンスは、第２同期サブフレームにおける第１同期シーケンスと異なり、および／または、第１同期サブフレームにおける第２同期シーケンスは、第２同期サブフレームにおける第２同期シーケンスと異なる。
【００３８】
可能な設計において、Ｎ個の同期サブフレームが１組の同期リソースである場合、少なくとも２組の同期リソースが同期サイクルに含まれ、第１ＵＥが第１リンクにおいて第１同期情報を送信する段階は、第１ＵＥが、少なくとも２組の同期リソースのうちの１つを使用することによって、第１同期情報を送信する段階と、第１ＵＥが、少なくとも２組の同期リソースにおける別の組の同期リソースを使用することによって、別のＵＥによって送信された第３同期情報を受信する段階とを含む。
【００３９】
第３態様に従って、本発明の実施形態は、同期情報送信方法を提供し、当該方法は、第２ユーザ機器ＵＥが第１同期情報を取得する段階であって、第１同期情報は、同期元として使用される第１ＵＥの優先度を示すために使用される、段階と、第２ＵＥが、第１同期情報に従って、第１ＵＥを第２ＵＥの同期元として使用するかどうかを決定する段階とを備える。
【００４０】
可能な設計において、第１同期情報は、第１リンクの周波数が第２リンクの周波数かどうかを示す情報、および／または、第２リンクについてのタイミングが衛星デバイスに由来するかどうかを示す情報、および／または、第２リンクについてのタイミングが衛星デバイスのタイミングに揃えられているかどうかを示す情報であって、第２リンクは、第１ＵＥと基地局との間のリンクであり、第１リンクは、第１ＵＥと第２ＵＥとの間のリンクである、情報を含み、第２ＵＥが、第１同期情報に従って、第１ＵＥを第２ＵＥの同期元として使用するかどうかを決定する段階は、第１リンクの周波数が第２リンクの周波数である場合、第２ＵＥが第１ＵＥを第２ＵＥの同期元として使用する段階、または、第２リンクについてのタイミングが衛星デバイスに由来する場合、第２ＵＥが第１ＵＥを第２ＵＥの同期元として使用する段階、または、第１リンクの周波数が第２リンクの周波数であり、第２リンクについてのタイミングが衛星デバイスに由来する場合、第２ＵＥが第１ＵＥを第２ＵＥの同期元として使用する段階を含む。
【００４１】
可能な設計において、第１同期情報は、第１ＵＥが所在するセルの伝送電力を示す情報、および／または、第１ＵＥが所在するセルのカバレッジ半径を示す情報、および／または、第２リンクにおける第１ＵＥのタイミングアドバンスＴＡ値を示す情報を含み、第２ＵＥが第１同期情報に従って、第１ＵＥを第２ＵＥの同期元として使用するかどうか決定する段階は、第１ＵＥが所在するセルの伝送電力が第１閾値より低い場合、第２ＵＥが、第１ＵＥを第２ＵＥの同期元として使用する段階、および／または、第１ＵＥが所在するセルのカバレッジ半径が第２閾値より低い場合、第２ＵＥが第１ＵＥを第２ＵＥの同期元として使用する段階、および／または、第２リンクにおける第１ＵＥのＴＡ値が第３閾値より低い場合、第２ＵＥが第１ＵＥを第２ＵＥの同期元として使用する段階を含む。
【００４２】
可能な設計において、第１同期情報は、異なる種類の同期元の優先度情報、および、異なる種類の同期元の同期信号品質閾値を含む。
【００４３】
この場合、第２ＵＥが第１同期情報に従って、第１ＵＥを第２ＵＥの同期元として使用するかどうかを決定する段階は、第２ＵＥが、最高優先度を有する同期元を選択する段階であって、最高優先度を有する同期元の信号品質が、最高優先度を有する同期元に対応する信号品質閾値より低いとき、最高優先度を有する同期元より低い優先度を有する同期元を第２ＵＥの同期元として選択する段階を含む。
【００４４】
可能な設計において、第１同期情報は、第１ＵＥのタイミングソース情報、および、第１ＵＥのネットワークカバレッジ情報を含み、第２ＵＥが第１同期情報に従って、第１ＵＥを第２ＵＥの同期元として使用するかどうかを決定する段階は、第１ＵＥのタイミングソース情報が、第１ＵＥのタイミングが衛星デバイスに由来することを示し、かつ、第１ＵＥのネットワークカバレッジ情報が、第１ＵＥがネットワークカバレッジエリア外にあることを示す場合、第２ＵＥが、第１ＵＥを第２ＵＥの同期元として使用する段階を含む。
【００４５】
第４態様によれば、本発明の実施形態は、同期情報送信装置を提供し、当該装置は、第１同期情報を決定するように構成されている決定ユニットであって、第１同期情報は、同期元として使用される第１ＵＥの優先度を示すために使用される、決定ユニットと、第１同期情報を送信するように構成されている送信ユニットであって、第２ＵＥに、受信された第１同期情報に従って、第２ＵＥの同期元を選択させる、送信ユニットと、を備える。
【００４６】
可能な設計において、装置は、基地局から、または、予め定められた方式で、第１構成情報を取得するように構成されている取得ユニットであって、第１構成情報は、第１ＵＥおよび第１ＵＥの同期元に使用される周波数情報および／またはタイミング情報を含み、第１ＵＥの同期元のタイミングは衛星デバイスに由来する、取得ユニットをさらに備え、第１同期情報は、第１リンクの周波数が第２リンクの周波数であるかどうかを示す情報、および／または、第２リンクについてのタイミングが衛星デバイスに由来するかどうかを示す情報、および／または、第２リンクについてのタイミングが衛星デバイスのタイミングに揃えられているかどうかを示す情報を含み、第２リンクは、第１ＵＥと基地局との間のリンクであり、第１リンクは、第１ＵＥと第２ＵＥとの間のリンクである。
【００４７】
可能な設計において、装置は、基地局から、または、予め定められた方式で、第２構成情報を取得するように構成されている取得ユニットであって、第２構成情報は、第１ＵＥが所在するセルのカバレッジエリア情報を含み、第１ＵＥの同期元のタイミングは、衛星デバイスと無関係である、取得ユニットをさらに備え、第１同期情報は、第１ＵＥのサービングセルの伝送電力を示す情報、および／または、第１ＵＥのサービングセルのカバレッジ半径を示す情報、および／または、第２リンクにおける第１ＵＥとサービングセルとの間のＴＡ値を示す情報を含む。
【００４８】
可能な設計において、決定ユニットは、具体的には、基地局から、または、予め定められた方式で、第１同期情報を取得するように構成され、第１同期情報は第１サイドリンク同期信号ＳＬＳＳを含み、送信ユニットは、具体的には、第１ＵＥと第２ＵＥとの間のタイミング遅延が予め設定されたトリガ条件を満たす場合、第１ＵＥによって、第１同期情報を送信するように構成され、第１ＵＥが第１セルに所在し、かつ、第２ＵＥが、第１セルに隣接する第２セルに所在する場合、予め設定されたトリガ条件は、第１セルのタイミングと第２セルのタイミングとの間の差が、第１の予め設定された値より高いこと、第１セルのタイミングおよび第２セルのタイミングが非同期状態であること、第１セルのカバレッジ半径と第２セルのカバレッジ半径との間の差が、第２の予め設定された値より高いこと、または、第１セルの伝送電力と第２セルの伝送電力との間の差が、第３の予め設定された値より高いことのうちの少なくとも１つを含み、または、対応して、第１ＵＥおよび第２ＵＥの両方が第１セルに所在する場合、予め設定されたトリガ条件は、第２リンクにおける第１ＵＥのＴＡ値が、第４の予め設定された値より高いことである。
【００４９】
可能な設計において、第１同期情報は、第１リンク物理制御チャネルおよび／またはＳＬＳＳにおいて搬送される。
【００５０】
可能な設計において、決定ユニットは、第２ＵＥによって送信された同期信号を受信するように、および、第２ＵＥが遠端ＵＥであることを同期信号が示し、かつ、同期信号の信号品質が予め設定された閾値より高い場合、第１同期情報を決定するように構成されている。
【００５１】
例えば、第１同期情報は、以下のいずれか１つを含む。第１同期情報は、第１ＵＥのタイミングが衛星デバイスと同一であることを示し、第１同期情報は、第１ＵＥがネットワーク内にあることを示すシーケンスを含み、第１ＵＥがネットワーク内に由来すること、かつ、第１ＵＥのタイミングが衛星デバイスと同期状態であることを意味する。第１同期情報は、第１ＵＥのタイミングが衛星デバイスと同一であることを示し、第１同期情報は、第１ＵＥがネットワーク外にあることを示すシーケンスを含み、第１ＵＥがネットワーク外に由来すること、かつ、第１ＵＥのタイミングが衛星デバイスと同一であることを意味する。第１同期情報は、第１ＵＥのタイミングが衛星デバイスと異なることを示し、第１同期情報は、第１ＵＥがネットワーク内にあることを示すシーケンスを含み、第１ＵＥがネットワーク内に由来すること、かつ、第１ＵＥのタイミングが衛星デバイスと異なることを意味する。または、第１同期情報は、第１ＵＥのタイミングが衛星デバイスと異なることを示し、第１同期情報は、第１ＵＥがネットワーク外にあることを示すシーケンスを含み、第１ＵＥがネットワーク外にあること、かつ、自身のタイミングを使用することを意味する。
【００５２】
第５態様によれば、本発明の実施形態は同期情報送信装置を提供し、当該装置は、第１同期情報を決定するように構成されている決定ユニットと、第１リンクにおいて、第１同期情報を送信するように構成されている送信ユニットであって、第１同期情報は第２同期情報と異なり、第１リンクは、第１ＵＥと第２ＵＥとの間のリンクである、送信ユニットとを備え、第１同期情報が第２同期情報と異なることは、具体的には、第１同期情報における同期信号の、同期サブフレームにおけるシンボル位置が、第２同期情報における同期信号の、同期サブフレームにおけるシンボル位置と異なること、第１同期情報における同期信号の、同期サブフレームにおけるシンボル数が、第２同期情報における同期信号の、同期サブフレームにおけるシンボル数と異なること、第１同期情報における同期信号に使用されるシーケンスが、第２同期情報における同期信号に使用されるシーケンスと異なること、第１同期情報における同期信号に使用されるシーケンスの周波数領域マッピング方式が、第２同期情報における同期信号に使用されるシーケンスの周波数領域マッピング方式と異なること、または、第１同期情報を搬送する制御チャネルが、第２同期情報を搬送する制御チャネルと異なることのうちの少なくとも１つを含む。
【００５３】
可能な設計において、第１同期情報における同期信号に使用されるシーケンスが、第２同期情報における同期信号に使用されるシーケンスと異なることは、第１同期情報における同期信号に使用される第１同期シーケンスが、第２同期情報における同期信号に使用される第１同期シーケンスと異なること、第１同期情報における同期信号に使用される第２同期シーケンスが、第２同期情報における同期信号に使用される第２同期シーケンスと異なること、または、第１同期情報における同期信号に使用される第１同期シーケンスおよび第２同期シーケンスの組み合わせ方式が、第２同期情報における同期信号に使用される第１同期シーケンスおよび第２同期シーケンスの組み合わせ方式と異なること、のうちの少なくとも１つを含む。
【００５４】
可能な設計において、第１同期情報における同期信号に使用されるシーケンスの周波数領域マッピング方式が、第２同期情報における同期信号に使用されるシーケンスの周波数領域マッピング方式と異なることは、第２リンクにおけるサブフレーム５におけるダウンリンク二次同期シーケンスが第２同期シーケンスとして使用されることであって、第２リンクは、第１ＵＥと基地局との間のリンクである、こと、および／または、第２同期シーケンスによって占有される偶数の副搬送波および奇数の副搬送波はそれぞれ、第２リンクにおけるサブフレーム０またはサブフレーム５における、二次同期シーケンスの奇数の副搬送波および偶数の副搬送波に対応するシーケンスに対応することを含む。
【００５５】
可能な設計において、第１同期情報を搬送する制御チャネルが、第２同期情報を搬送する制御チャネルと異なることは、具体的には、第１同期情報を搬送する制御チャネルに使用される復調参照信号が、第２同期情報を搬送する制御チャネルに使用される復調参照信号と異なること、第１同期情報を搬送する制御チャネルに使用される巡回冗長検査ＣＲＣマスクが、第２同期情報を搬送する制御チャネルに使用されるＣＲＣマスクと異なること、第１同期情報を搬送する制御チャネルのパケットサイズが、第２同期情報を搬送する制御チャネルのパケットサイズと異なること、または、第１同期情報を搬送する制御チャネルに使用される、スクランブルシーケンスの初期値、または、初期値の計算パラメータが、第２同期情報を搬送する制御チャネルに使用される、スクランブルシーケンスの初期値、または、初期値の計算パラメータと異なることのうちの少なくとも１つを含む。
【００５６】
可能な設計において、第１同期情報を搬送する制御チャネルに使用される復調参照信号が、第２同期情報を搬送する制御チャネルに使用される復調参照信号と異なることは、第１同期情報を搬送する制御チャネルに使用される復調参照信号のシーケンスが、第２同期情報を搬送する制御チャネルに使用される復調参照信号のシーケンスと異なること、第１同期情報を搬送する制御チャネルに使用される復調参照信号のシンボル位置が、第２同期情報を搬送する制御チャネルに使用される復調参照信号のシンボル位置と異なること、または、第１同期情報を搬送する制御チャネルに使用される復調参照信号によって占有されるシンボル数が、第２同期情報を搬送する制御チャネルに使用される復調参照信号によって占有されるシンボル数と異なることのうちの少なくとも１つを含む。
【００５７】
例えば、通常ＣＰの場合、第１同期情報を搬送する制御チャネルは、同期サブフレームにおける、第１タイムスロットのシンボル３および６、ならびに、第２タイムスロットのシンボル０および３を占有し、または、第１同期情報を搬送する制御チャネルは、同期サブフレームにおける、第１タイムスロットのシンボル３および５、ならびに、第２タイムスロットのシンボル１および３を占有し、拡張ＣＰの場合、第１同期情報を搬送する制御チャネルは、同期サブフレームにおける、第１タイムスロットのシンボル２および５、ならびに、第２タイムスロットのシンボル２を占有し、または、第１同期情報を搬送する制御チャネルは、同期サブフレームにおける、第１タイムスロットのシンボル２および４、ならびに、第２タイムスロットのシンボル０および２を占有する。
【００５８】
可能な設計において、送信ユニットは、具体的には、Ｎ個の同期サブフレームを使用することによって、同期サイクルにおいて、第１同期情報を送信するように構成され、Ｎは２より小さくない正の整数である。
【００５９】
Ｎ個の同期サブフレームは、同期サイクルにおけるＮ個の隣接サブフレームであるか、または、Ｎ個の同期サブフレームの間の時間間隔は、同期サイクルの１／Ｎである。
【００６０】
可能な設計、Ｎ個の同期サブフレームが第１同期サブフレームおよび第２同期サブフレームを含む場合、第１同期サブフレームにおける第１同期シーケンスは、第２同期サブフレームにおける第１同期シーケンスと異なり、および／または、第１同期サブフレームにおける第２同期シーケンスは、第２同期サブフレームにおける第２同期シーケンスと異なる。
【００６１】
可能な設計において、送信ユニットは、具体的には、少なくとも２組の同期リソースのうちの１つを使用することによって、第１同期情報を送信し、および、少なくとも２組の同期リソースにおける別の組の同期リソースを使用することによって、別のＵＥによって送信された第３同期情報を受信するように構成されている。
【００６２】
第６態様によれば、本発明の実施形態は同期情報送信装置を提供し、当該装置は、第１同期情報を取得するように構成されている取得ユニットであって、第１同期情報は、同期元として使用される第１ＵＥの優先度を示すために使用される、取得ユニットと、第１同期情報に従って、第１ＵＥを第２ＵＥの同期元として使用するかどうかを決定するように構成されている決定ユニットとを備える。
【００６３】
可能な設計において、決定ユニットは、具体的には、第１リンクの周波数が第２リンクの周波数である場合、第２ＵＥによって、第１ＵＥを第２ＵＥの同期元として使用し、または、第２リンクについてのタイミングが衛星デバイスに由来する場合、第２ＵＥによって、第１ＵＥを第２ＵＥの同期元として使用し、または、第１リンクの周波数が第２リンクの周波数であり、かつ、第２リンクのタイミングが衛星デバイスに由来する場合、第２ＵＥによって、第１ＵＥを第２ＵＥの同期元として使用するように構成され、第１同期情報は、第１リンクの周波数が第２リンクの周波数であるかどうかを示す情報、および／または、第２リンクについてのタイミングが衛星デバイスに由来するかどうかを示す情報、および／または、第２リンクについてのタイミングが、衛星デバイスのタイミングに揃えられているかどうかを示す情報を含み、第２リンクは、第１ＵＥと基地局との間のリンクであり、第１リンクは、第１ＵＥと第２ＵＥとの間のリンクである。
【００６４】
可能な設計において、決定ユニットは、具体的には、第１ＵＥが所在するセルの伝送電力が第１閾値より低い場合、第２ＵＥによって、第１ＵＥを第２ＵＥの同期元として使用し、および／または、第１ＵＥが所在するセルのカバレッジ半径が第２閾値より低い場合、第２ＵＥによって、第１ＵＥを第２ＵＥの同期元として使用し、および／または、第２リンクにおける第１ＵＥのＴＡ値が第３閾値より低い場合、第２ＵＥによって、第１ＵＥを第２ＵＥの同期元として使用するように構成され、第１同期情報は、第１ＵＥが所在するセルの伝送電力を示す情報、および／または、第１ＵＥが所在するセルのカバレッジ半径を示す情報、および／または、第２リンクにおける第１ＵＥのタイミングアドバンスＴＡ値を示す情報を含む。
【００６５】
可能な設計において、決定ユニットは、具体的には、最高優先度を有する同期元を選択するように構成され、最高優先度を有する同期元の信号品質が、最高優先度を有する同期元に対応する信号品質閾値より低いとき、最高優先度を有する同期元より低い優先度を有する同期元を第２ＵＥの同期元として選択し、第１同期情報は、異なる種類の同期元の優先度情報、および／または、異なる種類の同期元の同期信号品質閾値を含む。
【００６６】
可能な設計において、決定ユニットは、具体的には、第１ＵＥのタイミングソース情報が、第１ＵＥのタイミングが衛星デバイスに由来することを示し、かつ、第１ＵＥのネットワークカバレッジ情報が、第１ＵＥがネットワークカバレッジエリア外にあることを示す場合、第２ＵＥによって、第１ＵＥを第２ＵＥの同期元として使用するように構成され、第１同期情報は、第１ＵＥのタイミングソース情報、および、第１ＵＥのネットワークカバレッジ情報を含む。
【００６７】
第７態様によれば、本発明の実施形態はＵＥを提供し、当該ＵＥは、プロセッサ、メモリ、バスおよび通信インタフェースを備え、メモリは、コンピュータ実行可能命令を記憶するように構成され、プロセッサは、バスを使用することによってメモリに接続され、ＵＥが動作しているとき、プロセッサが、メモリに記憶されたコンピュータ実行可能命令を実行する結果、ＵＥは、第１態様における任意の可能な設計に係る同期情報送信方法を実行する。
【００６８】
第８態様によれば、本発明の実施形態はＵＥを提供し、当該ＵＥは、プロセッサ、メモリ、バスおよび通信インタフェースを備え、メモリは、コンピュータ実行可能命令を記憶するように構成され、プロセッサは、バスを使用することによってメモリに接続され、ＵＥが動作しているとき、プロセッサが、メモリに記憶されたコンピュータ実行可能命令を実行する結果、ＵＥは、第２態様における任意の可能な設計に係る同期情報送信方法を実行する。
【００６９】
第９態様によれば、本発明の実施形態はＵＥを提供し、当該ＵＥは、プロセッサ、メモリ、バスおよび通信インタフェースを備え、メモリは、コンピュータ実行可能命令を記憶するように構成され、プロセッサは、バスを使用することによってメモリに接続され、ＵＥが動作しているとき、プロセッサが、メモリに記憶されたコンピュータ実行可能命令を実行する結果、ＵＥは、第３態様における任意の可能な設計に係る同期情報送信方法を実行する。
【００７０】
本発明において、同期情報送信装置の名前は、デバイスに対して限定を課さない。実際の適用において、デバイスの機能が本発明と同様であり、以下の請求項および本発明の同等技術ににおいて定義される範囲内に含まれるならば、デバイスは他の名前を有し得る。
【００７１】
加えて、第４態様から第９態様における任意の設計方式によってもたらされる技術的効果については、第１態様から第３態様における様々な設計方式によってもたらされる技術的効果を参照されたい。ここでは詳細を再度説明しない。
【００７２】
これらの態様、または、本発明の他の態様は、以下の実施形態において、より簡潔かつ分かり易く説明されている。
【図面の簡単な説明】
【００７３】
本発明の実施形態における、または従来技術における技術的解決法をより明確に説明すべく、実施形態または従来技術を説明するために必要な添付図面を以下で簡潔に説明する。
【００７４】
【図１】本発明の実施形態に係る同期情報送信方法の適用シナリオの概略図１である。
【００７５】
【図２】本発明の実施形態に係る同期情報送信方法の概略的フローチャート１である。
【００７６】
【図３】本発明の実施形態に係る同期情報送信方法の適用シナリオの概略図２である。
【００７７】
【図４】本発明の実施形態に係る同期情報送信方法の概略的フローチャート２である。
【００７８】
【図５】本発明の実施形態に係る同期情報送信方法の適用シナリオの概略図３である。
【００７９】
【図６】本発明の実施形態に係る同期情報送信方法の適用シナリオの概略図４である。
【００８０】
【図７】本発明の実施形態に係る同期情報送信方法の概略的フローチャート３である。
【００８１】
【図８】本発明の実施形態に係る同期情報送信方法の適用シナリオの概略図５である。
【００８２】
【図９】本発明の実施形態に係る同期情報送信方法の概略的フローチャート４である。
【００８３】
【図１０】本発明の実施形態に係る同期情報送信方法の概略的フローチャート５である。
【００８４】
【図１１】従来技術の通常ＣＰの場合における第２同期情報内のＰＳＳＳおよびＳＳＳＳの位置を示す。
【００８５】
【図１２】従来技術の拡張ＣＰの場合における第２同期情報内のＰＳＳＳおよびＳＳＳＳの位置を示す。
【００８６】
【図１３】本発明の実施形態に係る拡張ＣＰの場合における第１同期情報内のＤＭＲＳシンボルの位置の概略図である。
【００８７】
【図１４】本発明の実施形態に係る拡張ＣＰの場合における第１同期情報内のＤＭＲＳシンボルの位置の別の概略図である。
【００８８】
【図１５】本発明の実施形態に係る通常ＣＰの場合における第１同期情報内のＤＭＲＳシンボルの位置の概略図である。
【００８９】
【図１６】本発明の実施形態に係る通常ＣＰの場合における第１同期情報内のＤＭＲＳシンボルの位置の別の概略図である。
【００９０】
【図１７】本発明の実施形態に係る２つの同期サブフレームを使用することによる第１同期情報の送信についての概略図１である。
【００９１】
【図１８】本発明の実施形態に係る２つの同期サブフレームを使用することによる第１同期情報の送信についての概略図２である。
【００９２】
【図１９】本発明の実施形態に係る同期情報送信装置の概略構造図１である。
【００９３】
【図２０】本発明の実施形態に係る同期情報送信装置の概略構造図２である。
【００９４】
【図２１】本発明の実施形態に係る同期情報送信装置の概略構造図３である。
【００９５】
【図２２】本発明の実施形態に係る同期情報送信装置の概略構造図４である。
【００９６】
【図２３】本発明の実施形態に係るユーザ機器の概略構造図である。
【発明を実施するための形態】
【００９７】
本発明の実施形態における添付図面を参照して、本発明の実施形態における技術的解決法を以下で明確かつ完全に説明する。説明される実施形態は、本発明の実施形態の一部に過ぎず、全部ではないことは明らかである。
【００９８】
加えて、「第１」および「第２」という用語は、単に説明の目的で用いられることが意図されているに過ぎず、相対的な重要度の指示もしくは示唆、または、指示される技術的特徴の数量の黙示的な指示として理解されるべきではない。したがって、「第１」または「第２」によって限定される特徴は、１または複数の特徴を明示的または黙示的に含み得る。本発明の説明において、別段の記載が無い限り、「複数の」は、少なくとも２つあることを意味する。
【００９９】
本明細書における「および／または」という用語は、関連対象を説明するための関連関係を説明するに過ぎず、３つの関係が存在し得ることを表す。例えば、Ａおよび／またはＢは、以下の３つの場合、すなわち、Ａのみが存在すること、ＡおよびＢの両方が存在すること、ならびにＢのみが存在することを表し得る。加えて、本明細書における記号「／」は一般に、関連対象間の「または」という関係を示す。
【０１００】
具体的に、本発明の実施形態において提供される同期情報送信方法を明確に説明するべく、以下の実施形態において説明され得るいくつか概念を最初に説明する。
【０１０１】
本発明の実施形態におけるＵＥは、具体的には、車載デバイスもしくは路側ユニット（ＲＳＵ、Ｒｏａｄ  Ｓｉｄｅ  Ｕｎｉｔ）であり得るか、または、歩行者によって使用される携帯電話などのデバイスであり得る。代替的に、ＵＥは、中継機能を有するＵＥと基地局との間に中継リンクがあるかどうかという決定条件に従って、中継ＵＥ（すなわち、Ｒｅｌａｙ  ＵＥ）および遠端ＵＥ（Ｒｅｍｏｔｅ  ＵＥ）に分類され得る。本発明において、ＵＥが適用されるシナリオは限定されない。
【０１０２】
本発明におけるＤ２Ｄシステムは、３ＧＰＰプロトコルＲｅｌ−１２またはＲｅｌ−１３において規定される方式で通信が実行されるシステムである。このプロトコルにおいて、Ｄ２Ｄは、ＰｒｏＳｅ（Ｐｒｏｘｉｍｉｔｙ−ｂａｓｅｄ  Ｓｅｒｖｉｃｅｓ、近接ベースのサービス）という用語で示される。
【０１０３】
第１リンクとは、ＵＥ間のリンクである。Ｄ２Ｄシステムにおいて、第１リンクは、Ｄ２Ｄリンクまたはサイドリンク（ｓｉｄｅｌｉｎｋ）と称され得る。インターネットオブビークルにおいて、第１リンクは、Ｖ２Ｖリンク、Ｖ２Ｐ（Ｖｅｈｉｃｌｅ  ｔｏ  ｐｅｒｓｏｎ、ビークルツーパーソン）リンク、Ｖ２Ｉ（ｖｅｈｉｃｌｅ  ｔｏ  ｉｎｆｒａｓｔｒｕｃｔｕｒｅ、ビークルツーインフラストラクチャ）リンクまたはサイドリンクと称され得る。本発明の実施形態における第１リンクは、上記のリンクのいずれか１つであり得る。ただしこれに限定されない。
【０１０４】
加えて、第１リンクは、ブロードキャストモード、ユニキャストモードまたはマルチキャストモードのいずれか１つにおいて情報を送信するために使用され得る。
【０１０５】
第２リンクとは、ＵＥと基地局との間のリンク、例えば、ＵＥと当該ＵＥの担当基地局との間のリンク、または、ＵＥと近隣の基地局との間のリンクである。このリンクはセルラーリンクと称され得る。同様に、第２リンクは、ブロードキャストモード、ユニキャストモードまたはマルチキャストモードのいずれか１つにおいて情報を送信するために使用され得る。
【０１０６】
ＧＮＳＳ（ｇｌｏｂａｌ  ｎａｖｉｇａｔｉｏｎ  ｓａｔｅｌｌｉｔｅ  ｓｙｓｔｅｍ、全球測位衛星システム）などの衛星デバイスは、具体的には、様々な国および地域によって提供される測位衛星システム、例えば、中国の北斗衛星導航系統、米国のＧＰＳ衛星ナビゲーションシステム、欧州のガリレオ衛星ナビゲーションシステム、およびロシアのＧＬＯＮＡＳＳ衛星ナビゲーションシステムを含み得る。加えて、衛星デバイスは、タイミング能力が衛星と同等であるデバイスを含み得る。例えば、原子時計を有するタイミングデバイスのタイミング精度は衛星と同等である。本発明の以下の実施形態は、ＧＮＳＳが衛星デバイスとして使用される例を使用することによって説明を提供する。
【０１０７】
同期元とは、ＧＮＳＳ、基地局、またはＵＥなどの、ＵＥが直接同期されるデバイスである。例えば、ＵＥ１が同期元として使用されるとき、ＵＥ１は、タイミング情報および／または周波数情報を別のＵＥに提供し得る。ＵＥ１がＵＥ２の同期元であると決定された後、ＵＥ２は、ＵＥ１と同一のタイミング情報および／または周波数情報を使用し得る。
【０１０８】
第１同期情報とは、Ｖ２Ｘ（Ｖ２Ｖを含む）システムにおいて、同期元として使用することが可能なデバイスによって、同期される必要があるＵＥへ送信される指示情報および／または同期信号であり、同期元として使用されるデバイスの優先度を示すために使用され、これにより、同期される必要があるＵＥは、受信された複数の第１同期情報に従って、そのＵＥ自身の同期元を決定する。複数の異なる適用シナリオにおける第１同期情報の具体的な内容は、以下の実施形態において詳細に説明されるので、したがって、ここでは説明されない。
【０１０９】
第２同期情報とは、３ＧＰＰプロトコルＲｅｌ−１２またはＲｅｌ−１３において規定された方式でサイドリンクにおいて送信される同期情報であり、同期される必要があるＵＥへ送信される指示情報および／または同期信号を含み得る。
【０１１０】
本発明の実施形態においては、Ｖ２ＸシステムまたはＶ２Ｖシステムのみが、説明のための例として使用されることに留意すべきである。本発明の実施形態において提供される同期情報送信方法は、例えば、航空機間の同期、航空機と船舶との間の同期、船舶間の通信など、デバイス間で同期が実行される必要がある適用シナリオに適用され得ることが理解されるべきである。本発明の実施形態はこれに限定されない。
【０１１１】
具体的には、本発明の実施形態において提供される同期情報送信方法の中核的原理は、少なくとも１つの同期元、例えば第１ＵＥが、同期される必要がある第２ＵＥへ第１同期情報を送信し得ることである。第１同期情報は同期元として使用される第１ＵＥの優先度を示し得るので、第２ＵＥの同期元を選択するとき、第２ＵＥは、複数の受信された第１同期情報に従って、比較的高い優先度を有する第１ＵＥを第２ＵＥの同期元として選択し得て、これにより、インターネットオブビークルなどの、超高信頼性かつ低遅延通信のシナリオにおいて、ＵＥ間の同期の信頼性および精度を保証する。
【０１１２】
以下では、上記の中核的原理に関連して、本発明の実施形態において提供される同期情報送信方法の詳細を様々な適用シナリオにおいて説明する。
【０１１３】
［実施形態１］  図１に示されるように、図１は、本発明のこの実施形態に係る同期情報送信方法の具体的な適用シナリオを示す。このシナリオにおいて、ＵＥ１は基地局１のカバレッジエリア内にあり、ＵＥ１の同期元は基地局１であり、基地局１のタイミングはＧＮＳＳに由来し、ＵＥ２は基地局２のカバレッジエリア内にあり、ＵＥ２の同期元は基地局２であり、ＵＥ３は基地局１および基地局２のカバレッジエリア外にある。この場合、ＵＥ１またはＵＥ２、すなわち第１ＵＥが同期元として使用され得て、同期される必要があるＵＥ３、すなわち第２ＵＥへ第１同期情報を送信し得て、これにより、第２ＵＥは、第１同期情報に従って第２ＵＥの同期元を選択する。
【０１１４】
具体的には、本発明のこの実施形態に係る同期情報送信方法を示す図１に関連して、図２に示されるように、当該方法は具体的には以下の段階を備える。
【０１１５】
１０１（任意）：第１ＵＥが第１構成情報を取得し、第１構成情報は、第１ＵＥおよび第１ＵＥの同期元に使用される周波数情報および／またはタイミング情報を含む。
【０１１６】
任意で、第１ＵＥ、例えば図１におけるＵＥ１またはＵＥ２は、第１構成情報を基地局から取得し得る。
【０１１７】
第１構成情報は、第１ＵＥおよび第１ＵＥの同期元に使用される周波数情報および／またはタイミング情報を含む。
【０１１８】
例えば、第１構成情報は、具体的には、第１ＵＥが所在する第１リンクの周波数使用情報、および／または、第１ＵＥが所在する第２リンクのタイミング指示情報、および／または、第１ＵＥが所在する第１リンクのタイミング調整指示情報であり得る。
【０１１９】
例えば、第１構成情報によれば、第１ＵＥが所在する第１リンクに使用される周波数スペクトルは５ＧＨｚの周波数帯内にあり、第１ＵＥが所在する第２リンクについてのタイミングはＧＮＳＳのタイミングに揃えられる。
【０１２０】
１０２：第１ＵＥが第１同期情報を決定する。
【０１２１】
段階１０２において、第１ＵＥは、第１構成情報に従って第１同期情報を決定し得て、第１同期情報は、具体的には、第１リンクの周波数が第２リンクの周波数であるかどうかを示す情報、および／または、第２リンクについてのタイミングがＧＮＳＳに由来するかどうかを示す情報、および／または、第２リンクについてのタイミングがＧＮＳＳのタイミングに揃えられているかどうかを示す情報を含む。
【０１２２】
第１リンクの周波数が第２リンクの周波数と同一である場合、同期元として使用される第１ＵＥの優先度が比較的高いこと、または、比較的低いことを示し得る。同様に、第２リンクについてのタイミングがＧＮＳＳに由来するか、または、第２リンクについてのタイミングがＧＮＳＳのタイミングに揃えられている場合、同期元として使用される第１ＵＥの優先度が比較的高いか、または、比較的低いことを示し得る。
【０１２３】
代替的に、段階１０２において、第１ＵＥは、予め定められた方式で第１同期情報を取得し得る。例えば、第１ＵＥのメモリは、第１同期情報を予め記憶し得る。この場合、第１ＵＥは、第１同期情報を第１ＵＥのメモリから直接読み取り得る。
【０１２４】
１０３：第１ＵＥが第１同期情報を第２ＵＥへ送信する。
【０１２５】
具体的には、第１ＵＥは、第１同期情報を第２ＵＥへ送信し、第１同期情報は、ＰＳＢＣＨ（Ｐｈｙｓｉｃａｌ  Ｓｉｄｅｌｉｎｋ  Ｂｒｏａｄｃａｓｔ  Ｃｈａｎｎｅｌ、物理サイドリンクブロードキャストチャネル）チャネル上で、および／または、ＳＬＳＳ内において搬送され得る。
【０１２６】
例えば、指示がＰＳＢＣＨチャネルにおいて提供されるとき、第１リンクの周波数が第２リンクの周波数かどうかを示すために１ビットが使用され得る。ビットが０であるとき、第１リンクの周波数は第２リンクの周波数と異なり、ビットが１であるとき、第１リンクの周波数は第２リンクの周波数と同一である。指示がＰＳＢＣＨチャネルにおいて提供されるとき、第１リンクについてのタイミングがＧＮＳＳに由来するかどうかを示すために１ビットが使用され得る。ビットが０であるとき、第１リンクについてのタイミングはＧＮＳＳに由来せず、ビットが１であるとき、第１リンクについてのタイミングはＧＮＳＳに由来する。指示がＰＳＢＣＨチャネルにおいて提供されるとき、第１リンクについてのタイミングがＧＮＳＳのタイミングに揃えられているかどうかを示すために、１ビットが使用され得る。ビットが０であるとき、第１リンクについてのタイミングは、ＧＮＳＳのタイミングに揃えられておらず、ビットが１であるとき、第１リンクについてのタイミングは、ＧＮＳＳのタイミングに揃えられている。上記の情報の任意の１つは、ＰＳＢＣＨチャネルにおける未使用の予備フィールドを使用することによって示され得るか、または、ＰＳＢＣＨチャネルを使用することによって黙示的に示され得る。
【０１２７】
加えて、指示情報は、ＳＬＳＳ信号を使用することによって示され得る。すなわち、上記の情報の任意の１つは、２つの状態を使用することによって示され得る。
【０１２８】
指示は、具体的には、以下の方式のうちの任意の１つにおいて提供され得る。指示は、ＳＬＳＳにおける異なる複数のＰＳＳＳ（Ｐｒｉｍａｒｙ  Ｓｉｄｅｌｉｎｋ  Ｓｙｎｃｈｒｏｎｉｚａｔｉｏｎ  Ｓｉｇｎａｌ、一次サイドリンク同期信号）シーケンスを使用することによって提供される。指示は、ＳＬＳＳにおける異なる複数のＳＳＳＳ（Ｓｅｃｏｎｄａｒｙ  Ｓｉｄｅｌｉｎｋ  Ｓｙｎｃｈｒｏｎｉｚａｔｉｏｎ  Ｓｉｇｎａｌ、二次サイドリンク同期信号）シーケンスを使用することによって提供される。指示は、ＳＬＳＳにおける異なるＰＳＳＳシーケンスおよびＳＳＳＳシーケンスの組み合わせを使用することによって提供される。または、指示は、ＳＬＳＳにおけるＰＳＳＳおよび／またはＳＳＳＳの時間領域位置、および／または、ＰＳＳＳおよび／またはＳＳＳＳの周波数領域位置を使用することによって提供される。
【０１２９】
加えて、第１ＵＥによって第１同期情報を送信するための具体的な方法は、以下の実施形態において詳細に説明され、したがって、ここでは説明されない。
【０１３０】
１０４：第２ＵＥが第１同期情報を取得する。
【０１３１】
第２ＵＥは、図１におけるＵＥ３であり得る。ＵＥ３は、ネットワークによってカバーされていない。
【０１３２】
１０５：第２ＵＥが、第１同期情報に従って、第２ＵＥの同期元として第１ＵＥを使用するかどうかを決定する。
【０１３３】
具体的には、段階１０５では、段階１０４において取得された第１同期情報によると、第１リンクの周波数が第２リンクの周波数と同一である場合、第２ＵＥは、第１ＵＥを第２ＵＥの同期元として使用し得る。このようにして、第２ＵＥが第１ＵＥを同期元として選択するとき、第２ＵＥのタイミングは第２リンクにおける基地局のタイミングと同一なので、タイミングの違いに起因する、基地局の受信器または第２リンクにおけるＵＥの受信器に対する潜在的な干渉を回避できる。
【０１３４】
代替的に、段階１０４において取得された第１同期情報によると、第２リンクについてのタイミングがＧＮＳＳに由来する場合、第２ＵＥは、第１ＵＥを第２ＵＥの同期元として使用し得る。このようにして、第２ＵＥが第１ＵＥを同期元として選択するとき、第２ＵＥのタイミングは第２リンクにおける基地局のタイミングと同一なので、第１リンクにおける同期精度および安定性を改善できる。
【０１３５】
代替的に、段階１０４において取得された第１同期情報によると、第２リンクについてのタイミングがＧＮＳＳのタイミングに揃えられている場合、第２ＵＥは、第１ＵＥを第２ＵＥの同期元として使用し得る。このようにして、第２ＵＥが第１ＵＥを同期元として選択するとき、第２ＵＥのタイミングはＧＮＳＳのタイミングに揃えられているので、第１リンクにおけるすべてのＵＥのタイミングは同一であり、これにより、第１リンクにおけるＵＥの通信性能が保証される。
【０１３６】
代替的に、表１に記載されているように、段階１０４において取得される第１同期情報は、第１リンクの周波数が第２リンクの周波数と同一かどうか、および、第２リンクについてのタイミングが衛星デバイスに由来するかどうかを示す情報を含む。
【０１３７】
この場合、第２ＵＥは、表１に記載の方式で、第１ＵＥを第２ＵＥの同期元として使用するかどうかを決定し得る。
【表１】
2018537026.tif 000003
【０１３８】
本発明のこの実施形態において提供される同期情報送信方法によれば、図１に示される適用シナリオに基づくと、第１ＵＥは第１構成情報を取得した後、第１同期情報を決定し、同期される必要がある第２ＵＥへ第１同期情報を送信する。第１同期情報は、第１リンクの周波数と第２リンクの周波数との間の関係、および／または、第２リンクについてのタイミングとＧＮＳＳのタイミングとの間の関係を反映し得て、その結果、第２ＵＥは、第２ＵＥの同期元を選択するとき、第１同期情報に従って、比較的高い優先度を有するＵＥを第２ＵＥの同期元として選択でき、これにより、第２ＵＥの同期信頼性および同期精度を改善する。
【０１３９】
［実施形態２］
図３に示されるように、図３は、本発明のこの実施形態に係る同期情報送信方法の具体的な適用シナリオを示す。このシナリオにおいて、ＧＮＳＳは含まれず、ＵＥ１は基地局１のカバレッジエリア内にあり、ＵＥ１の同期元は基地局１であり、ＵＥ２は基地局２のカバレッジエリア内にあり、ＵＥ２の同期元は基地局２であり、ＵＥ３は基地局１および基地局２のカバレッジエリア外にある。この場合、ＵＥ１またはＵＥ２、すなわち第１ＵＥが同期元として使用され、同期される必要があるＵＥ３、すなわち第２ＵＥへ第１同期情報を送信し得て、その結果、第２ＵＥは、第１同期情報に従って第２ＵＥの同期元を選択する。
【０１４０】
本発明におけるカバレッジエリアとは、ＵＥが第２リンク（セルラーリンク）を使用することによって、第１リンクおよび／または第２リンクにおける通信に必要である、基地局によって送信されるシステムメッセージを受信できることを意味し、受信できない場合、ＵＥはカバレッジエリア外にあると見なされ得る。
【０１４１】
具体的には、本発明のこの実施形態に係る同期情報送信方法を示す図３に関連して、図４に示されるように、当該方法は具体的には以下の段階を備える。
【０１４２】
２０１（任意）：第１ＵＥが第２構成情報を取得する。第２構成情報は、第１ＵＥが所在するセルのカバレッジエリア情報を含む。
【０１４３】
任意で、第１ＵＥ、例えば図３におけるＵＥ１またはＵＥ２は、第２構成情報を基地局から取得し得る。
【０１４４】
第２構成情報は、第１ＵＥが所在するセルのカバレッジエリア情報を含む。
【０１４５】
例えば、第２構成情報は、具体的には、第１ＵＥのサービングセルの伝送電力情報、および／または、第１ＵＥのサービングセルのカバレッジ半径情報、および／または、第１ＵＥと第１ＵＥのサービングセルとの間の単方向または双方向ＴＡ（Ｔｉｍｉｎｇ  Ａｄｖａｎｃｅ、タイミングアドバンス）値についての情報であり得る。
【０１４６】
ＴＡ値とは、第１ＵＥと基地局との間の累計指定アドバンス値であり、ＵＥ自体によって取得され得るか、または、基地局によって指示される情報から取得され得る。この情報は、第１ＵＥが所在するセルのカバレッジエリア情報を反映し得る。例えば、第１ＵＥが所在するセルの伝送電力が高いことは、第１ＵＥが所在するセルのカバレッジエリアが大きいことを示す。
【０１４７】
２０２：第１ＵＥが第１同期情報を決定する。
【０１４８】
段階２０２において、第１ＵＥは、段階２０１において取得された第２構成情報に従って、第１同期情報を決定し得る。
【０１４９】
この場合、第１同期情報は、具体的には、第１ＵＥのサービングセルの伝送電力を示す情報（例えば、第１ＵＥが所在するセルの伝送電力が、予め設定された第１閾値より高いかどうか）、および／または、第１ＵＥのサービングセルのカバレッジ半径を示す情報（例えば、第１ＵＥが所在するセルのカバレッジ半径が、予め設定された第２閾値より高いかどうか）、および／または、第２リンクにおける第１ＵＥとサービングセルとの間のＴＡ値を示す情報（例えば、第１ＵＥと第１ＵＥの担当基地局との間の単方向または双方向ＴＡ値が、予め設定された第３閾値より高いかどうか）を含み得る。
【０１５０】
第１ＵＥが所在するセルのカバレッジ半径が小さいことは、同期元として使用される第１ＵＥの優先度が高いことを示していることに留意すべきである。第２ＵＥのタイミングが、より小さいカバレッジエリアを有するセルのタイミングと同一であるとき、潜在的な干渉信号がより小さいセルに到達した後、第２ＵＥのタイミングは、当該セルのタイミングに揃えられる。したがって、より大きいカバレッジエリアを有するセルに対する干渉は発生しない。特に、第１リンクのために使用される周波数スペクトルが第２リンクのアップリンク周波数スペクトルであるとき、第１リンクにおける伝送に起因して、第２リンクにおける基地局側の受信器に対して潜在的な干渉が発生する。より大きいセルについては、セルの半径がより大きい。したがって、ネットワーク外のＵＥが伝送を実行するとき、より大きいセルに対応する基地局側のアップリンク受信器に干渉することは、ほぼあり得ない。
【０１５１】
代替的に、第１ＵＥは、予め定められた方式で第１同期情報を取得し得る。例えば、第１ＵＥのメモリは、第１同期情報を予め記憶し得る。この場合、第１ＵＥは、第１同期情報を第１ＵＥのメモリから直接読み取り得る。
【０１５２】
同様に、第１同期情報は、送信のために、ＰＳＢＣＨチャネル上で、および／または、ＳＬＳＳ内において搬送され得る。
【０１５３】
２０３：第１ＵＥが第１同期情報を第２ＵＥへ送信する。
【０１５４】
２０４：第２ＵＥが第１同期情報を取得する。
【０１５５】
２０５：第２ＵＥが第１同期情報に従って、第１ＵＥを第２ＵＥの同期元として使用するかどうかを決定する。
【０１５６】
具体的には、段階２０５において、第１ＵＥが所在するセルの伝送電力が第１閾値より低い場合、第２ＵＥは、第１ＵＥを第２ＵＥの同期元として使用し、および／または、第１ＵＥが所在するセルのカバレッジ半径が第２閾値より低い場合、第２ＵＥは、第１ＵＥを第２ＵＥの同期元として使用し、および／または、第２リンクにおける第１ＵＥのＴＡ値が第３閾値より低い場合、第２ＵＥは第１ＵＥを第２ＵＥの同期元として使用する。
【０１５７】
加えて、第２ＵＥは、複数の第１ＵＥによって送信される第１同期情報を受信し得て、例えば、図３におけるＵＥ３は、ＵＥ１およびＵＥ２によって送信される第１同期情報を受信する。したがって、ＵＥ１およびＵＥ２によって送信された第１同期情報が上記の条件を満たす場合、ＵＥ３は、ＵＥ１またはＵＥ２のいずれかをＵＥ３の同期元として選択し得る。
【０１５８】
当然ながら、第１ＵＥは代替的に、第１ＵＥが属するサービングセルの伝送電力、カバレッジ半径、またはＴＡ値を第１同期情報として直接的に使用して第２ＵＥへ送信し得る。次に、第２ＵＥは、異なる第１同期情報を比較した後、第１同期情報において示される、最小のカバレッジ半径を有するセルに対応する第１ＵＥを第２ＵＥの同期元として選択し得る。
【０１５９】
本発明のこの実施形態において提供される同期情報送信方法によれば、図３に示される適用シナリオに基づくと、第１ＵＥは第２構成情報を取得した後、第１同期情報を決定し、同期される必要がある第２ＵＥへ第１同期情報を送信する。第１同期情報は、第１ＵＥの同期元、および、第１ＵＥが所在するセルのカバレッジエリア情報を反映し得て、その結果、第２ＵＥは、第２ＵＥの同期元を選択するとき、第１同期情報に従って、比較的小さいカバレッジエリアを有するセルに対応する第１ＵＥを第２ＵＥの同期元として選択でき、これにより、比較的小さい半径を有するセルカバレッジ領域における、基地局のアップリンク受信器に対する干渉を低減または除去する。
【０１６０】
［実施形態３］
図５に示されるように、図５は、本発明のこの実施形態に係る同期情報送信方法の具体的な適用シナリオを示す。ＵＥ１およびＵＥ２の両方は、基地局１のカバレッジエリア内にあり、ＵＥ１およびＵＥ２の同期元は基地局１であるが、距離ｄ１と距離ｄ２との間に比較的大きい差がある。ｄ１はＵＥ１と基地局１との間の距離を示し、ｄ２はＵＥ２と基地局１との間の距離を示す。その結果、ＵＥ２がＵＥ１によって送信された第１同期情報を受信したとき、遅延差が発生する。ＵＥ１とＵＥ２との間の距離はｄ１２である。
【０１６１】
遅延差ｔａｕは、以下のように求められる。
ｔａｕ＝（ｄ１−ｄ２＋ｄ１２）／ｃ
ここで、ｃは光速を示している。
【０１６２】
例えば、ｄ１＝２ｋｍ、ｄ２＝３００ｍ、ｄ１２＝４００ｍである場合、ｔａｕ＝７ｕｓの等式が真になる。遅延差がＣＰの長さより大きい場合、ＵＥ１によって送信された信号をＵＥ２が検出したとき、ある程度のシンボル間干渉が発生する。結果として、信号品質が低下する。遅延および信頼性の影響を比較的受けやすいインターネットオブビークルシステムにおいて、ＵＥ１によって送信されたデータパケットがＵＥ２によって検出されなかった場合、伝送誤りが発生する。誤りが複数回にわたって発生するのでパケット損失が発生し、その結果、遅延の増加および伝送メッセージの損失につながる。
【０１６３】
これに鑑みて、本発明のこの実施形態は、同期情報送信方法を提供する。第１ＵＥ（例えば図５におけるＵＥ１）は、第１同期情報を基地局から、または、予め定められた方式で取得し得て、第１同期情報は、同期信号ＳＬＳＳであり得る。この場合、第２リンクにおける第１ＵＥと第１ＵＥの担当基地局（すなわち基地局１）との間のＴＡ値が第４の予め設定された値より高い場合、第１ＵＥはＳＬＳＳを送信するようにトリガされる。第４の予め設定された値は、基地局によって指示されるか、または、予め設定される。
【０１６４】
第１ＵＥは、同期信号送信サイクル内の予め設定された位置においてＳＬＳＳを送信し得るか、または、第１リンク伝送リソースが送信されるサブフレームの前の１つのサブフレームもしくはいくつかのサブフレーム内でＳＬＳＳを送信し得ることに留意すべきである。
【０１６５】
さらに、図６に示されるように、図６は、本発明の実施形態に係る同期情報送信方法の別の具体的な適用シナリオを示す。この適用シナリオにおいて、基地局１および基地局２は、同期または非同期の状態であり、ＵＥ１およびＵＥ２はそれぞれ、基地局１および基地局２のカバレッジエリア内にあるが、基地局１のカバレッジエリアと基地局２のカバレッジエリアとの間には比較的大きい違いがある。この場合、上記の適用シナリオと同様に、ＵＥ２がＵＥ１によって送信された第１同期情報を受信したとき、まだ遅延差が発生している。
【０１６６】
これに鑑みて、本発明のこの実施形態は、同期情報送信方法を提供する。第１ＵＥは第１セル内に所在し、第２ＵＥは第１セルに隣接する第２セル内に所在すると想定する。図７に示されるように、方法は以下の段階を備える。
【０１６７】
３０１：第１ＵＥが第１同期情報を取得する。第１同期情報は、同期信号ＳＬＳＳであり得る。
【０１６８】
具体的には、第１ＵＥ（例えば図６におけるＵＥ１）は、第１同期情報を基地局から、または、予め定められた方式で取得し得て、第１同期情報は、同期信号ＳＬＳＳであり得る。
【０１６９】
さらに、第１ＵＥは、第１セルおよび第２セルのタイミング情報、ならびに／または、第１セルおよび第２セルの同期状態情報、ならびに／または、第１セルおよび第２セルのカバレッジ半径情報、ならびに／または、第１セルおよび第２セルの伝送電力情報を取得し得る。
【０１７０】
３０２：第１ＵＥと第２ＵＥとの間のタイミング遅延が、予め設定されたトリガ条件を満たす場合、第１ＵＥが第１同期情報を送信し、その結果、第２ＵＥが、受信した第１同期情報に従って、第２ＵＥの同期元を選択する。
【０１７１】
予め設定されたトリガ条件は、第１セルのタイミングと第２セルのタイミングとの間の差が第１の予め設定された値より高いこと、第１セルのタイミングおよび第２セルのタイミングが非同期状態であること、第１セルのカバレッジ半径と第２セルのカバレッジ半径との間の差が第２の予め設定された値より高いこと、または、第１セルの伝送電力と第２セルの伝送電力との間の差が第３の予め設定された値より高いことのうちの少なくとも１つを含む。
【０１７２】
このようにして、上記のトリガ条件が満たされたとき、第１ＵＥは、第１同期情報を送信、すなわち、ＳＬＳＳを送信する。第１の予め設定された値、第２の予め設定された値、および、第３の予め設定された値は、シグナリングを使用することによって基地局によって指示され得るか、または、予め設定され得る。
【０１７３】
実施形態３に示される２つの適用シナリオにおいて、第１ＵＥが第１同期情報を送信するためのトリガ条件が追加され、その結果、これらの条件に従ってＳＬＳＳを送信するように第１ＵＥをトリガでき、これにより、ＵＥによって、第１リンクにおいて、送信されるようにトリガされたＳＬＳＳを使用することによって、第１リンクにおけるより良い同期が実装されることが分かる。その結果、遅延差に起因してＵＥ間で発生する、パケット損失または検出誤りなどの問題を減らすことができ、これにより、第１リンク全体の通信性能が改善する。
【０１７４】
［実施形態４］
図８に示されるように、図８は、本発明のこの実施形態に係る同期情報送信方法の具体的な適用シナリオを示す。このシナリオにおいて、基地局１のカバレッジエリアには、２種類のＵＥ、すなわち、基地局１と直接通信する中継ＵＥ、および、中継ＵＥを使用することによって基地局１と通信できる、スマートバンドもしくは別のウェアラブルデバイスなどの遠端ＵＥがある。任意で、遠端ＵＥと基地局１との間には、直接的なリンクがあっても無くてもよい。
【０１７５】
この適用シナリオにおいて、いずれの種類のＵＥも第１同期信号を送信できる場合、不必要な伝送が何度も実行され、その結果、遠端ＵＥの電力消費が増加する。加えて、サイズおよび費用の制約に起因して、遠端ＵＥの水晶発振子の安定性および品質は、中継ＵＥより低い。したがって、中継ＵＥのタイミングが、中継ＵＥと遠端ＵＥとの間のリンクにおける同期のための基準として使用される場合、通信信頼性および性能が改善される。例えば、遠端ＵＥの水晶発振子の安定性は約４０ｐｐｍであり、中継ＵＥの水晶発振子の安定性は、２０ｐｐｍ内で維持される。
【０１７６】
具体的には、本発明のこの実施形態に係る同期情報送信方法を示す図８に関連して、図９に示されるように、当該方法は具体的には以下の段階を備える。
【０１７７】
４０１：第１ＵＥが第２ＵＥによって送信された同期信号を受信する。
【０１７８】
具体的には、第１ＵＥは、図８における中継ＵＥであり得て、第１ＵＥは、任意の種類の第２ＵＥによって送信された同期信号を受信できる。
【０１７９】
同期信号は、ＳＬＳＳ＿ｎｅｔのいくつかのサブセットであり得て、または、ＳＬＳＳ＿ｏｏｎのいくつかのサブセットであり得る。これらのサブセットは、基地局によって構成されるか、または、予め設定され、特に、遠端ＵＥが同期信号を送信するときに使用される。
【０１８０】
ＳＬＳＳ＿ｎｅｔは、同期信号シーケンス識別子のセットであり、第１ＵＥがネットワークカバレッジエリア内の同期元であることを示すために使用される。ＳＬＳＳ＿ｏｏｎ（ＳＬＳＳ  ｏｕｔ  ｏｆ  ｎｅｔｗｏｒｋ）は、ネットワークカバレッジエリア外のＳＬＳＳである。
【０１８１】
４０２：第２ＵＥが遠端ＵＥであることを同期信号が示し、かつ、同期信号の信号品質が予め設定された閾値より高い場合、第１ＵＥが第１同期情報を決定する。
【０１８２】
予め設定された閾値は、基地局によって構成されるか、または、予め設定される。
【０１８３】
段階４０２において、伝送端すなわち第２ＵＥが遠端ＵＥであることを段階４０１における同期信号が示す場合、同期信号の信号品質がさらに検出され得る。例えば、信号品質は、ＲＳＲＰ（Ｒｅｆｅｒｅｎｃｅ  Ｓｉｇｎａｌ  Ｒｅｃｅｉｖｉｎｇ  Ｐｏｗｅｒ、基準信号受信電力）、ＲＳＲＱ（Ｒｅｆｅｒｅｎｃｅ  Ｓｉｇｎａｌ  Ｒｅｃｅｉｖｉｎｇ  Ｑｕａｌｉｔｙ、基準信号受信品質）、または、ＲＳＳＩ（Ｒｅｃｅｉｖｅｄ  Ｓｉｇｎａｌ  Ｓｔｒｅｎｇｔｈ  Ｉｎｄｉｃａｔｏｒ、受信信号強度指標）のいずれか１つである。このとき、同期信号の信号品質が予め設定された閾値より高い場合、第１ＵＥは、第１同期情報を決定する。
【０１８４】
第１ＵＥによって第１同期情報を決定するための方法については、上記の実施形態のいずれかを参照してよい。したがって、ここでは詳細を再度説明しない。
【０１８５】
４０３：第１ＵＥが第１同期情報を送信し、その結果、第２ＵＥが、受信された第１同期情報に従って、第２ＵＥの同期元を選択する。
【０１８６】
図８に示される適用シナリオにおいて、上記のプロセスによれば、遠端ＵＥが基地局のカバレッジエリア内にあるかどうかにかかわらず、および、第２リンクにおける中継ＵＥの信号品質にかかわらず、中継ＵＥのみが遠端ＵＥと中継ＵＥとの間のデータ通信中に第１同期情報を送信することが分かる。これにより、ＵＥ間の同期が実装され、遠端ＵＥの電力消費が減少する。
【０１８７】
［実施形態５］
具体的には、第２ＵＥがより高い精度の同期元を第２ＵＥの同期元として選択することを助けるべく、本発明のこの実施形態は、同期情報送信方法を提供する。図１０に示されるように、方法は具体的には、以下の段階を備える。
【０１８８】
５０１：第２ＵＥが第１同期情報を取得する。
【０１８９】
第１同期情報は、具体的には、異なる種類の同期元の優先度情報、および／または、異なる種類の同期元の同期信号品質閾値を含み得る。
【０１９０】
例えば、第１同期情報において、優先度の降順が以下の通りであることが規定されている。
【０１９１】
ネットワーク外のＵＥの受信器については、同期元の優先度は、ＧＮＳＳ、ＧＮＳＳと同期されているＵＥ、基地局と同期されているＵＥ、ローカルのタイミングを使用するＵＥの順序である。
【０１９２】
ネットワーク内のＵＥの受信器については、同期元の優先度は、基地局に基づいて構成され得て、優先度は、基地局、基地局と同期されているＵＥ、衛星、衛星と同期されているＵＥの順序であり得るか、または、衛星、基地局、基地局と同期されているＵＥ、衛星と同期されているＵＥの順序であり得る。
【０１９３】
様々な同期元の優先度に対応する同期信号品質閾値は、閾値１、閾値２、閾値３および閾値４である。これらの閾値は、基地局によって構成され得るか、または、予め設定され得る。
【０１９４】
５０２：第２ＵＥが、第１同期情報に従って、第１ＵＥを第２ＵＥの同期元として使用するかどうかを決定する。
【０１９５】
具体的には、第２ＵＥが第１同期情報を第１ＵＥから受信し、第１ＵＥの同期元がＧＮＳＳであり、ＧＮＳＳの優先度が最高である場合、第２ＵＥは、第１ＵＥを第２ＵＥの同期元として優先的に選択し得る。さらに、第２ＵＥは、第１ＵＥの信号品質が閾値１より高いかどうかを決定し、第１ＵＥの信号品質が閾値１より高い場合、第１ＵＥを第２ＵＥの同期元として使用することを決定する。
【０１９６】
第１ＵＥの信号品質が閾値１より高くない場合、第２ＵＥは、別のＵＥによって送信された第１同期情報に従って、優先度がＧＮＳＳより低い同期元を選択し得る。優先度がＧＮＳＳより低い同期元の信号品質が対応する閾値より高いとき、優先度がＧＮＳＳより低い同期元を第２ＵＥの同期元として使用し得る。
【０１９７】
特に、ＧＮＳＳが同期元として使用されるとき、比較的高い同期精度が達成されるので、第１同期情報はさらに、第１ＵＥのタイミングソース情報、および、第１ＵＥのネットワークカバレッジ情報を含み得る。
【０１９８】
例えば、１ビットのｉｎＧＮＳＳフィールドが第１同期情報として使用され得る。第１同期情報が「１」であるとき、第１ＵＥのタイミングが衛星に由来することが示される。第１同期情報が「０」であるとき、第１ＵＥのタイミングが衛星に由来しないことが示される。
【０１９９】
別の例については、表２に記載されている方式が、２種類の同期元を示すために使用され得る。
【表２】
2018537026.tif 000004
【０２００】
ＳＬＳＳ＿ｏｏｎは、同期信号シーケンス識別子のセットであり、第１ＵＥがネットワークカバレッジエリア外の同期元であることを示すために使用される。ＳＬＳＳ＿ｎｅｔは、同期信号シーケンス識別子のセットであり、第１ＵＥがネットワークカバレッジエリア内の同期元であることを示すために使用される。
【０２０１】
この場合、第１ＵＥのタイミングがＧＮＳＳに由来し、かつ、第１ＵＥがネットワークカバレッジエリアの外にある場合、第２ＵＥは、第１ＵＥを第２ＵＥの同期元として使用する。
【０２０２】
第２ＵＥは、複数の同期元（すなわち、複数の第１ＵＥ）によって送信された同期信号を受信したとき、第１同期情報に従って、比較的高い優先度および比較的高い信号品質を有する第１ＵＥを第２ＵＥの同期元として選択し得て、これにより、第２ＵＥの同期信頼性および同期精度を改善することが分かる。
【０２０３】
［実施形態６］  実施形態１から実施形態４の各々において、第１ＵＥが第１同期情報を送信する段階が説明されている。この実施形態においては、第１ＵＥが第１同期情報を送信する具体的な方式が重点的に説明されている。この方式の結果、受信端として使用される第２ＵＥは、物理層において、Ｄ２Ｄシステムにおける同期情報（本発明の実施形態において第２同期情報と称される）と第１同期情報とを区別でき、これにより、第２ＵＥによって実行される検出を単純化する。
【０２０４】
具体的には、Ｄ２Ｄ通信プロトコルは、３ＧＰＰプロトコルＲｅｌ−１２およびＲｅｌ−１３において定義され、通信プロトコルは通常、セルラー通信の周波数スペクトル上で使用される。
【０２０５】
インターネットオブビークル通信においては、より多くの周波数スペクトル、例えば、インテリジェントトラフィックシステム（Ｉｎｔｅｌｌｉｇｅｎｔ  Ｔｒａｆｆｉｃ  Ｓｙｓｔｅｍ，  ＩＴＳ）周波数スペクトル、すなわち、５．９ＧＨｚ付近の周波数スペクトルが使用され得る。この周波数スペクトルは、非セルラー通信周波数スペクトルである。当然ながら、代替的にセルラー通信周波数スペクトルがインターネットオブビークル通信において使用され得る。
【０２０６】
換言すると、同一の周波数スペクトルがＤ２Ｄシステムおよびインターネットオブビークルシステムにおいて使用されるという適用シナリオがある。したがって、セルラー通信周波数スペクトルにおいて、Ｄ２Ｄサービスおよびインターネットオブビークルサービスの両方が存在し得る。本発明のこの実施形態は、データが復調される前に、受信端（例えば、第２ＵＥ）が２つのサービスを区別することを助けるためのものである。さもなければ、Ｄ２Ｄ受信端がインターネットオブビークルサービスを受信および復調し、インターネットオブビークルにおける受信端がＤ２Ｄサービスを受信および復調するという問題が発生する。すなわち、物理層で復調が実行された後に初めて、２つのサービスをサービスレイヤで区別でき、これにより、受信端によって実行される不必要な検出および電力消費が発生する。
【０２０７】
これに鑑みて、本発明のこの実施形態は、同期情報送信方法を提供し、その結果、ＵＥ間で同期が実行されるとき、後続の通信サービスがＤ２Ｄサービスか、または、インターネットオブビークルサービスかを決定できる。
【０２０８】
具体的には、方法は、第１ＵＥが第１リンクにおいて第１同期情報を送信する段階を備え、第１同期情報は、３ＧＰＰプロトコルＲｅｌ−１２およびＲｅｌ−１３において定義されている第２同期情報と異なる。
【０２０９】
第１同期情報が第２同期情報と異なることは、具体的には、以下のうちの少なくとも１つを含む。
【０２１０】
１．第１同期情報における同期信号の、同期サブフレームにおけるシンボル位置が、第２同期情報における同期信号の、同期サブフレームにおけるシンボル位置と異なる。
【０２１１】
２．第１同期情報における同期信号の、同期サブフレームにおけるシンボル数が、第２同期情報における同期信号の、同期サブフレームにおけるシンボル数と異なる。
【０２１２】
３．第１同期情報における同期信号に使用されるシーケンスが、第２同期情報における同期信号に使用されるシーケンスと異なる。
【０２１３】
４．第１同期情報における同期信号に使用されるシーケンスの周波数領域マッピング方式が、第２同期情報における同期信号に使用されるシーケンスの周波数領域マッピング方式と異なる。
【０２１４】
５．第１同期情報を搬送する制御チャネルが、第２同期情報を搬送する制御チャネルと異なる。
【０２１５】
以下では、第１同期情報が第２同期情報と異なる、５つの具体的な場合を詳細に説明する。
【０２１６】
１．第１同期情報における同期信号（すなわちＳＬＳＳであり、ＳＬＳＳはＰＳＳＳおよびＳＳＳＳを含む）の、同期サブフレームにおけるシンボル位置が、第２同期情報における同期信号の、同期サブフレームにおけるシンボル位置と異なる。
【０２１７】
具体的には、図１１は、従来技術の通常ＣＰ（Ｃｙｃｌｉｃ  Ｐｒｅｆｉｘ、サイクリックプリフィクス）の場合における、第２同期情報におけるＰＳＳＳおよびＳＳＳＳの位置を示し、図１２は、従来技術の拡張ＣＰの場合における、第２同期情報におけるＰＳＳＳおよびＳＳＳＳの位置を示す。
【０２１８】
本発明では、通常ＣＰの場合、第２同期情報におけるＰＳＳＳのシンボル位置が移動され得る。図１１における第１タイムスロットのシンボル１におけるＰＳＳＳは、第１タイムスロットの別のシンボル、例えば、シンボル０、４、５または６にマッピングされ、第１同期情報におけるＰＳＳＳを取得する。代替的に、第２同期情報におけるＰＳＳＳのシンボル位置が移動され得る。図１１における第１タイムスロットのシンボル２におけるＰＳＳＳは、第１タイムスロットの別のシンボル、例えば、シンボル０、４、５または６にマッピングされ、第１同期情報におけるＰＳＳＳを取得する。ＧＡＰは、送信される信号が無いことを示す。
【０２１９】
本発明では、拡張ＣＰの場合、第２同期情報におけるＰＳＳＳのシンボル位置が移動され得る。図１２における第１タイムスロットのシンボル０におけるＰＳＳＳは、第１タイムスロットの別のシンボル、例えば、シンボル３、４または５にマッピングされ、第１同期情報におけるＰＳＳＳを取得する。代替的に、第２同期情報におけるＰＳＳＳのシンボル位置が移動され得る。図１２における第１タイムスロットのシンボル１におけるＰＳＳＳは、第１タイムスロットの別のシンボル、例えば、シンボル３、４または５にマッピングされ、第１同期情報におけるＰＳＳＳを取得する。
【０２２０】
同様に、通常ＣＰの場合、第２同期情報におけるＳＳＳＳのシンボル位置は移動され得る。図１１における第２タイムスロットのシンボル４および５におけるＳＳＳＳは、同期サブフレームにおける２つの連続するデータシンボル、例えば、タイムスロット１におけるシンボル４および５、タイムスロット１におけるシンボル５および６、タイムスロット１におけるシンボル６およびタイムスロット２におけるシンボル０、タイムスロット２におけるシンボル０および１、または、タイムスロット２におけるシンボル１および２にマッピングされ、最後に第１同期情報におけるＳＳＳＳを取得する。代替的に、第２同期情報におけるＳＳＳＳのシンボル位置は移動され得る。図１１における第２タイムスロットのシンボル４またはシンボル５におけるＳＳＳＳは、サブフレームにおける別のデータシンボル位置にマッピングされ、最後に第１同期情報におけるＳＳＳＳを取得する。
【０２２１】
拡張ＣＰの場合、第２同期情報におけるＳＳＳＳのシンボル位置は移動され得て、図１２における第２タイムスロットのシンボル３および４におけるＳＳＳＳは、同期サブフレームにおける２つの連続するデータシンボル、例えば、タイムスロット１におけるシンボル３および４、タイムスロット１におけるシンボル５および０、または、タイムスロット２におけるシンボル０および１にマッピングされ、第１同期情報におけるＳＳＳＳを取得する。代替的に、第２同期情報におけるＳＳＳＳのシンボル位置は移動され得る。図１２における第２タイムスロットのシンボル３またはシンボル４におけるＳＳＳＳは、サブフレームにおける別のデータシンボル位置にマッピングされ、最後に第１同期情報におけるＳＳＳＳを取得する。
【０２２２】
ＳＳＳＳのシンボル位置が移動された後、データシンボルがＳＳＳＳの元のシンボル位置に追加されることに留意すべきである。同様に、ＰＳＳＳのシンボル位置が移動された後、データシンボルがＰＳＳＳの元のシンボル位置に追加される。
【０２２３】
２．第１同期情報における同期信号の、同期サブフレームにおけるシンボル数が、第２同期情報における同期信号の、同期サブフレームにおけるシンボル数と異なる。
【０２２４】
例えば、通常ＣＰの場合、ＰＳＳＳの元の位置は変化せず、１または２つのＰＳＳＳシンボルが同期サブフレームにおける第１タイムスロットのシンボル０および／またはシンボル３に追加され得る。代替的に、ＳＳＳＳの元の位置は変化せず、１または２つのＳＳＳＳシンボルが同期サブフレームにおける第２タイムスロットのシンボル２および／またはシンボル３に追加され得る。
【０２２５】
加えて、ＤＭＲＳ（Ｄｅｍｏｄｕｌａｔｉｏｎ  Ｒｅｆｅｒｅｎｃｅ  Ｓｉｇｎａｌ、復調参照信号）が同期サブフレームにおける第１タイムスロットのシンボル５、および、同期サブフレームにおける第２タイムスロットのシンボル１へ移動され得る。
【０２２６】
拡張ＣＰの場合、ＰＳＳＳの元の位置は変化せず、１つのＰＳＳＳシンボルが同期サブフレームにおける第１タイムスロットのシンボル３に追加され得る。代替的に、ＳＳＳＳの元の位置は変化せず、１つのＳＳＳＳシンボルが同期サブフレームにおける第２タイムスロットのシンボル２に追加され得る。
【０２２７】
同様に、ＤＭＲＳが、同期サブフレームにおける第１タイムスロットのシンボル４、および、同期サブフレームにおける第２タイムスロットのシンボル０の両方へ移動され得る。
【０２２８】
このようにして、同期信号におけるＰＳＳＳおよびＳＳＳＳの数を増加させることにより、同期サブフレーム全体において同期信号を復調する性能を改善することができる。
【０２２９】
３．第１同期情報における同期信号に使用されるシーケンスが、第２同期情報における同期信号に使用されるシーケンスと異なる。
【０２３０】
具体的には、上記の違いは、以下の１または複数の態様に存在する。第１同期情報における同期信号に使用される第１同期シーケンスが、第２同期情報における同期信号に使用される第１同期シーケンスと異なる。または、第１同期情報における同期信号に使用される第２同期シーケンスが、第２同期情報における同期信号に使用される第２同期シーケンスと異なる。または、第１同期情報における同期信号に使用される第１同期シーケンスおよび第２同期シーケンスの組み合わせ方式が、第２同期情報における同期信号に使用される第１同期シーケンスおよび第２同期シーケンスの組み合わせ方式と異なる。
【０２３１】
例えば、従来技術のＤ２Ｄにおいて使用される第２同期シーケンスは、以下の方式で生成される。ＰＳＳＳ同期シーケンスについては、従来技術のＤ２Ｄ通信技術において、ＰＳＳＳシーケンスは、長さが６３であるＺａｄｏｆｆ−Ｃｈｕシーケンスを使用することによって生成され、ルートシーケンス２６および３７は、ＰＳＳＳシーケンスに使用される。本発明において、ルートシーケンス２６および３７と異なるルートシーケンス（すなわち、第１同期シーケンス）、例えば、ルートシーケンスｘおよびｙが使用され得て、ここで、ｘおよびｙは２６および３７と異なる値である。
【０２３２】
代替的に、Ｄ２Ｄ通信と異なるシーケンスが使用され得る。例えば、ｍシーケンス、Ｇｏｌｄシーケンス、または別の擬似ランダムシーケンスが使用される。
【０２３３】
代替的に、異なるＺＣシーケンスが、第１同期情報における２つのＰＳＳＳシンボルに使用され得る。例えば、ルート番号（２６，３７）もしくは（３７，２６）を有するＺＣシーケンス、または、ルート番号（Ｘ，Ｙ）を有するシーケンスが、２つの隣接ＰＳＳＳの各々に使用され、ここで、ＸはＹに等しくない。
【０２３４】
ＳＳＳＳ同期シーケンスについては、従来技術のＤ２Ｄ通信技術において、二次同期シーケンスがＬＴＥ（Ｌｏｎｇ  Ｔｅｒｍ  Ｅｖｏｌｕｔｉｏｎ、ロングタームエボリューション）システムと同一であるシステムが、ＳＳＳＳシーケンスに使用される。実際には、ＳＳＳＳシーケンスは、長さが３１であるｍシーケンスを使用することによって生成されるＧｏｌｄシーケンスであり、対応するシーケンス番号は、０〜１６７である。
【０２３５】
Ｄ２Ｄ通信技術において使用されるシーケンスは、インターネットオブビークルにおける第１同期情報のＳＳＳＳにも使用され得るが、シーケンス番号は、１６７より大きい、ＬＴＥシステムのために確保されたシーケンスの番号であり得る。
【０２３６】
代替的に、異なるＳＳＳＳシーケンス番号が、２つのＳＳＳＳシーケンスが所在するシンボルにマッピングされ得るか、または、副搬送波へのシーケンスのマッピングが異なる方式で実行される。例えば、ＬＴＥシステムにおける、各ダウンリンクシステムフレームのサブフレーム０およびダウンリンクサブフレーム５のＳＳＳＳシーケンスが使用されるか、または、シーケンスを副搬送波にマッピングするための、以下の異なる方式が使用される。
【０２３７】
４．第１同期情報における同期信号に使用されるシーケンスの周波数領域マッピング方式が、第２同期情報における同期信号に使用されるシーケンスの周波数領域マッピング方式と異なる。
【０２３８】
具体的には、ＬＴＥシステムにおけるセルラーダウンリンクにおける各システムフレームのサブフレーム５におけるダウンリンク二次同期シーケンスが第２同期シーケンスとして使用され得て、および／または、第２同期シーケンスによって占有された偶数の副搬送波および奇数の副搬送波はそれぞれ、第２リンクにおけるサブフレーム０またはサブフレーム５における二次同期シーケンスの奇数の副搬送波および偶数の副搬送波上のシーケンスに対応する。
【０２３９】
例えば、従来技術のＤ２Ｄ通信技術において、ＬＴＥセルラーダウンリンクにおける各システムサブフレームのサブフレーム０におけるシーケンスが第２同期情報におけるＳＳＳＳシーケンスに使用され、マッピング方式は次式（１）で示される。
【数１】
2018537026.tif 000005
ここで、
【数２】
2018537026.tif 000006
は、偶数の副搬送波にマッピングされるシーケンスを示し、
【数３】
2018537026.tif 000007
は、奇数の副搬送波にマッピングされるシーケンスを示し、
【数４】
2018537026.tif 000008
、および、
【数５】
2018537026.tif 000009
は、
【数６】
2018537026.tif 000010
を生成するためのシーケンスであり、
【数７】
2018537026.tif 000011
、
【数８】
2018537026.tif 000012
、および、
【数９】
2018537026.tif 000013
は、
【数１０】
2018537026.tif 000014
を生成するためのシーケンスである。
【０２４０】
本発明のこの実施形態において、任意の方法は以下の通りである。
【０２４１】
方法１：ＬＴＥサブフレーム０におけるシーケンスは、第１同期情報におけるＳＳＳＳシーケンスとして使用され得るが、奇数の副搬送波および偶数の副搬送波にマッピングされるシーケンスは交換可能である。この場合、マッピング方式は次式（２）で示される。
【数１１】
2018537026.tif 000015
【０２４２】
方法２：ＬＴＥサブフレーム５におけるシーケンスが第１同期情報におけるＳＳＳＳシーケンスとして使用され得る。具体的な実装は以下の通りである。
【０２４３】
第１マッピング方式：このマッピング方式は、数式（１）と同様であり、次式（３）で示される。
【数１２】
2018537026.tif 000016
【０２４４】
第２マッピング方式：上記の数式（３）とは対照的に、奇数の副搬送波および偶数の副搬送波に対応するシーケンスは交換可能である。この場合、マッピング方式は次式（４）で示される。
【数１３】
2018537026.tif 000017
【０２４５】
５．第１同期情報を搬送する制御チャネルは、第２同期情報を搬送する制御チャネルと異なる。
【０２４６】
具体的な実施形態において、ここでは、制御チャネルは、第１同期情報を搬送するＰＳＢＣＨチャネルであり得る。
【０２４７】
具体的には、上記の違いは、以下のような１または複数の態様にある。
【０２４８】
（１）第１同期情報を搬送する制御チャネルに使用される復調参照信号は、第２同期情報を搬送する制御チャネルに使用される復調参照信号と異なる。
【０２４９】
例えば、第１同期情報を搬送する制御チャネルに使用される復調参照信号のシーケンスは、第２同期情報を搬送する制御チャネルに使用される復調参照信号のシーケンスと異なる。または、第１同期情報を搬送する制御チャネルに使用される復調参照信号のシンボル位置は、第２同期情報を搬送する制御チャネルに使用される復調参照信号のシンボル位置と異なる。または、第１同期情報を搬送する制御チャネルに使用される復調参照信号によって占有されるシンボル数は、第２同期情報を搬送する制御チャネルに使用される復調参照信号によって占有されるシンボル数と異なる。
【０２５０】
可能な設計において、拡張ＣＰサブフレームについては、図１３に示されるように、同期サブフレームにおけるタイムスロット１のシンボル５において、新しく追加されたＤＭＲＳシンボルがある。図１４に示されるように、同期サブフレームにおけるタイムスロット１のシンボル４およびタイムスロット２のシンボル０の各々において新しく追加されたＤＭＲＳシンボルがある。
【０２５１】
別の可能な設計において、通常ＣＰサブフレームについては、図１５に示されるように、ＤＭＲＳシンボルがタイムスロット１のシンボル６に追加され得て、ＤＭＲＳシンボルがタイムスロット２のシンボル０に追加され得る。図１６に示されるように、ＤＭＲＳシンボルがタイムスロット１のシンボル６およびタイムスロット２のシンボル０の両方に追加され得て、ＤＭＲＳシンボルは、タイムスロット１のシンボル５およびタイムスロット２のシンボル１の両方に追加され得る。
【０２５２】
任意で、タイムスロット１のシンボル１およびシンボル２における２つのＰＳＳＳシンボルが、シンボル０およびシンボル１に追加され得る。
【０２５３】
このようにして、ＤＭＲＳを使用することによってすべてのデータシンボルを推定する最適な性能を保証できる。加えて、第１タイムスロットにおいて、ＰＳＳＳがシンボル０の位置へ移動された後、シンボル０にはデータシンボルが無く、シンボル２におけるデータシンボルはＤＭＲＳに隣接し、その結果、データシンボルを推定する性能を保証できる。これにより、インターネットオブビークルにおいて、車両が高速で移動しているとき、車両の通信性能を改善できる。
【０２５４】
（２）第１同期情報を搬送する制御チャネルに使用されるＣＲＣ（Ｃｙｃｌｉｃ  Ｒｅｄｕｎｄａｎｃｙ  Ｃｈｅｃｋ、巡回冗長検査）マスクは、第２同期情報を搬送する制御チャネルに使用されるＣＲＣマスクと異なる。
【０２５５】
Ｄ２Ｄシステムにおいて、１６ビットＣＲＣがＰＳＢＣＨチャネルに使用され、ＣＲＣマスクは使用されない。すなわち、ＣＲＣマスクは、長さ１６のオールゼロビットを有する。
【０２５６】
例えば、インターネットオブビークルにおいて、長さ１６の非オールゼロビットを有するＣＲＣマスクが、第１同期情報を搬送する制御チャネルに追加され得て、これにより、Ｄ２ＤシステムにおけるＰＳＢＣＨとインターネットオブビークルにおけるＰＳＢＣＨとを区別する。
【０２５７】
例えば、インターネットオブビークルにおける第１同期情報のＰＳＢＣＨのＣＲＣマスク、および、Ｄ２Ｄシステムにおける第２同期情報のＰＳＢＣＨのＣＲＣマスクが表３に記載されている。
【表３】
2018537026.tif 000018
【０２５８】
（４）第１同期情報を搬送する制御チャネルのパケットサイズは、第２同期情報を搬送する制御チャネルのパケットサイズと異なる。
【０２５９】
例えば、Ｄ２Ｄシステムにおいて、ＰＳＢＣＨチャネルのパケットサイズは４０ビットであり、インターネットオブビークルシステムにおいて、ＰＳＢＣＨチャネルのパケットサイズは増加または減少し得て、その結果、受信端すなわち第２ＵＥは、伝送端によって使用されるＰＳＢＣＨチャネルを正確に検出できない。
【０２６０】
（５）第１同期情報を搬送する制御チャネルに使用される、スクランブルシーケンスの初期値、または、初期値の計算パラメータは、第２同期情報を搬送する制御チャネルに使用される、スクランブルシーケンスの初期値、または、初期値の計算パラメータと異なる。
【０２６１】
現在、Ｄ２ＤシステムにおけるＰＳＢＣＨチャネルに使用される、スクランブルシーケンスの初期値は、
【数１４】
2018537026.tif 000019
であり、インターネットオブビークルシステムにおいてＰＳＢＣＨに使用される初期値は、インターネットオブビークルシステムにおいて使用されるＩＤ、例えば、
【数１５】
2018537026.tif 000020
に変更され得る。当該ＩＤは、Ｄ２Ｄシステムにおいて使用されるＩＤと異なる。
【０２６２】
代替的に、インターネットオブビークルシステムにおけるスクランブルシーケンスの初期値は、
【数１４】
2018537026.tif 000021
以外の値、例えば、
【数１６】
2018537026.tif 000022
に設定され得て、Δは非ゼロの定数である。
【０２６３】
本発明のこの実施形態において提供される同期情報送信方法によれば、インターネットオブビークルシステムにおける第１同期情報は、Ｄ２Ｄシステムにおける第２同期情報と異なるように設定され、その結果、同期を実行するとき、受信端として使用される第２ＵＥは、後続の通信サービスがＤ２Ｄサービスか、または、インターネットオブビークルサービスかを決定できる。これにより、第１ＵＥまたは第２ＵＥによって実行される検出が簡略化し、不必要な誤検出が回避される。
【０２６４】
［実施形態７］  実施形態６において、第１同期情報を送信するための具体的な方法が提供されている。第１同期情報は、同期サブフレームにおける制御チャネル、例えばＰＳＢＣＨチャネル上で搬送され得て、同期サブフレームにおけるＤＭＲＳの数は、少なくとも３に増加し得る。この場合、使用可能なデータシンボルの数は減少し、ＰＳＢＣＨチャネルのビットレートは増加する。結果として、受信端、すなわち第２ＵＥの検出性能が低下する。
【０２６５】
加えて、従来技術のＤ２Ｄシステムにおける同期サイクルは４０ｍｓである。受信器（例えば第２ＵＥ）を同期信号と同期させるには数百ミリ秒かかり、その結果、信号を検出するために過剰に長い時間がかかる。根本原因は、既存のＤ２Ｄ同期信号の性能が望ましくないことである。
【０２６６】
これに鑑みて、本発明のこの実施形態は、第１同期情報送信方法を提供する。第１同期情報は周期的に送信されるので、同期サイクルにおいて、第１同期情報は、Ｎ個の同期サブフレームを使用することによって送信され得て、ここで、Ｎは２より小さくない正の整数である。
【０２６７】
具体的には、各同期サブフレームにおける第１同期情報を送信する具体的な方式については、実施形態６において提供される方法を参照されたい。したがって、ここでは詳細を再度説明しない。
【０２６８】
Ｎ個の同期サブフレームは、同期サイクルにおけるＮ個の隣接サブフレームであり、または、Ｎ個の同期サブフレームの間の時間間隔は、同期サイクルの１／Ｎである。
【０２６９】
好ましくは、図１７に示されているように、第１同期情報を送信するために、２つの同期サブフレーム（すなわち、第１同期サブフレームおよび第２同期サブフレーム）が使用され得る。加えて、２つのサブフレームにおける同期信号は、同一でも異なっていてもよい。
【０２７０】
例えば、第１同期情報を送信するために、２つの同期サブフレーム（すなわち、第１同期サブフレームおよび第２同期サブフレーム）が使用される。第１同期サブフレームにおける第１同期シーケンスは、第２同期サブフレームにおける第１同期シーケンスと異なり、および／または、第１同期サブフレームにおける第２同期シーケンスは、第２同期サブフレームにおける第２同期シーケンスと異なる。
【０２７１】
例えば、第１同期サブフレームおよび第２同期サブフレームにおける同期信号は厳密に同一である。例えば、一次同期信号は同一であり、ＬＴＥ二次同期サブフレーム１における信号は、二次同期信号として使用される。
【０２７２】
代替的に、第１同期サブフレームおよび第２同期サブフレームにおける同期信号は異なる。例えば、一次同期信号は異なる。すなわち、第１同期サブフレームにおける一次同期信号は、第２同期サブフレームにおける一次同期信号と異なり得て、ここで、２つの一次同期信号は、同一のシンボルである。代替的に、ＬＴＥサブフレーム０における二次同期信号およびＬＴＥサブフレーム５における二次同期信号はそれぞれ、第１同期サブフレームおよび第２同期サブフレームにおいて使用され得る。
【０２７３】
Ｎ個の同期サブフレームを使用することによって第１同期情報が送信される上記の適用シナリオにおいて、ＰＳＢＣＨチャネルなどの制御チャネルについてのマッピング方法は、以下の通りである。第１同期情報を搬送する制御チャネルは、少なくともＭ個の部分を含み、Ｍ個の部分はそれぞれ、Ｎ個の同期サブフレームにマッピングされる。または、第１同期情報を搬送する制御チャネルは、同期サイクルにおいてＭ回伝送され、ここで、Ｍは２より小さくない正の整数である。
【０２７４】
例えば、２つの同期サブフレーム（すなわち、第１同期サブフレームおよび第２同期サブフレーム）が、第１同期情報を送信するために使用される。制御チャネルを２つのサブフレームにマッピングすることは、以下の通りであり得る。
【０２７５】
ＰＳＢＣＨチャネルについての内容の同一部分はそれぞれ、第１同期サブフレームおよび第２同期サブフレームにマッピングされ得る。すなわち、１チャネルについての内容の２つの同一部分が送信される。
【０２７６】
代替的に、チャネル符号化、ＣＲＣ、および変調（ＱＰＳＫなど）がＰＳＢＣＨチャネルについての内容の１つの部分に対して実行され得て、処理されたＰＳＢＣＨチャネルは、２つの部分に分割され、２つの部分はそれぞれ、第１同期サブフレームおよび第２同期サブフレームにマッピングされる。すなわち、１つのチャネルについての２つの異なる部分はそれぞれ、２つのサブフレームにマッピングされ、送信される。
【０２７７】
さらに、Ｎ個の同期サブフレームが１組の同期リソースとして使用され得る場合、少なくとも２組の同期リソースが同期サイクルに含まれ得る。図１８に示されるように、サブフレーム００およびサブフレーム０１は、１組の同期リソースとして使用され、サブフレーム１０およびサブフレーム１１は、別の組の同期リソースとして使用される。
【０２７８】
この場合、第１ＵＥは、第１同期情報を送信するとき、第１同期情報を送信するために、少なくとも２組の同期リソースのうちの１つを選択し得て、別の組の同期リソースを使用して、別のＵＥによって送信された同期情報、例えば第３同期情報を受信し得る。
【０２７９】
換言すると、１組の同期リソースを使用して第１同期情報を送信するとき、第１ＵＥは、別の組の同期リソースを同時に使用して、別のＵＥによって送信された同期情報を受信し得る。これにより、第１ＵＥが第１同期情報を送信するとき、別のＵＥ、すなわち、別の同期元によって送信された同期信号を同時に検出できないという場合を回避する。
【０２８０】
本発明のこの実施形態に提供される同期情報送信方法によれば、Ｎ個の同期サブフレームを使用することによって、同期サイクルにおいて第１同期情報が送信され、その結果、ＤＭＲＳの数を保証しながら、同期サブフレームにおけるデータシンボルの数を増加させることができる。この結果、制御チャネルのビットレートが減少し、これにより、第２ＵＥによる、制御チャネルおよび第１同期情報の検出の性能が改善する。
【０２８１】
［実施形態８］  図１９は、本発明のこの実施形態に係る同期情報送信装置の概略構造図である。本発明のこの実施形態において提供される同期情報送信装置は、図１から図１８に示される本発明の実施形態における方法を実装するように構成され得る。説明を容易にするため、本発明のこの実施形態に関連する部分のみを説明する。開示されていない技術的詳細については、図１から図１８に示される本発明の実施形態を参照されたい。
【０２８２】
同期情報送信装置は、具体的には、携帯電話または車両などのＵＥ、例えば、実施形態１から実施形態７における第１ＵＥであり得る。
【０２８３】
図１９に示されるように、同期情報送信装置は決定ユニット０１および送信ユニット０２を備える。
【０２８４】
決定ユニット０１は、第１同期情報を決定するように構成されている。ここで、第１同期情報は、同期元として使用される第１ＵＥの優先度を示すために使用される。
【０２８５】
送信ユニット０２は、第１同期情報を送信するように構成され、その結果、第２ＵＥは、受信された第１同期情報に従って、第２ＵＥの同期元を選択する。
【０２８６】
第１同期情報は同期元として使用される第１ＵＥの優先度を示し得るので、第２ＵＥの同期元を選択するとき、第２ＵＥは、複数の受信された第１同期情報に従って、比較的高い優先度を有する第１ＵＥを第２ＵＥの同期元として選択し得て、これにより、インターネットオブビークルなどの、超高信頼性かつ低遅延通信のシナリオにおいて、ＵＥ間の同期の信頼性および精度を保証する。
【０２８７】
さらに、図２０に示されているように、装置は、基地局から、または、予め定められた方式で、第１構成情報を取得するように構成されている取得ユニット０３をさらに備え、ここで、第１構成情報は、第１ＵＥおよび第１ＵＥの同期元に使用される周波数情報および／またはタイミング情報を含み、第１ＵＥの同期元のタイミングは衛星デバイスに由来し、ここで、第１同期情報は、第１リンクの周波数が第２リンクの周波数であるかどうかを示す情報、および／または、第２リンクについてのタイミングが衛星デバイスに由来するかどうかを示す情報、および／または、第２リンクについてのタイミングが衛星デバイスのタイミングに揃えられているかどうかを示す情報を含み、ここで、第２リンクは、第１ＵＥと基地局との間のリンクであり、第１リンクは、第１ＵＥと第２ＵＥとの間のリンクである。
【０２８８】
このようにして、第１リンクの周波数が第２リンクの周波数と同一であり、かつ、第２ＵＥが第１ＵＥを同期元として選択するとき、第２ＵＥのタイミングが第２リンクにおける基地局のタイミングと同一であるので、タイミングの違いに起因する、第２リンクにおける基地局の受信器またはＵＥの受信器に対する潜在的な干渉を回避できる。第２リンクについてのタイミングが衛星デバイスに由来し、かつ、第２ＵＥが第１ＵＥを同期元として選択するとき、第２ＵＥのタイミングが第２リンクにおける基地局のタイミングと同一であるので、第１リンクにおける同期精度および安定性を改善できる。
【０２８９】
代替的に、取得ユニット０３は、基地局から、または、予め定められた方式で、第２構成情報を取得するように構成され、ここで、第２構成情報は、第１ＵＥが所在するセルのカバレッジエリア情報を含み、第１ＵＥの同期元のタイミングは、衛星デバイスと無関係であり、ここで、第１同期情報は、第１ＵＥのサービングセルの伝送電力を示す情報、および／または、第１ＵＥのサービングセルのカバレッジ半径を示す情報、および／または、第２リンクにおける第１ＵＥとサービングセルとの間のＴＡ値を示す情報を含む。
【０２９０】
第１同期情報は、第１ＵＥの同期元、および、第１ＵＥが所在するセルのカバレッジエリア情報を反映し得て、その結果、第２ＵＥは、第２ＵＥの同期元を選択するとき、第１同期情報に従って、比較的小さいカバレッジエリアを有するセルに対応する第１ＵＥを第２ＵＥの同期元として選択でき、これにより、比較的小さい半径を有するセルカバレッジ領域における、基地局のアップリンク受信器に対する干渉を低減または除去する。
【０２９１】
さらに、決定ユニット０１は、具体的には、基地局から、または、予め定められた方式で第１同期情報を取得するように構成され、第１同期情報は第１サイドリンク同期信号ＳＬＳＳを含み、送信ユニット０２は、第１ＵＥと第２ＵＥとの間のタイミング遅延が予め設定されたトリガ条件を満たしている場合、第１同期情報を送信するように構成されている。
【０２９２】
第１ＵＥが第１セルに所在し、第２ＵＥが第１セルに隣接する第２セルに所在する場合、予め設定されたトリガ条件は、第１セルのタイミングと第２セルのタイミングとの間の差が第１の予め設定された値より高いこと、第１セルのタイミングおよび第２セルのタイミングが非同期状態であること、第１セルのカバレッジ半径と第２セルのカバレッジ半径との間の差が第２の予め設定された値より高いこと、または、第１セルの伝送電力と第２セルの伝送電力との間の差が第３の予め設定された値より高いことのうちの少なくとも１つを含む。
【０２９３】
対応して、第１ＵＥおよび第２ＵＥの両方が第１セルに所在する場合、予め設定されたトリガ条件は、第２リンクにおける第１ＵＥのＴＡ値が第４の予め設定された値より高いことである。
【０２９４】
第１ＵＥが第１同期情報を送信するためのトリガ条件が追加され、その結果、これらの条件に従ってＳＬＳＳを送信するように第１ＵＥをトリガでき、これにより、ＵＥによって、第１リンクにおいて、送信されるようにトリガされたＳＬＳＳを使用することによって、第１リンクにおけるより良い同期が実装される。その結果、遅延差に起因してＵＥ間で発生する、パケット損失または検出誤りなどの問題を減らすことができ、これにより、第１リンク全体の通信性能が改善する。
【０２９５】
例えば、第１同期情報は第１リンク物理制御チャネルおよび／またはＳＬＳＳにおいて搬送される。
【０２９６】
代替的に、決定ユニット０１は、第２ＵＥによって送信された同期信号を受信するように、および、第２ＵＥが遠端ＵＥであることを同期信号が示し、かつ、同期信号の信号品質が予め設定された閾値より高い場合、第１同期情報を決定するように構成されている。
【０２９７】
このようにして、上記のプロセスによれば、遠端ＵＥが基地局のカバレッジエリア内にあるかどうかにかかわらず、および、第２リンクにおける中継ＵＥの信号品質にかかわらず、中継ＵＥのみが遠端ＵＥと中継ＵＥとの間のデータ通信中に第１同期情報を送信する。これにより、ＵＥ間の同期が実装され、遠端ＵＥの電力消費が減少する。
【０２９８】
例えば、第１同期情報は、以下のいずれか１つを含む。第１同期情報は、第１ＵＥのタイミングが衛星デバイスと同一であることを示し、第１同期情報は、第１ＵＥがネットワーク内にあることを示すシーケンスを含み、第１ＵＥがネットワーク内に由来すること、かつ、第１ＵＥのタイミングが衛星デバイスと同期状態であることを意味する。第１同期情報は、第１ＵＥのタイミングが衛星デバイスと同一であることを示し、第１同期情報は、第１ＵＥがネットワーク外にあることを示すシーケンスを含み、第１ＵＥがネットワーク外に由来すること、かつ、第１ＵＥのタイミングが衛星デバイスと同一であることを意味する。第１同期情報は、第１ＵＥのタイミングが衛星デバイスと異なることを示し、第１同期情報は、第１ＵＥがネットワーク内にあることを示すシーケンスを含み、第１ＵＥがネットワーク内に由来すること、かつ、第１ＵＥのタイミングが衛星デバイスと異なることを意味する。または、第１同期情報は、第１ＵＥのタイミングが衛星デバイスと異なることを示し、第１同期情報は、第１ＵＥがネットワーク外にあることを示すシーケンスを含み、第１ＵＥがネットワーク外にあること、かつ、自身のタイミングを使用することを意味する。
【０２９９】
図２１は、本発明の実施形態に係る同期情報送信装置の概略構造図である。本発明のこの実施形態において提供される同期情報送信装置は、図１から図１８に示される本発明の実施形態における方法を実装するように構成され得る。説明を容易にするため、本発明のこの実施形態に関連する部分のみを説明する。開示されていない技術的詳細については、図１から図１８に示される本発明の実施形態を参照されたい。
【０３００】
同期情報送信装置は、具体的には、携帯電話または車両などのＵＥ、例えば、実施形態６および実施形態７における第１ＵＥであり得る。
【０３０１】
図２１に示されるように、同期情報送信装置は決定ユニット１１および送信装置１２を備える。
【０３０２】
決定ユニット１１は、第１同期情報を決定するように構成されている。
【０３０３】
送信ユニット１２は、第１リンクにおいて、第１同期情報を送信するように構成され、第１同期情報は第２同期情報と異なり、第１リンクは、第１ＵＥと第２ＵＥとの間のリンクである。
【０３０４】
第１同期情報が第２同期情報と異なることは、具体的には、第１同期情報における同期信号の、同期サブフレームにおけるシンボル位置が、第２同期情報における同期信号の、同期サブフレームにおけるシンボル位置と異なること、第１同期情報における同期信号の、同期サブフレームにおけるシンボル数が、第２同期情報における同期信号の、同期サブフレームにおけるシンボル数と異なること、第１同期情報における同期信号に使用されるシーケンスが、第２同期情報における同期信号に使用されるシーケンスと異なること、第１同期情報における同期信号に使用されるシーケンスの周波数領域マッピング方式が、第２同期情報における同期信号に使用されるシーケンスの周波数領域マッピング方式と異なること、または、第１同期情報を搬送する制御チャネルが、第２同期情報を搬送する制御チャネルと異なることのうちの少なくとも１つを含む。
【０３０５】
具体的には、第１同期情報における同期信号に使用されるシーケンスが、第２同期情報における同期信号に使用されるシーケンスと異なることは、第１同期情報における同期信号に使用される第１同期シーケンスが、第２同期情報における同期信号に使用される第１同期シーケンスと異なること、第１同期情報における同期信号に使用される第２同期シーケンスが、第２同期情報における同期信号に使用される第２同期シーケンスと異なること、または、第１同期情報における同期信号に使用される第１同期シーケンスおよび第２同期シーケンスの組み合わせ方式が、第２同期情報における同期信号に使用される第１同期シーケンスおよび第２同期シーケンスの組み合わせ方式と異なること、のうちの少なくとも１つを含む。
【０３０６】
第１同期情報における同期信号に使用されるシーケンスの周波数領域マッピング方式が、第２同期情報における同期信号に使用されるシーケンスの周波数領域マッピング方式と異なることは、第２リンクにおけるサブフレーム５におけるダウンリンク二次同期シーケンスが第２同期シーケンスとして使用されることであって、第２リンクは、第１ＵＥと基地局との間のリンクである、こと、および／または、第２同期シーケンスによって占有される偶数の副搬送波および奇数の副搬送波はそれぞれ、第２リンクにおけるサブフレーム０またはサブフレーム５における、二次同期シーケンスの奇数の副搬送波および偶数の副搬送波に対応するシーケンスに対応することを含む。
【０３０７】
第１同期情報を搬送する制御チャネルが、第２同期情報を搬送する制御チャネルと異なることは、具体的には、第１同期情報を搬送する制御チャネルに使用される復調参照信号が、第２同期情報を搬送する制御チャネルに使用される復調参照信号と異なること、第１同期情報を搬送する制御チャネルに使用されるＣＲＣマスクが、第２同期情報を搬送する制御チャネルに使用されるＣＲＣマスクと異なること、第１同期情報を搬送する制御チャネルのパケットサイズが、第２同期情報を搬送する制御チャネルのパケットサイズと異なること、または、第１同期情報を搬送する制御チャネルに使用される、スクランブルシーケンスの初期値、または、初期値の計算パラメータが、第２同期情報を搬送する制御チャネルに使用される、スクランブルシーケンスの初期値、または、初期値の計算パラメータと異なることのうちの少なくとも１つを含む。
【０３０８】
第１同期情報を搬送する制御チャネルに使用される復調参照信号が、第２同期情報を搬送する制御チャネルに使用される復調参照信号と異なることは、第１同期情報を搬送する制御チャネルに使用される復調参照信号のシーケンスが、第２同期情報を搬送する制御チャネルに使用される復調参照信号のシーケンスと異なること、第１同期情報を搬送する制御チャネルに使用される復調参照信号のシンボル位置が、第２同期情報を搬送する制御チャネルに使用される復調参照信号のシンボル位置と異なること、または、第１同期情報を搬送する制御チャネルに使用される復調参照信号によって占有されるシンボル数が、第２同期情報を搬送する制御チャネルに使用される復調参照信号によって占有されるシンボル数と異なることのうちの少なくとも１つを含む。
【０３０９】
例えば、通常ＣＰの場合、第１同期情報を搬送する制御チャネルは、同期サブフレームにおける、第１タイムスロットのシンボル３および６、ならびに、第２タイムスロットのシンボル０および３を占有し、または、第１同期情報を搬送する制御チャネルは、同期サブフレームにおける、第１タイムスロットのシンボル３および５、ならびに、第２タイムスロットのシンボル１および３を占有し、拡張ＣＰの場合、第１同期情報を搬送する制御チャネルは、同期サブフレームにおける、第１タイムスロットのシンボル２および５、ならびに、第２タイムスロットのシンボル２を占有し、または、第１同期情報を搬送する制御チャネルは、同期サブフレームにおける、第１タイムスロットのシンボル２および４、ならびに、第２タイムスロットのシンボル０および２を占有する。
【０３１０】
このようにして、インターネットオブビークルシステムにおける第１同期情報は、Ｄ２Ｄシステムにおける第２同期情報と異なるように設定され、その結果、同期を実行するとき、受信端として使用される第２ＵＥは、後続の通信サービスがＤ２Ｄサービスか、または、インターネットオブビークルサービスかを決定できる。これにより、第１ＵＥまたは第２ＵＥによって実行される検出を簡略化し、不必要な誤検出を回避する。
【０３１１】
さらに、送信ユニット１２は、具体的には、Ｎ個の同期サブフレームを使用することによって、同期サイクルにおいて、第１同期情報を送信するように構成され、Ｎは２より小さくない正の整数である。
【０３１２】
Ｎ個の同期サブフレームは、同期サイクルにおけるＮ個の隣接サブフレームであるか、または、Ｎ個の同期サブフレームの間の時間間隔は、同期サイクルの１／Ｎである。
【０３１３】
例えば、Ｎ個の同期サブフレームが第１同期サブフレームおよび第２同期サブフレームを含む場合、第１同期サブフレームにおける第１同期シーケンスは、第２同期サブフレームにおける第１同期シーケンスと異なり、および／または、第１同期サブフレームにおける第２同期シーケンスは、第２同期サブフレームにおける第２同期シーケンスと異なる。
【０３１４】
さらに、送信ユニット１２は、具体的には、少なくとも２組の同期リソースのうちの１つを使用することによって、第１同期情報を送信し、および、少なくとも２組の同期リソースにおける別の組の同期リソースを使用することによって、別のＵＥによって送信された第３同期情報を受信するように構成されている。
【０３１５】
このようにして、第１同期情報は、同期サイクルにおいて、Ｎ個の同期サブフレームを使用することによって送信され、その結果、ＤＭＲＳの数を保証しながら、同期サブフレームにおけるデータシンボルの数を増加させることができる。この結果、制御チャネルのビットレートが減少し、これにより、第２ＵＥによる、制御チャネルおよび第１同期情報の検出の性能が改善する。
【０３１６】
図２２は、本発明の実施形態に係る同期情報送信装置の概略構造図である。本発明の実施形態において提供される同期情報送信装置は、図１から図１８に示される本発明のこの実施形態における方法を実装するように構成され得る。説明を容易にするため、本発明のこの実施形態に関連する部分のみを説明する。開示されていない技術的詳細については、図１から図１８に示される本発明の実施形態を参照されたい。
【０３１７】
同期情報送信装置は、具体的には、携帯電話または車両などのＵＥ、例えば、実施形態１から実施形態７における第２ＵＥであり得る。
【０３１８】
図２２に示されるように、同期情報送信装置は、取得ユニット２１および決定ユニット２２を備える。
【０３１９】
取得ユニット２１は、第１同期情報を取得するように構成されている。ここで、第１同期情報は、同期元として使用される第１ＵＥの優先度を示すために使用される。
【０３２０】
決定ユニット２２は、第１同期情報に従って、第１ＵＥを第２ＵＥの同期元として使用するかどうかを決定するように構成されている。
【０３２１】
さらに、決定ユニット２２は、具体的には、第１リンクの周波数が第２リンクの周波数である場合、第２ＵＥによって、第１ＵＥを第２ＵＥの同期元として使用し、または、第２リンクについてのタイミングが衛星デバイスに由来する場合、第２ＵＥによって、第１ＵＥを第２ＵＥの同期元として使用し、または、第１リンクの周波数が第２リンクの周波数であり、かつ、第２リンクのタイミングが衛星デバイスに由来する場合、第２ＵＥによって、第１ＵＥを第２ＵＥの同期元として使用するように構成されている。
【０３２２】
第１同期情報は、第１リンクの周波数が第２リンクの周波数かどうかを示す情報、および／または、第２リンクについてのタイミングが衛星デバイスに由来するかどうかを示す情報、および／または、第２リンクについてのタイミングが衛星デバイスのタイミングに揃えられているかどうかを示す情報を含み、第２リンクは、第１ＵＥと基地局との間のリンクであり、第１リンクは、第１ＵＥと第２ＵＥとの間のリンクである。
【０３２３】
代替的に、決定ユニット２２は、具体的には、第１ＵＥが所在するセルの伝送電力が第１閾値より低い場合、第２ＵＥによって、第１ＵＥを第２ＵＥの同期元として使用し、および／または、第１ＵＥが所在するセルのカバレッジ半径が第２閾値より低い場合、第２ＵＥによって、第１ＵＥを第２ＵＥの同期元として使用し、および／または、第２リンクにおける第１ＵＥのＴＡ値が第３閾値より低い場合、第２ＵＥによって、第１ＵＥを第２ＵＥの同期元として使用するように構成されている。
【０３２４】
第１同期情報は、第１ＵＥが所在するセルの伝送電力を示す情報を備え、および／または、第１ＵＥが所在するセルのカバレッジ半径を示す情報、および／または、第２リンクにおける第１ＵＥのタイミングアドバンスＴＡ値を示す情報を含む。
【０３２５】
代替的に、決定ユニット２２は、具体的には、最高優先度を有する同期元を選択するように構成され、最高優先度を有する同期元の信号品質が、最高優先度を有する同期元に対応する信号品質閾値より低いとき、最高優先度を有する同期元より低い優先度を有する同期元を第２ＵＥの同期元として選択し、第１同期情報は、異なる種類の同期元の優先度情報、および／または、異なる種類の同期元の同期信号品質閾値を含む。
【０３２６】
代替的に、決定ユニット２２は、具体的には、第１ＵＥのタイミングソース情報が、第１ＵＥのタイミングが衛星デバイスに由来することを示し、かつ、第１ＵＥのネットワークカバレッジ情報が、第１ＵＥがネットワークカバレッジエリア外にあることを示す場合、第２ＵＥによって、第１ＵＥを第２ＵＥの同期元として使用するように構成され、第１同期情報は、第１ＵＥのタイミングソース情報、および、第１ＵＥのネットワークカバレッジ情報を含む。
【０３２７】
加えて、図２３に示されるように、図１９から図２２の同期情報送信装置は、図２３におけるユーザ機器ＵＥとして実装され得る。
【０３２８】
図２３は、本発明の実施形態に係るユーザ機器の概略図である。ユーザ機器１００は、少なくとも１つのプロセッサ３１、通信バス３２、メモリ３３および少なくとも１つの通信インタフェース３４を備える。加えて、プロセッサ３１、通信インタフェース３４およびメモリ３３は、通信バス３２を使用することによって互いに通信する。
【０３２９】
例えば、決定ユニット０１、１１および２２、送信ユニット０２および１２、ならびに取得ユニット０３および２１は、図２３に示されるプロセッサ３１が、メモリ３３内の命令を呼び出すことによって実装され得る。
【０３３０】
具体的には、メモリ３３は、コンピュータ実行可能命令を記憶するように構成される。プロセッサ３１は、通信バス３２を使用することによってメモリ３３に接続される。ユーザ機器１００が動作しているとき、プロセッサ３１は、メモリ３３に記憶されたコンピュータ実行可能命令を実行し、その結果、ユーザ機器１００は、図１から図１８に示される同期情報送信方法を実行する。
【０３３１】
プロセッサ３１は、中央処理装置（英語：ｃｅｎｔｒａｌ  ｐｒｏｃｅｓｓｉｎｇ  ｕｎｉｔ、略称：ＣＰＵ）であり得る。プロセッサ２１は、代替的に、別の汎用プロセッサ、デジタル信号プロセッサ（英語：ｄｉｇｉｔａｌ  ｓｉｇｎａｌ  ｐｒｏｃｅｓｓｏｒ、略称：ＤＳＰ）、特定用途向け集積回路（英語：ａｐｐｌｉｃａｔｉｏｎ  ｓｐｅｃｉｆｉｃ  ｉｎｔｅｇｒａｔｅｄ  ｃｉｒｃｕｉｔ、略称：ＡＳＩＣ）、フィールドプログラマブルゲートアレイ（英語：ｆｉｅｌｄ−ｐｒｏｇｒａｍｍａｂｌｅ  ｇａｔｅ  ａｒｒａｙ、略称：ＦＰＧＡ）、別のプログラマブル論理デバイス、ディスクリートゲートもしくはトランジスタ論理デバイス、または、ディスクリートハードウェアコンポーネントなどであり得る。汎用プロセッサはマイクロプロセッサであり得るか、または、プロセッサは従来のプロセッサなどであり得る。
【０３３２】
プロセッサ３１は、ユーザ機器１００の制御中心である。プロセッサ３１は、通信インタフェース３４によって受信されたデータを処理し、メモリ３３内のソフトウェアを呼び出すか、または、メモリ３３内のプログラムを呼び出し、ユーザ機器１００の様々な機能を実行する。
【０３３３】
通信バス３２は、チャネルを含み得て、上記コンポーネントの間で情報を伝達する。通信インタフェース３４は、任意のトランシーバなどの装置を使用して、別のデバイス、または、Ｅｔｈｅｒｎｅｔ（登録商標）、無線アクセスネットワーク（ＲＡＮ）、または、無線ローカルエリアネットワーク（Ｗｉｒｅｌｅｓｓ  Ｌｏｃａｌ  Ａｒｅａ  Ｎｅｔｗｏｒｋｓ、ＷＬＡＮ）などの通信ネットワークと通信する。
【０３３４】
メモリ３３は、リードオンリメモリ（ｒｅａｄ−ｏｎｌｙ  ｍｅｍｏｒｙ、ＲＯＭ）もしくは静的情報および命令を記憶し得る別の種類の静的ストレージデバイス、または、ランダムアクセスメモリ（ｒａｎｄｏｍ  ａｃｃｅｓｓ  ｍｅｍｏｒｙ、ＲＡＭ）もしくは情報および命令を記憶し得る別の種類の動的ストレージデバイスであり得て、または、電気消去可能プログラマブルリードオンリメモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスクリードオンリメモリ（Ｃｏｍｐａｃｔ  Ｄｉｓｃ  Ｒｅａｄ−Ｏｎｌｙ  Ｍｅｍｏｒｙ、ＣＤ‐ＲＯＭ）もしくは別の光ディスクストレージ、光ディスクストレージ（コンパクトディスク、レーザディスク、光ディスク、デジタルバーサタイルディスクまたはブルーレイディスクなどを含む）、磁気ディスク記憶媒体、別の磁気ストレージデバイス、または、所望のプログラムコードを命令もしくはデータの構造的な形式で保持もしくは記憶するために使用でき、コンピュータによってアクセスできる任意の他の媒体であり得るが、これに限定されない。メモリは独立に存在し得て、バスを使用することによってプロセッサに接続される。代替的に、メモリは、プロセッサと統合され得る。
【０３３５】
メモリ３３は、本発明の解決法において、アプリケーションプログラムコードを記憶および実行するように構成され、プロセッサ３１は実行を制御する。プロセッサ３１は、メモリ３３に記憶されたアプリケーションプログラムコードを実行するように構成されている。
【０３３６】
具体的な実装中、ある実施形態において、プロセッサ３１は、１または複数のＣＰＵ、例えば、図２３におけるＣＰＵ０およびＣＰＵ１を含み得る。
【０３３７】
具体的な実装中、ある実施形態において、ユーザ機器１００は、複数のプロセッサ、例えば、図２３におけるプロセッサ３１およびプロセッサ３８を備え得る。プロセッサの各々は、シングルコアプロセッサ（ｓｉｎｇｌｅ−ＣＰＵ）であり得るか、または、マルチコアプロセッサ（ｍｕｌｔｉ−ＣＰＵ）であり得る。ここでは、プロセッサは、１または複数のデバイス、回路、および／または、データ（例えばコンピュータプログラム命令）を処理するためのプロセッシングコアであり得る。
【０３３８】
具体的な実装中、ある実施形態において、ユーザ機器１００はさらに、出力デバイス３５および入力デバイス３６を備え得る。出力デバイス３５はプロセッサ３１と通信し、複数の方式で情報を表示し得る。例えば、出力デバイス３５は、液晶ディスプレイ（ｌｉｑｕｉｄ  ｃｒｙｓｔａｌ  ｄｉｓｐｌａｙ、ＬＣＤ）、発光ダイオード（ｌｉｇｈｔ  ｅｍｉｔｔｉｎｇ  ｄｉｏｄｅ、ＬＥＤ）ディスプレイデバイス、陰極線管（ｃａｔｈｏｄｅ  ｒａｙ  ｔｕｂｅ、ＣＲＴ）ディスプレイデバイス、プロジェクタ（ｐｒｏｊｅｃｔｏｒ）、または同様のものであってよい。入力デバイス３６は、プロセッサ３１と通信し、複数の方式でユーザ入力を受信し得る。例えば、入力デバイス３６は、マウス、キーボード、タッチスクリーンデバイスまたはセンサデバイスなどであり得る。
【０３３９】
上記のユーザ機器１００は、汎用コンピュータデバイスまたは専用コンピュータデバイスであり得る。具体的な実装中、ユーザ機器１００は、車載コンピュータ、ポータブルコンピュータ、ネットワークサーバ、パーソナルデジタルアシスタント（Ｐｅｒｓｏｎａｌ  Ｄｉｇｉｔａｌ  Ａｓｓｉｓｔａｎｔ、ＰＤＡ）、携帯電話、タブレットコンピュータ、無線端末デバイス、通信デバイス、組み込みデバイス、または、図２３と同様の構造を有するデバイスであり得る。本発明のこの実施形態において、ユーザ機器１００の種類は限定されない。
【０３４０】
本発明のこの実施形態において提供される同期情報送信装置は、同期される必要がある第２ＵＥへ第１同期情報を送信し得る。第１同期情報は同期元として使用される第１ＵＥの優先度を示し得るので、第２ＵＥの同期元を選択するとき、第２ＵＥは、複数の受信された第１同期情報に従って、比較的高い優先度を有する第１ＵＥを第２ＵＥの同期元として選択し得て、これにより、インターネットオブビークルなどの、超高信頼性かつ低遅延通信のシナリオにおいて、ＵＥ間の同期の信頼性および精度を保証する。
【０３４１】
当業者であれば、上記の機能モジュールの分割は、説明の便宜および簡潔性のために、説明のための例として使用されていることを明確に理解するであろう。実際の適用において、上記した機能は、必要に応じて異なる機能モジュールに割り当てられ、実装されることができる。つまり装置の内部構造が、上述した機能の全部または一部を実装すべく、異なる機能モジュールに分割される。上記システム、装置およびユニットの詳細な動作プロセスについては、上記方法の実施形態における対応するプロセスを参照されたい。ここでは詳細を再度説明しない。
【０３４２】
本願において提供されるいくつかの実施形態において、開示されるシステム、装置、および方法は、他の方式で実装され得ることを理解すべきである。例えば、説明された装置の実施形態は例に過ぎない。例えば、モジュールまたはユニットの分割は、論理的機能の分割に過ぎず、実際の実装においては、他の分割であり得る。例えば、複数のユニットまたはコンポーネントは、別のシステムと組み合わせられまたは統合されてよい。または、いくつかの特徴は、無視されてよく、または、実行されなくてよい。加えて、表示または説明された相互結合または直接的な結合もしくは通信接続は、いくつかのインタフェースを使用することによって実装され得る。装置間またはユニット間の間接連結または通信接続は、電子的、機械的、または他の形態で実装され得る。
【０３４３】
別個の部分として説明されたユニットは、物理的に分かれていてもそうでなくてもよく、また、ユニットとして表示された部分は、物理的なユニットであってもそうでなくてもよく、１箇所に所在していてもよく、または、複数のネットワークユニットにおいて分散されていてもよい。実施形態の解決法の目的を達成するための実際の要件に応じて、ユニットの一部または全部が選択されてよい。
【０３４４】
加えて、本発明の実施形態における機能ユニットは、１つの処理ユニットに統合されてよく、または、ユニットの各々は、物理的に単独で存在してよく、または、少なくとも２つのユニットが１つのユニットに統合されてよい。統合されたユニットは、ハードウェアの形態で実装されてよく、または、ソフトウェア機能ユニットの形態で実装されてよい。
【０３４５】
統合されたユニットがソフトウェア機能ユニットの形式で実装され、独立の製品として販売または使用されるとき、統合されたユニットは、コンピュータ可読記憶媒体に記憶されてよい。このような理解に基づいて、本質的に本発明の技術的解決法、または従来技術に寄与する部分、または技術的解決法の全部もしくは一部が、ソフトウェア製品の形態で実装されてよい。コンピュータソフトウェア製品は、記憶媒体に記憶され、コンピュータデバイス（パーソナルコンピュータ、サーバ、またはネットワークデバイスなどであってよい）またはプロセッサ（ｐｒｏｃｅｓｓｏｒ）に、本発明の実施形態において説明された方法の段階のすべてまたはいくつかを実行するように命令するためのいくつかの命令を含む。上記の記憶媒体は、プログラムコードを記憶できる、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクをなどの任意の媒体を含む。
【０３４６】
上記の説明は、本発明の具体的な実装に過ぎず、本発明の保護範囲を限定することを意図するものではない。本発明において開示される技術的範囲内において当業者により容易に想到されるあらゆる変形または置き換えは、本発明の保護範囲に属するものとする。したがって、本発明の保護範囲は、特許請求の範囲の保護範囲によって決まるものとする。
【図１】
2018537026.tif 000023
【図２】
2018537026.tif 000024
【図３】
2018537026.tif 000025
【図４】
2018537026.tif 000026
【図５】
2018537026.tif 000027
【図６】
2018537026.tif 000028
【図７】
2018537026.tif 000029
【図８】
2018537026.tif 000030
【図９】
2018537026.tif 000031
【図１０】
2018537026.tif 000032
【図１１】
2018537026.tif 000033
【図１２】
2018537026.tif 000034
【図１３】
2018537026.tif 000035
【図１４】
2018537026.tif 000036
【図１５】
2018537026.tif 000037
【図１６】
2018537026.tif 000038
【図１７】
2018537026.tif 000039
【図１８】
2018537026.tif 000040
【図１９】
2018537026.tif 000041
【図２０】
2018537026.tif 000042
【図２１】
2018537026.tif 000043
【図２２】
2018537026.tif 000044
【図２３】
2018537026.tif 000045
【手続補正書】
【提出日】平成30年5月29日(2018.5.29)
【手続補正１】
【補正対象書類名】特許請求の範囲
【補正対象項目名】全文
【補正方法】変更
【補正の内容】
【特許請求の範囲】
【請求項１】
同期情報送信方法であって、
第１ユーザ機器（第１ＵＥ）が第１同期情報を決定する段階であって、前記第１同期情報は、同期元として使用される前記第１ＵＥの優先度を示すために使用される、段階と、
前記第１ＵＥが前記第１同期情報を送信することにより、第２ＵＥが、受信された前記第１同期情報に従って前記第２ＵＥの同期元を選択する段階と、
を備える方法。
【請求項２】
前記第１ＵＥが第１同期情報を決定する前に、前記方法は、前記第１ＵＥが第１構成情報を基地局から、または予め定められた方式で取得する段階であって、前記第１構成情報は、前記第１ＵＥおよび前記第１ＵＥの同期元に使用される周波数情報および／またはタイミング情報を含み、前記第１ＵＥの前記同期元のタイミングは衛星デバイスに由来する、段階をさらに備える、請求項１に記載の方法。
【請求項３】
前記第１同期情報は、第１リンクの周波数が第２リンクの周波数かどうかを示す情報、および／または、前記第２リンクについてのタイミングが衛星デバイスに由来するかどうかを示す情報、および／または、前記第２リンクについての前記タイミングが前記衛星デバイスのタイミングに揃えられているかどうかを示す情報を含み、前記第２リンクは、前記第１ＵＥと基地局との間のリンクであり、前記第１リンクは、前記第１ＵＥと前記第２ＵＥとの間のリンクである、請求項１に記載の方法。
【請求項４】
前記第１同期情報は第１リンク物理制御チャネルおよび／またはサイドリンク同期信号（ＳＬＳＳ）において搬送される、請求項１に記載の方法。
【請求項５】
前記第１同期情報は、
前記第１同期情報が、前記第１ＵＥのタイミングが衛星デバイスと同一であることを示し、かつ、前記第１同期情報は、前記第１ＵＥがネットワークの中にあることを示すシーケンスを含むことであって、前記第１ＵＥが前記ネットワークの中に由来し、かつ、前記第１ＵＥの前記タイミングが前記衛星デバイスと同期状態であることを意味する、こと、
前記第１同期情報が、前記第１ＵＥのタイミングが前記衛星デバイスと同一であることを示し、かつ、前記第１同期情報は、前記第１ＵＥがネットワークの外にあることを示すシーケンスを含むことであって、前記第１ＵＥが前記ネットワークの外に由来し、かつ、前記第１ＵＥの前記タイミングが前記衛星デバイスと同一であることを意味する、こと、
前記第１同期情報が、前記第１ＵＥのタイミングが前記衛星デバイスと異なることを示し、かつ、前記第１同期情報は、前記第１ＵＥがネットワークの中にあることを示すシーケンスを含むことであって、前記第１ＵＥが前記ネットワークの中に由来し、かつ、前記第１ＵＥのタイミングが前記衛星デバイスと異なることを意味する、こと、または、
前記第１同期情報が、前記第１ＵＥの前記タイミングが前記衛星デバイスと異なることを示し、かつ、前記第１同期情報が、前記第１ＵＥがネットワークの外にあることを示すシーケンスを含むことであって、前記第１ＵＥが前記ネットワークの外にあり、かつ、自身のタイミングを使用することを意味する、こと
のうちのいずれか１つを含む、請求項１に記載の方法。
【請求項６】
同期情報送信方法であって、
第１ユーザ機器（第１ＵＥ）が第１同期情報を決定する段階と、
前記第１ＵＥが、第１リンクにおいて、前記第１同期情報を送信する段階であって、前記第１同期情報は、第２同期情報と異なり、前記第１リンクは、前記第１ＵＥと第２ＵＥとの間のリンクである、段階と
を備える方法。
【請求項７】
前記第１同期情報が第２同期情報と異なることは、具体的には、
前記第１同期情報における同期信号の、同期サブフレームにおけるシンボル位置が、前記第２同期情報における同期信号の、同期サブフレームにおけるシンボル位置と異なること、
前記第１同期情報における同期信号の、同期サブフレームにおけるシンボル数が、前記第２同期情報における同期信号の、同期サブフレームにおけるシンボル数と異なること、
前記第１同期情報における同期信号に使用されるシーケンスが、前記第２同期情報における同期信号に使用されるシーケンスと異なること、
前記第１同期情報における同期信号に使用されるシーケンスの周波数領域マッピング方式が、前記第２同期情報における同期信号に使用されるシーケンスの周波数領域マッピング方式と異なること、または、
前記第１同期情報を搬送する制御チャネルが、前記第２同期情報を搬送する制御チャネルと異なること
のうちの少なくとも１つを含む、請求項６に記載の方法。
【請求項８】
前記第１同期情報における同期信号に使用されるシーケンスが、前記第２同期情報における同期信号に使用されるシーケンスと異なることは、
前記第１同期情報における前記同期信号に使用される第１同期シーケンスが、前記第２同期情報における前記同期信号に使用される第１同期シーケンスと異なること、
前記第１同期情報における前記同期信号に使用される第２同期シーケンスが、前記第２同期情報における前記同期信号に使用される第２同期シーケンスと異なること、または、
前記第１同期情報における前記同期信号に使用される第１同期シーケンスおよび第２同期シーケンスの組み合わせ方式が、前記第２同期情報における前記同期信号に使用される第１同期シーケンスおよび第２同期シーケンスの組み合わせ方式と異なること、
のうちの少なくとも１つを含む、
請求項７に記載の方法。
【請求項９】
前記第１同期情報における同期信号に使用されるシーケンスの周波数領域マッピング方式が、前記第２同期情報における同期信号に使用されるシーケンスの周波数領域マッピング方式と異なることは、
第２リンクにおけるサブフレーム５におけるダウンリンク二次同期シーケンスが第２同期シーケンスとして使用されることであって、前記第２リンクは、前記第１ＵＥと基地局との間のリンクである、こと、および／または、
前記第２同期シーケンスによって占有される偶数の副搬送波および奇数の副搬送波はそれぞれ、前記第２リンクにおけるサブフレーム０または前記サブフレーム５における、二次同期シーケンスの奇数の副搬送波および偶数の副搬送波に対応するシーケンスに対応すること、
を含む、請求項７に記載の方法。
【請求項１０】
前記第１同期情報を搬送する制御チャネルが、前記第２同期情報を搬送する制御チャネルと異なることは、具体的には、
前記第１同期情報を搬送する前記制御チャネルに使用される復調参照信号が、前記第２同期情報を搬送する前記制御チャネルに使用される復調参照信号と異なること、
前記第１同期情報を搬送する前記制御チャネルに使用される巡回冗長検査（ＣＲＣ）マスクが、前記第２同期情報を搬送する前記制御チャネルに使用されるＣＲＣマスクと異なること、
前記第１同期情報を搬送する前記制御チャネルのパケットサイズが、前記第２同期情報を搬送する前記制御チャネルのパケットサイズと異なること、または、
前記第１同期情報を搬送する前記制御チャネルに使用される、スクランブルシーケンスの初期値、または、初期値の計算パラメータが、前記第２同期情報を搬送する前記制御チャネルに使用される、スクランブルシーケンスの初期値、または、初期値の計算パラメータと異なること
のうちの少なくとも１つを含む、請求項７に記載の方法。
【請求項１１】
前記第１同期情報を搬送する前記制御チャネルに使用される復調参照信号が、前記第２同期情報を搬送する前記制御チャネルに使用される復調参照信号と異なることは、
前記第１同期情報を搬送する前記制御チャネルに使用される前記復調参照信号のシーケンスが、前記第２同期情報を搬送する前記制御チャネルに使用される前記復調参照信号のシーケンスと異なること、
前記第１同期情報を搬送する前記制御チャネルに使用される前記復調参照信号のシンボル位置が、前記第２同期情報を搬送する前記制御チャネルに使用される前記復調参照信号のシンボル位置と異なること、または、
前記第１同期情報を搬送する前記制御チャネルに使用される前記復調参照信号によって占有されるシンボル数が、前記第２同期情報を搬送する前記制御チャネルに使用される前記復調参照信号によって占有されるシンボル数と異なること
のうちの少なくとも１つを含む、請求項１０に記載の方法。
【請求項１２】
同期情報送信方法であって、
第２ユーザ機器（第２ＵＥ）が第１同期情報を取得する段階であって、前記第１同期情報は、同期元として使用される第１ＵＥの優先度を示すために使用される、段階と、
前記第２ＵＥが、前記第１同期情報に従って、前記第１ＵＥを前記第２ＵＥの同期元として使用するかどうかを決定する段階と
を備える方法。
【請求項１３】
前記第１同期情報は、
第１リンクの周波数が第２リンクの周波数かどうかを示す情報、および／または、
前記第２リンクについてのタイミングが衛星デバイスに由来するかどうかを示す情報、および／または、
前記第２リンクについての前記タイミングが前記衛星デバイスのタイミングに揃えられているかどうかを示す情報であって、前記第２リンクは、前記第１ＵＥと基地局との間のリンクであり、前記第１リンクは、前記第１ＵＥと前記第２ＵＥとの間のリンクである、情報
を含み、
前記第２ＵＥが、前記第１同期情報に従って、前記第１ＵＥを前記第２ＵＥの同期元として使用するかどうかを決定する前記段階は、
前記第１リンクの前記周波数が前記第２リンクの前記周波数である場合、前記第２ＵＥが前記第１ＵＥを前記第２ＵＥの前記同期元として使用する段階、または、
前記第２リンクについての前記タイミングが前記衛星デバイスに由来する場合、前記第２ＵＥが前記第１ＵＥを前記第２ＵＥの前記同期元として使用する段階、または、
前記第１リンクの前記周波数が前記第２リンクの前記周波数であり、前記第２リンクについての前記タイミングが前記衛星デバイスに由来する場合、前記第２ＵＥが前記第１ＵＥを前記第２ＵＥの前記同期元として使用する段階
を含む、
請求項１２に記載の方法。
【請求項１４】
前記第１同期情報は、
前記第１ＵＥが所在するセルの伝送電力を示す情報、および／または、
前記第１ＵＥが所在する前記セルのカバレッジ半径を示す情報、および／または、
第２リンクにおける前記第１ＵＥのタイミングアドバンス値（ＴＡ値）を示す情報
を含み、
前記第２ＵＥが前記第１同期情報に従って、前記第１ＵＥを前記第２ＵＥの同期元として使用するかどうか決定する前記段階は、
前記第１ＵＥが所在する前記セルの前記伝送電力が第１閾値より低い場合、前記第２ＵＥが、前記第１ＵＥを前記第２ＵＥの前記同期元として使用する段階、および／または、
前記第１ＵＥが所在する前記セルの前記カバレッジ半径が第２閾値より低い場合、前記第２ＵＥが前記第１ＵＥを前記第２ＵＥの前記同期元として使用する段階、および／または、
前記第２リンクにおける前記第１ＵＥの前記ＴＡ値が第３閾値より低い場合、前記第２ＵＥが前記第１ＵＥを前記第２ＵＥの前記同期元として使用する段階
を含む、請求項１２に記載の方法。
【請求項１５】
前記第１同期情報は、異なる種類の同期元の優先度情報、および、異なる種類の同期元の同期信号品質閾値を含む、請求項１２に記載の方法。
【請求項１６】
前記第１同期情報は、前記第１ＵＥのタイミングソース情報、および、前記第１ＵＥのネットワークカバレッジ情報を含み、
前記第２ＵＥが前記第１同期情報に従って、前記第１ＵＥを前記第２ＵＥの同期元として使用するかどうかを決定する前記段階は、前記第１ＵＥの前記タイミングソース情報が、前記第１ＵＥのタイミングが衛星デバイスに由来することを示し、かつ、前記第１ＵＥの前記ネットワークカバレッジ情報が、前記第１ＵＥがネットワークカバレッジエリア外にあることを示す場合、前記第２ＵＥが、前記第１ＵＥを前記第２ＵＥの前記同期元として使用する段階を含む、請求項１２に記載の方法。
【請求項１７】
同期情報送信装置であって、
第１同期情報を取得する取得ユニットであって、前記第１同期情報は、同期元として使用される第１ＵＥの優先度を示すために使用される、取得ユニットと、
前記第１同期情報に従って、前記第１ＵＥを第２ＵＥの同期元として使用するかどうかを決定する決定ユニットと
を備える装置。
【請求項１８】
前記決定ユニットは、具体的には、第１リンクの周波数が第２リンクの周波数である場合、第２ＵＥによって、前記第１ＵＥを前記第２ＵＥの前記同期元として使用し、または、前記第２リンクについてのタイミングが衛星デバイスに由来する場合、前記第２ＵＥによって、前記第１ＵＥを前記第２ＵＥの前記同期元として使用し、または、前記第１リンクの周波数が前記第２リンクの周波数であり、かつ、前記第２リンクのタイミングが衛星デバイスに由来する場合、前記第２ＵＥによって、前記第１ＵＥを第２ＵＥの前記同期元として使用し、
前記第１同期情報は、前記第１リンクの前記周波数が前記第２リンクの前記周波数であるかどうかを示す情報、および／または、前記第２リンクについての前記タイミングが衛星デバイスに由来するかどうかを示す情報、および／または、前記第２リンクについての前記タイミングが、前記衛星デバイスのタイミングに揃えられているかどうかを示す情報を含み、前記第２リンクは、前記第１ＵＥと基地局との間のリンクであり、前記第１リンクは、前記第１ＵＥと前記第２ＵＥとの間のリンクである、
請求項１７に記載の装置。
【請求項１９】
前記決定ユニットは、具体的には、前記第１ＵＥが所在するセルの伝送電力が第１閾値より低い場合、前記第２ＵＥによって、前記第１ＵＥを前記第２ＵＥの前記同期元として使用し、および／または、前記第１ＵＥが所在する前記セルのカバレッジ半径が第２閾値より低い場合、前記第２ＵＥによって、前記第１ＵＥを前記第２ＵＥの前記同期元として使用し、および／または、第２リンクにおける前記第１ＵＥのタイミングアドバンス値（ＴＡ値）が第３閾値より低い場合、前記第２ＵＥによって、前記第１ＵＥを前記第２ＵＥの前記同期元として使用し、
前記第１同期情報は、前記第１ＵＥが所在する前記セルの前記伝送電力を示す情報、および／または、前記第１ＵＥが所在する前記セルの前記カバレッジ半径を示す情報、および／または、前記第２リンクにおける前記第１ＵＥの前記ＴＡ値を示す情報を含む、
請求項１７に記載の装置。
【請求項２０】
前記決定ユニットは、具体的には、最高優先度を有する同期元を選択し、前記最高優先度を有する前記同期元の信号品質が、前記最高優先度を有する前記同期元に対応する信号品質閾値より低いとき、前記最高優先度を有する前記同期元より低い優先度を有する同期元を前記第２ＵＥの前記同期元として選択し、
前記第１同期情報は、異なる種類の同期元の優先度情報、および／または、異なる種類の同期元の同期信号品質閾値を含む、
請求項１７に記載の装置。
【請求項２１】
コンピュータによって実行されるとき、前記コンピュータに、請求項１から１６のいずれか１つの方法の段階のすべてまたは一部を実行させる命令を含むプログラム。
【手続補正２】
【補正対象書類名】明細書
【補正対象項目名】全文
【補正方法】変更
【補正の内容】
【発明の詳細な説明】
【技術分野】
【０００１】
本発明は通信分野に関連し、特に、同期情報送信方法および装置に関連する。
【背景技術】
【０００２】
デバイスツーデバイス（Ｄｅｖｉｃｅ−ｔｏ−Ｄｅｖｉｃｅ、Ｄ２Ｄ）通信システムにおいて、ＵＥ間の通信の効率を保証するために、ＵＥは、データの受信および送信の前に、同期処理を実行する必要がある。ＵＥ１を例として使用する。ＵＥ１は、サイドリンク同期信号（Ｓｉｄｅｌｉｎｋ  Ｓｙｎｃｈｒｏｎｉｚａｔｉｏｎ  Ｓｉｇｎａｌ、ＳＬＳＳ）などの同期信号を少なくとも１つの同期元、例えば、基地局またはＵＥ１以外のＵＥから取得し、検出された、別のＵＥによって送信された同期信号を使用することによって同期を実行し得る。
【０００３】
現在、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）が、車両と任意の対象との間の通信、すなわちビークルツーエブリシング（Ｖｅｈｉｃｌｅ  ｔｏ  Ｘ、Ｖ２Ｘ）に関する研究を行っている。インターネットオブビークルにおけるビークルツービークル（Ｖｅｈｉｃｌｅ  ｔｏ  Ｖｅｈｉｃｌｅ、Ｖ２Ｖ）通信が研究の焦点である。Ｖ２ＸおよびＶ２Ｖは、Ｄ２Ｄと比較すると、伝送遅延および信頼性についての要求が高い。したがって、車両間の比較的高精度の同期が保証される必要がある。従来技術では、Ｖ２ＸまたはＶ２Ｖ通信システムにおける車両およびデバイスは、ＵＥとして使用され、ＵＥ同期は、Ｄ２Ｄシステムにおける同期方法を使用することによって、Ｖ２ＸまたはＶ２Ｖ通信システムに実装され得る。
【０００４】
しかしながら、従来技術では、Ｄ２Ｄ同期信号の検出には過剰に長い時間がかかる。例えば、検出された同期元にＵＥを同期させるには、数百ミリ秒かかる。これは、伝送遅延の要求が低く同期安定性の要求が高い、インターネットオブビークルと同様の適用シナリオには不適当である。
【０００５】
さらに、Ｖ２ＸおよびＶ２Ｖ通信システムにおいて、ＵＥの同期元は、基地局もしくは別のＵＥであり得るか、または、衛星デバイスであり得る。したがって、ＵＥ同期のシナリオは、より複雑になる。例えば、部分的なネットワークカバレッジが提供される場合において、ＵＥ１は、基地局に由来するタイミング参照を受信できず、ＵＥ２は、基地局に由来するタイミング参照を受信でき、ＵＥ３は、衛星デバイスに由来するタイミング参照を受信でき、基地局のタイミング参照は、衛星デバイスに由来することもあり得る。
【０００６】
したがって、本発明は主に、超高信頼性かつ低遅延通信のシナリオにおいてデバイスの同期元を決定および選択することについての問題を解決し、それにより、比較的高い同期元信頼性および同期精度を保証し、さらに、デバイス間の効率を改善する。
【発明の概要】
【０００７】
本発明の実施形態は、同期情報送信方法および装置を提供することにより、超高信頼性および低遅延の通信のシナリオにおいて、デバイス間の比較的高精度の同期を保証し、さらに、デバイス間の通信の効率を改善する。
【０００８】
上記の目的を実現するべく、本発明の実施形態において、以下の技術的解決法が使用される。
【０００９】
第１態様によれば、本発明の実施形態は、同期情報送信方法を提供し、当該方法は、第１ユーザ機器ＵＥによって、第１同期情報を決定する段階であって、第１同期情報は、同期元として使用される第１ＵＥの優先度を示すために使用される、段階と、第１ＵＥによって第１同期情報を送信することにより、第２ＵＥが、受信された第１同期情報に従って、第２ＵＥの同期元を選択する段階とを備える。
【００１０】
第１同期情報は同期元として使用される第１ＵＥの優先度を示し得るので、第２ＵＥの同期元を選択するとき、第２ＵＥは、複数の受信された第１同期情報に従って、比較的高い優先度を有する第１ＵＥを第２ＵＥの同期元として選択し得て、これにより、インターネットオブビークルなどの、超高信頼性かつ低遅延通信のシナリオにおいて、ＵＥ間の同期の信頼性および精度を保証することが分かる。
【００１１】
可能な設計において、第１ＵＥが第１同期情報を決定する前に、方法は、第１ＵＥが第１構成情報を基地局から、または予め定められた方式で取得する段階であって、第１構成情報は、第１ＵＥおよび第１ＵＥの同期元に使用される周波数情報および／またはタイミング情報を含み、第１ＵＥの同期元のタイミングは衛星デバイスに由来する、段階をさらに備える。
【００１２】
可能な設計において、第１同期情報は、第１リンクの周波数が第２リンクの周波数かどうかを示す情報、および／または、第２リンクについてのタイミングが衛星デバイスに由来するかどうかを示す情報、および／または、第２リンクについてのタイミングが衛星デバイスのタイミングに揃えられているかどうかを示す情報を含み、第２リンクは、第１ＵＥと基地局との間のリンクであり、第１リンクは、第１ＵＥと第２ＵＥとの間のリンクである。
【００１３】
このようにして、第１リンクの周波数が第２リンクの周波数と同一であり、かつ、第２ＵＥが第１ＵＥを同期元として選択するとき、第２ＵＥのタイミングが第２リンクにおける基地局のタイミングと同一であるので、タイミングの違いに起因する、第２リンクにおける基地局の受信器または第１ＵＥの受信器に対する潜在的な干渉を回避できる。第２リンクについてのタイミングが衛星デバイスに由来し、かつ、第２ＵＥが第１ＵＥを同期元として選択するとき、第２ＵＥのタイミングが第２リンクにおける基地局のタイミングと同一であるので、第１リンクにおける同期精度および安定性を改善できる。
【００１４】
可能な設計において、第１ＵＥが第１同期情報を決定する段階の前に、方法はさらに、第１ＵＥが基地局から、または、予め定められた方式で第２構成情報を取得する段階であって、第２構成情報は、第１ＵＥが所在するセルのカバレッジエリア情報を含み、第１ＵＥの同期元のタイミングは、衛星デバイスとは無関係である、段階を備える。
【００１５】
可能な設計において、第１同期情報は、第１ＵＥのサービングセルの伝送電力を示す情報、および／または、第１ＵＥのサービングセルのカバレッジ半径を示す情報、および／または、第２リンクにおける第１ＵＥとサービングセルとの間のタイミングアドバンスＴＡ値を示す情報を含む。
【００１６】
第１同期情報は、第１ＵＥの同期元、および、第１ＵＥが所在するセルのカバレッジエリア情報を反映し得て、その結果、第２ＵＥは、第２ＵＥの同期元を選択するとき、第１同期情報に従って、比較的小さいカバレッジエリアを有するセルに対応する第１ＵＥを第２ＵＥの同期元として選択でき、これにより、比較的小さい半径を有するセルカバレッジ領域における、基地局のアップリンク受信器に対する干渉を低減または除去することが分かる。
【００１７】
可能な設計において、第１ＵＥが第１同期情報を決定する段階は、第１ＵＥが基地局から、または、予め定められた方式で第１同期情報を取得する段階であって、第１同期情報は、第１サイドリンク同期信号ＳＬＳＳを含む、段階を含み、第１ＵＥが第１同期情報を送信する段階は、第１ＵＥと第２ＵＥとの間のタイミング遅延が予め設定されたトリガ条件を満たす場合に第１ＵＥが第１同期情報を送信する段階を含む。
【００１８】
第１ＵＥが第１セルに所在し、第２ＵＥが第１セルに隣接する第２セルに所在する場合、予め設定されたトリガ条件は、第１セルのタイミングと第２セルのタイミングとの間の差が第１の予め設定された値より高いこと、第１セルのタイミングと第２セルのタイミングが非同期状態であること、第１セルのカバレッジ半径と第２セルのカバレッジ半径との間の差が第２の予め設定された値より高いこと、または、第１セルの伝送電力と第２セルの伝送電力との間の差が第３の予め設定された値より高いことのうちの少なくとも１つを含む。
【００１９】
代替的に、第１ＵＥおよび第２ＵＥの両方が第１セルに所在する場合、予め設定されたトリガ条件は、第２リンクにおける第１ＵＥのＴＡ値が第４の予め設定された値より高いことである。
【００２０】
第１ＵＥが第１同期情報を送信するためのトリガ条件が追加され、その結果、これらの条件に従ってＳＬＳＳを送信するように第１ＵＥをトリガでき、これにより、ＵＥによって、第１リンクにおいて、送信されるようにトリガされたＳＬＳＳを使用することによって、第１リンクにおけるより良い同期が実装されることが分かる。その結果、遅延差に起因してＵＥ間で発生する、パケット損失または検出誤りなどの問題を減らすことができ、これにより、第１リンク全体の通信性能が改善する。
【００２１】
可能な設計において、第１同期情報は第１リンク物理制御チャネルおよび／またはＳＬＳＳにおいて搬送される。
【００２２】
可能な設計において、第１ＵＥが第１同期情報を決定する段階は、第１ＵＥが、第２ＵＥによって送信された同期信号を受信する段階と、第２ＵＥが遠端ＵＥであることを同期信号が示し、かつ、同期信号の信号品質が予め設定された閾値より高い場合、第１ＵＥが第１同期情報を決定する段階とを含む。
【００２３】
このようにして、上記のプロセスによれば、遠端ＵＥが基地局のカバレッジエリア内にあるかどうかにかかわらず、および、第２リンクにおける中継ＵＥの信号品質にかかわらず、中継ＵＥのみが遠端ＵＥと中継ＵＥとの間のデータ通信中に第１同期情報を送信することが分かる。これにより、ＵＥ間の同期が実装され、遠端ＵＥの電力消費が減少する。
【００２４】
可能な設計において、第１同期情報は、以下のいずれか１つを含む。第１同期情報は、第１ＵＥのタイミングが衛星デバイスと同一であることを示し、第１同期情報は、第１ＵＥがネットワーク内にあることを示すシーケンスを含み、第１ＵＥがネットワーク内に由来すること、かつ、第１ＵＥのタイミングが衛星デバイスと同期状態であることを意味する。第１同期情報は、第１ＵＥのタイミングが衛星デバイスと同一であることを示し、第１同期情報は、第１ＵＥがネットワーク外にあることを示すシーケンスを含み、第１ＵＥがネットワーク外に由来すること、かつ、第１ＵＥのタイミングが衛星デバイスと同一であることを意味する。第１同期情報は、第１ＵＥのタイミングが衛星デバイスと異なることを示し、第１同期情報は、第１ＵＥがネットワーク内にあることを示すシーケンスを含み、第１ＵＥがネットワーク内に由来すること、かつ、第１ＵＥのタイミングが衛星デバイスと異なることを意味する。または、第１同期情報は、第１ＵＥのタイミングが衛星デバイスと異なることを示し、第１同期情報は、第１ＵＥがネットワーク外にあることを示すシーケンスを含み、第１ＵＥがネットワーク外にあること、かつ、自身のタイミングを使用することを意味する。
【００２５】
第２態様によれば、本発明の実施形態は、同期情報送信方法を提供し、当該方法は、第１ユーザ機器ＵＥが第１同期情報を決定する段階と、第１ＵＥが、第１リンクにおいて、第１同期情報を送信する段階であって、第１同期情報は、第２同期情報と異なり、第１リンクは、第１ＵＥと第２ＵＥとの間のリンクである、段階とを備える。
【００２６】
可能な設計において、第１同期情報が第２同期情報と異なることは、具体的には、第１同期情報における同期信号の、同期サブフレームにおけるシンボル位置が、第２同期情報における同期信号の、同期サブフレームにおけるシンボル位置と異なること、第１同期情報における同期信号の、同期サブフレームにおけるシンボル数が、第２同期情報における同期信号の、同期サブフレームにおけるシンボル数と異なること、第１同期情報における同期信号に使用されるシーケンスが、第２同期情報における同期信号に使用されるシーケンスと異なること、第１同期情報における同期信号に使用されるシーケンスの周波数領域マッピング方式が、第２同期情報における同期信号に使用されるシーケンスの周波数領域マッピング方式と異なること、または、第１同期情報を搬送する制御チャネルが、第２同期情報を搬送する制御チャネルと異なることのうちの少なくとも１つを含む。
【００２７】
このようにして、インターネットオブビークルシステムにおける第１同期情報は、Ｄ２Ｄシステムにおける第２同期情報と異なるように設定され、その結果、同期を実行するとき、受信端として使用される第２ＵＥは、後続の通信サービスがＤ２Ｄサービスか、または、インターネットオブビークルサービスかを決定できる。これにより、第１ＵＥまたは第２ＵＥによって実行される検出を簡略化し、不必要な誤検出を回避する。
【００２８】
可能な設計において、第１同期情報における同期信号に使用されるシーケンスが、第２同期情報における同期信号に使用されるシーケンスと異なることは、第１同期情報における同期信号に使用される第１同期シーケンスが、第２同期情報における同期信号に使用される第１同期シーケンスと異なること、第１同期情報における同期信号に使用される第２同期シーケンスが、第２同期情報における同期信号に使用される第２同期シーケンスと異なること、または、第１同期情報における同期信号に使用される第１同期シーケンスおよび第２同期シーケンスの組み合わせ方式が、第２同期情報における同期信号に使用される第１同期シーケンスおよび第２同期シーケンスの組み合わせ方式と異なることのうちの少なくとも１つを含む。
【００２９】
可能な設計において、第１同期情報における同期信号に使用されるシーケンスの周波数領域マッピング方式が、第２同期情報における同期信号に使用されるシーケンスの周波数領域マッピング方式と異なることは、第２リンクにおけるサブフレーム５におけるダウンリンク二次同期シーケンスが第２同期シーケンスとして使用されることであって、第２リンクは、第１ＵＥと基地局との間のリンクである、こと、および／または、第２同期シーケンスによって占有される偶数の副搬送波および奇数の副搬送波はそれぞれ、第２リンクにおけるサブフレーム０またはサブフレーム５における、二次同期シーケンスの奇数の副搬送波および偶数の副搬送波に対応するシーケンスに対応することを含む。
【００３０】
可能な設計において、第１同期情報を搬送する制御チャネルが、第２同期情報を搬送する制御チャネルと異なることは、具体的には、第１同期情報を搬送する制御チャネルに使用される復調参照信号が、第２同期情報を搬送する制御チャネルに使用される復調参照信号と異なること、第１同期情報を搬送する制御チャネルに使用されるＣＲＣマスクが、第２同期情報を搬送する制御チャネルに使用されるＣＲＣマスクと異なること、第１同期情報を搬送する制御チャネルのパケットサイズが、第２同期情報を搬送する制御チャネルのパケットサイズと異なること、または、第１同期情報を搬送する制御チャネルに使用される、スクランブルシーケンスの初期値、もしくは、初期値の計算パラメータが、第２同期情報を搬送する制御チャネルに使用される、スクランブルシーケンスの初期値、もしくは、初期値の計算パラメータと異なることのうちの少なくとも１つを含む。
【００３１】
可能な設計において、第１同期情報を搬送する制御チャネルに使用される復調参照信号が、第２同期情報を搬送する制御チャネルに使用される復調参照信号と異なることは、第１同期情報を搬送する制御チャネルに使用される復調参照信号のシーケンスが、第２同期情報を搬送する制御チャネルに使用される復調参照信号のシーケンスと異なること、第１同期情報を搬送する制御チャネルに使用される復調参照信号のシンボル位置が、第２同期情報を搬送する制御チャネルに使用される復調参照信号のシンボル位置と異なること、または、第１同期情報を搬送する制御チャネルに使用される復調参照信号によって占有されるシンボル数が、第２同期情報を搬送する制御チャネルに使用される復調参照信号によって占有されるシンボル数と異なることのうちの少なくとも１つを含む。
【００３２】
例えば、通常ＣＰの場合、第１同期情報を搬送する制御チャネルは、同期サブフレームにおける、第１タイムスロットのシンボル３および６、ならびに、第２タイムスロットのシンボル０および３を占有し、または、第１同期情報を搬送する制御チャネルは、同期サブフレームにおける、第１タイムスロットのシンボル３および５、ならびに、第２タイムスロットのシンボル１および３を占有し、拡張ＣＰの場合、第１同期情報を搬送する制御チャネルは、同期サブフレームにおける、第１タイムスロットのシンボル２および５、ならびに、第２タイムスロットのシンボル２を占有し、または、第１同期情報を搬送する制御チャネルは、同期サブフレームにおける、第１タイムスロットのシンボル２および４、ならびに、第２タイムスロットのシンボル０および２を占有する。
【００３３】
可能な設計において、第１ＵＥが第１リンクにおいて第１同期情報を送信する段階は、第１ＵＥが、同期サイクルにおいて、Ｎ個の同期サブフレームを使用することによって、第１同期情報を送信する段階であって、Ｎは２より小さくない正の整数である、段階を含む。
【００３４】
このようにして、第１同期情報は、同期サイクルにおいて、Ｎ個の同期サブフレームを使用することによって送信され、その結果、ＤＭＲＳの数を保証しながら、同期サブフレームにおけるデータシンボルの数を増加させることができる。この結果、制御チャネルのビットレートが減少し、これにより、第２ＵＥによる、制御チャネルおよび第１同期情報の検出の性能が改善する。
【００３５】
可能な設計において、Ｎ個の同期サブフレームは、同期サイクルにおけるＮ個の隣接サブフレームであるか、または、Ｎ個の同期サブフレームの間の時間間隔は、同期サイクルの１／Ｎである。
【００３６】
可能な設計において、第１同期情報を搬送する制御チャネルは、少なくともＭ個の部分を含み、Ｍ個の部分はそれぞれ、Ｎ個の同期サブフレームにマッピングされ、または、第１同期情報を搬送する制御チャネルは、同期サイクルにおいてＭ回伝送され、Ｍは２より小さくない正の整数である。
【００３７】
可能な設計において、Ｎ個の同期サブフレームが第１同期サブフレームおよび第２同期サブフレームを含む場合、第１同期サブフレームにおける第１同期シーケンスは、第２同期サブフレームにおける第１同期シーケンスと異なり、および／または、第１同期サブフレームにおける第２同期シーケンスは、第２同期サブフレームにおける第２同期シーケンスと異なる。
【００３８】
可能な設計において、Ｎ個の同期サブフレームが１組の同期リソースである場合、少なくとも２組の同期リソースが同期サイクルに含まれ、第１ＵＥが第１リンクにおいて第１同期情報を送信する段階は、第１ＵＥが、少なくとも２組の同期リソースのうちの１つを使用することによって、第１同期情報を送信する段階と、第１ＵＥが、少なくとも２組の同期リソースにおける別の組の同期リソースを使用することによって、別のＵＥによって送信された第３同期情報を受信する段階とを含む。
【００３９】
第３態様に従って、本発明の実施形態は、同期情報送信方法を提供し、当該方法は、第２ユーザ機器ＵＥが第１同期情報を取得する段階であって、第１同期情報は、同期元として使用される第１ＵＥの優先度を示すために使用される、段階と、第２ＵＥが、第１同期情報に従って、第１ＵＥを第２ＵＥの同期元として使用するかどうかを決定する段階とを備える。
【００４０】
可能な設計において、第１同期情報は、第１リンクの周波数が第２リンクの周波数かどうかを示す情報、および／または、第２リンクについてのタイミングが衛星デバイスに由来するかどうかを示す情報、および／または、第２リンクについてのタイミングが衛星デバイスのタイミングに揃えられているかどうかを示す情報であって、第２リンクは、第１ＵＥと基地局との間のリンクであり、第１リンクは、第１ＵＥと第２ＵＥとの間のリンクである、情報を含み、第２ＵＥが、第１同期情報に従って、第１ＵＥを第２ＵＥの同期元として使用するかどうかを決定する段階は、第１リンクの周波数が第２リンクの周波数である場合、第２ＵＥが第１ＵＥを第２ＵＥの同期元として使用する段階、または、第２リンクについてのタイミングが衛星デバイスに由来する場合、第２ＵＥが第１ＵＥを第２ＵＥの同期元として使用する段階、または、第１リンクの周波数が第２リンクの周波数であり、第２リンクについてのタイミングが衛星デバイスに由来する場合、第２ＵＥが第１ＵＥを第２ＵＥの同期元として使用する段階を含む。
【００４１】
可能な設計において、第１同期情報は、第１ＵＥが所在するセルの伝送電力を示す情報、および／または、第１ＵＥが所在するセルのカバレッジ半径を示す情報、および／または、第２リンクにおける第１ＵＥのタイミングアドバンスＴＡ値を示す情報を含み、第２ＵＥが第１同期情報に従って、第１ＵＥを第２ＵＥの同期元として使用するかどうか決定する段階は、第１ＵＥが所在するセルの伝送電力が第１閾値より低い場合、第２ＵＥが、第１ＵＥを第２ＵＥの同期元として使用する段階、および／または、第１ＵＥが所在するセルのカバレッジ半径が第２閾値より低い場合、第２ＵＥが第１ＵＥを第２ＵＥの同期元として使用する段階、および／または、第２リンクにおける第１ＵＥのＴＡ値が第３閾値より低い場合、第２ＵＥが第１ＵＥを第２ＵＥの同期元として使用する段階を含む。
【００４２】
可能な設計において、第１同期情報は、異なる種類の同期元の優先度情報、および、異なる種類の同期元の同期信号品質閾値を含む。
【００４３】
この場合、第２ＵＥが第１同期情報に従って、第１ＵＥを第２ＵＥの同期元として使用するかどうかを決定する段階は、第２ＵＥが、最高優先度を有する同期元を選択する段階であって、最高優先度を有する同期元の信号品質が、最高優先度を有する同期元に対応する信号品質閾値より低いとき、最高優先度を有する同期元より低い優先度を有する同期元を第２ＵＥの同期元として選択する段階を含む。
【００４４】
可能な設計において、第１同期情報は、第１ＵＥのタイミングソース情報、および、第１ＵＥのネットワークカバレッジ情報を含み、第２ＵＥが第１同期情報に従って、第１ＵＥを第２ＵＥの同期元として使用するかどうかを決定する段階は、第１ＵＥのタイミングソース情報が、第１ＵＥのタイミングが衛星デバイスに由来することを示し、かつ、第１ＵＥのネットワークカバレッジ情報が、第１ＵＥがネットワークカバレッジエリア外にあることを示す場合、第２ＵＥが、第１ＵＥを第２ＵＥの同期元として使用する段階を含む。
【００４５】
第４態様によれば、本発明の実施形態は、同期情報送信装置を提供し、当該装置は、第１同期情報を決定するように構成されている決定ユニットであって、第１同期情報は、同期元として使用される第１ＵＥの優先度を示すために使用される、決定ユニットと、第１同期情報を送信するように構成されている送信ユニットであって、第２ＵＥに、受信された第１同期情報に従って、第２ＵＥの同期元を選択させる、送信ユニットと、を備える。
【００４６】
可能な設計において、装置は、基地局から、または、予め定められた方式で、第１構成情報を取得するように構成されている取得ユニットであって、第１構成情報は、第１ＵＥおよび第１ＵＥの同期元に使用される周波数情報および／またはタイミング情報を含み、第１ＵＥの同期元のタイミングは衛星デバイスに由来する、取得ユニットをさらに備え、第１同期情報は、第１リンクの周波数が第２リンクの周波数であるかどうかを示す情報、および／または、第２リンクについてのタイミングが衛星デバイスに由来するかどうかを示す情報、および／または、第２リンクについてのタイミングが衛星デバイスのタイミングに揃えられているかどうかを示す情報を含み、第２リンクは、第１ＵＥと基地局との間のリンクであり、第１リンクは、第１ＵＥと第２ＵＥとの間のリンクである。
【００４７】
可能な設計において、装置は、基地局から、または、予め定められた方式で、第２構成情報を取得するように構成されている取得ユニットであって、第２構成情報は、第１ＵＥが所在するセルのカバレッジエリア情報を含み、第１ＵＥの同期元のタイミングは、衛星デバイスと無関係である、取得ユニットをさらに備え、第１同期情報は、第１ＵＥのサービングセルの伝送電力を示す情報、および／または、第１ＵＥのサービングセルのカバレッジ半径を示す情報、および／または、第２リンクにおける第１ＵＥとサービングセルとの間のＴＡ値を示す情報を含む。
【００４８】
可能な設計において、決定ユニットは、具体的には、基地局から、または、予め定められた方式で、第１同期情報を取得するように構成され、第１同期情報は第１サイドリンク同期信号ＳＬＳＳを含み、送信ユニットは、具体的には、第１ＵＥと第２ＵＥとの間のタイミング遅延が予め設定されたトリガ条件を満たす場合、第１ＵＥによって、第１同期情報を送信するように構成され、第１ＵＥが第１セルに所在し、かつ、第２ＵＥが、第１セルに隣接する第２セルに所在する場合、予め設定されたトリガ条件は、第１セルのタイミングと第２セルのタイミングとの間の差が、第１の予め設定された値より高いこと、第１セルのタイミングおよび第２セルのタイミングが非同期状態であること、第１セルのカバレッジ半径と第２セルのカバレッジ半径との間の差が、第２の予め設定された値より高いこと、または、第１セルの伝送電力と第２セルの伝送電力との間の差が、第３の予め設定された値より高いことのうちの少なくとも１つを含み、または、対応して、第１ＵＥおよび第２ＵＥの両方が第１セルに所在する場合、予め設定されたトリガ条件は、第２リンクにおける第１ＵＥのＴＡ値が、第４の予め設定された値より高いことである。
【００４９】
可能な設計において、第１同期情報は、第１リンク物理制御チャネルおよび／またはＳＬＳＳにおいて搬送される。
【００５０】
可能な設計において、決定ユニットは、第２ＵＥによって送信された同期信号を受信するように、および、第２ＵＥが遠端ＵＥであることを同期信号が示し、かつ、同期信号の信号品質が予め設定された閾値より高い場合、第１同期情報を決定するように構成されている。
【００５１】
例えば、第１同期情報は、以下のいずれか１つを含む。第１同期情報は、第１ＵＥのタイミングが衛星デバイスと同一であることを示し、第１同期情報は、第１ＵＥがネットワーク内にあることを示すシーケンスを含み、第１ＵＥがネットワーク内に由来すること、かつ、第１ＵＥのタイミングが衛星デバイスと同期状態であることを意味する。第１同期情報は、第１ＵＥのタイミングが衛星デバイスと同一であることを示し、第１同期情報は、第１ＵＥがネットワーク外にあることを示すシーケンスを含み、第１ＵＥがネットワーク外に由来すること、かつ、第１ＵＥのタイミングが衛星デバイスと同一であることを意味する。第１同期情報は、第１ＵＥのタイミングが衛星デバイスと異なることを示し、第１同期情報は、第１ＵＥがネットワーク内にあることを示すシーケンスを含み、第１ＵＥがネットワーク内に由来すること、かつ、第１ＵＥのタイミングが衛星デバイスと異なることを意味する。または、第１同期情報は、第１ＵＥのタイミングが衛星デバイスと異なることを示し、第１同期情報は、第１ＵＥがネットワーク外にあることを示すシーケンスを含み、第１ＵＥがネットワーク外にあること、かつ、自身のタイミングを使用することを意味する。
【００５２】
第５態様によれば、本発明の実施形態は同期情報送信装置を提供し、当該装置は、第１同期情報を決定するように構成されている決定ユニットと、第１リンクにおいて、第１同期情報を送信するように構成されている送信ユニットであって、第１同期情報は第２同期情報と異なり、第１リンクは、第１ＵＥと第２ＵＥとの間のリンクである、送信ユニットとを備え、第１同期情報が第２同期情報と異なることは、具体的には、第１同期情報における同期信号の、同期サブフレームにおけるシンボル位置が、第２同期情報における同期信号の、同期サブフレームにおけるシンボル位置と異なること、第１同期情報における同期信号の、同期サブフレームにおけるシンボル数が、第２同期情報における同期信号の、同期サブフレームにおけるシンボル数と異なること、第１同期情報における同期信号に使用されるシーケンスが、第２同期情報における同期信号に使用されるシーケンスと異なること、第１同期情報における同期信号に使用されるシーケンスの周波数領域マッピング方式が、第２同期情報における同期信号に使用されるシーケンスの周波数領域マッピング方式と異なること、または、第１同期情報を搬送する制御チャネルが、第２同期情報を搬送する制御チャネルと異なることのうちの少なくとも１つを含む。
【００５３】
可能な設計において、第１同期情報における同期信号に使用されるシーケンスが、第２同期情報における同期信号に使用されるシーケンスと異なることは、第１同期情報における同期信号に使用される第１同期シーケンスが、第２同期情報における同期信号に使用される第１同期シーケンスと異なること、第１同期情報における同期信号に使用される第２同期シーケンスが、第２同期情報における同期信号に使用される第２同期シーケンスと異なること、または、第１同期情報における同期信号に使用される第１同期シーケンスおよび第２同期シーケンスの組み合わせ方式が、第２同期情報における同期信号に使用される第１同期シーケンスおよび第２同期シーケンスの組み合わせ方式と異なること、のうちの少なくとも１つを含む。
【００５４】
可能な設計において、第１同期情報における同期信号に使用されるシーケンスの周波数領域マッピング方式が、第２同期情報における同期信号に使用されるシーケンスの周波数領域マッピング方式と異なることは、第２リンクにおけるサブフレーム５におけるダウンリンク二次同期シーケンスが第２同期シーケンスとして使用されることであって、第２リンクは、第１ＵＥと基地局との間のリンクである、こと、および／または、第２同期シーケンスによって占有される偶数の副搬送波および奇数の副搬送波はそれぞれ、第２リンクにおけるサブフレーム０またはサブフレーム５における、二次同期シーケンスの奇数の副搬送波および偶数の副搬送波に対応するシーケンスに対応することを含む。
【００５５】
可能な設計において、第１同期情報を搬送する制御チャネルが、第２同期情報を搬送する制御チャネルと異なることは、具体的には、第１同期情報を搬送する制御チャネルに使用される復調参照信号が、第２同期情報を搬送する制御チャネルに使用される復調参照信号と異なること、第１同期情報を搬送する制御チャネルに使用される巡回冗長検査ＣＲＣマスクが、第２同期情報を搬送する制御チャネルに使用されるＣＲＣマスクと異なること、第１同期情報を搬送する制御チャネルのパケットサイズが、第２同期情報を搬送する制御チャネルのパケットサイズと異なること、または、第１同期情報を搬送する制御チャネルに使用される、スクランブルシーケンスの初期値、または、初期値の計算パラメータが、第２同期情報を搬送する制御チャネルに使用される、スクランブルシーケンスの初期値、または、初期値の計算パラメータと異なることのうちの少なくとも１つを含む。
【００５６】
可能な設計において、第１同期情報を搬送する制御チャネルに使用される復調参照信号が、第２同期情報を搬送する制御チャネルに使用される復調参照信号と異なることは、第１同期情報を搬送する制御チャネルに使用される復調参照信号のシーケンスが、第２同期情報を搬送する制御チャネルに使用される復調参照信号のシーケンスと異なること、第１同期情報を搬送する制御チャネルに使用される復調参照信号のシンボル位置が、第２同期情報を搬送する制御チャネルに使用される復調参照信号のシンボル位置と異なること、または、第１同期情報を搬送する制御チャネルに使用される復調参照信号によって占有されるシンボル数が、第２同期情報を搬送する制御チャネルに使用される復調参照信号によって占有されるシンボル数と異なることのうちの少なくとも１つを含む。
【００５７】
例えば、通常ＣＰの場合、第１同期情報を搬送する制御チャネルは、同期サブフレームにおける、第１タイムスロットのシンボル３および６、ならびに、第２タイムスロットのシンボル０および３を占有し、または、第１同期情報を搬送する制御チャネルは、同期サブフレームにおける、第１タイムスロットのシンボル３および５、ならびに、第２タイムスロットのシンボル１および３を占有し、拡張ＣＰの場合、第１同期情報を搬送する制御チャネルは、同期サブフレームにおける、第１タイムスロットのシンボル２および５、ならびに、第２タイムスロットのシンボル２を占有し、または、第１同期情報を搬送する制御チャネルは、同期サブフレームにおける、第１タイムスロットのシンボル２および４、ならびに、第２タイムスロットのシンボル０および２を占有する。
【００５８】
可能な設計において、送信ユニットは、具体的には、Ｎ個の同期サブフレームを使用することによって、同期サイクルにおいて、第１同期情報を送信するように構成され、Ｎは２より小さくない正の整数である。
【００５９】
Ｎ個の同期サブフレームは、同期サイクルにおけるＮ個の隣接サブフレームであるか、または、Ｎ個の同期サブフレームの間の時間間隔は、同期サイクルの１／Ｎである。
【００６０】
可能な設計、Ｎ個の同期サブフレームが第１同期サブフレームおよび第２同期サブフレームを含む場合、第１同期サブフレームにおける第１同期シーケンスは、第２同期サブフレームにおける第１同期シーケンスと異なり、および／または、第１同期サブフレームにおける第２同期シーケンスは、第２同期サブフレームにおける第２同期シーケンスと異なる。
【００６１】
可能な設計において、送信ユニットは、具体的には、少なくとも２組の同期リソースのうちの１つを使用することによって、第１同期情報を送信し、および、少なくとも２組の同期リソースにおける別の組の同期リソースを使用することによって、別のＵＥによって送信された第３同期情報を受信するように構成されている。
【００６２】
第６態様によれば、本発明の実施形態は同期情報送信装置を提供し、当該装置は、第１同期情報を取得するように構成されている取得ユニットであって、第１同期情報は、同期元として使用される第１ＵＥの優先度を示すために使用される、取得ユニットと、第１同期情報に従って、第１ＵＥを第２ＵＥの同期元として使用するかどうかを決定するように構成されている決定ユニットとを備える。
【００６３】
可能な設計において、決定ユニットは、具体的には、第１リンクの周波数が第２リンクの周波数である場合、第２ＵＥによって、第１ＵＥを第２ＵＥの同期元として使用し、または、第２リンクについてのタイミングが衛星デバイスに由来する場合、第２ＵＥによって、第１ＵＥを第２ＵＥの同期元として使用し、または、第１リンクの周波数が第２リンクの周波数であり、かつ、第２リンクのタイミングが衛星デバイスに由来する場合、第２ＵＥによって、第１ＵＥを第２ＵＥの同期元として使用するように構成され、第１同期情報は、第１リンクの周波数が第２リンクの周波数であるかどうかを示す情報、および／または、第２リンクについてのタイミングが衛星デバイスに由来するかどうかを示す情報、および／または、第２リンクについてのタイミングが、衛星デバイスのタイミングに揃えられているかどうかを示す情報を含み、第２リンクは、第１ＵＥと基地局との間のリンクであり、第１リンクは、第１ＵＥと第２ＵＥとの間のリンクである。
【００６４】
可能な設計において、決定ユニットは、具体的には、第１ＵＥが所在するセルの伝送電力が第１閾値より低い場合、第２ＵＥによって、第１ＵＥを第２ＵＥの同期元として使用し、および／または、第１ＵＥが所在するセルのカバレッジ半径が第２閾値より低い場合、第２ＵＥによって、第１ＵＥを第２ＵＥの同期元として使用し、および／または、第２リンクにおける第１ＵＥのＴＡ値が第３閾値より低い場合、第２ＵＥによって、第１ＵＥを第２ＵＥの同期元として使用するように構成され、第１同期情報は、第１ＵＥが所在するセルの伝送電力を示す情報、および／または、第１ＵＥが所在するセルのカバレッジ半径を示す情報、および／または、第２リンクにおける第１ＵＥのタイミングアドバンスＴＡ値を示す情報を含む。
【００６５】
可能な設計において、決定ユニットは、具体的には、最高優先度を有する同期元を選択するように構成され、最高優先度を有する同期元の信号品質が、最高優先度を有する同期元に対応する信号品質閾値より低いとき、最高優先度を有する同期元より低い優先度を有する同期元を第２ＵＥの同期元として選択し、第１同期情報は、異なる種類の同期元の優先度情報、および／または、異なる種類の同期元の同期信号品質閾値を含む。
【００６６】
可能な設計において、決定ユニットは、具体的には、第１ＵＥのタイミングソース情報が、第１ＵＥのタイミングが衛星デバイスに由来することを示し、かつ、第１ＵＥのネットワークカバレッジ情報が、第１ＵＥがネットワークカバレッジエリア外にあることを示す場合、第２ＵＥによって、第１ＵＥを第２ＵＥの同期元として使用するように構成され、第１同期情報は、第１ＵＥのタイミングソース情報、および、第１ＵＥのネットワークカバレッジ情報を含む。
【００６７】
第７態様によれば、本発明の実施形態はＵＥを提供し、当該ＵＥは、プロセッサ、メモリ、バスおよび通信インタフェースを備え、メモリは、コンピュータ実行可能命令を記憶するように構成され、プロセッサは、バスを使用することによってメモリに接続され、ＵＥが動作しているとき、プロセッサが、メモリに記憶されたコンピュータ実行可能命令を実行する結果、ＵＥは、第１態様における任意の可能な設計に係る同期情報送信方法を実行する。
【００６８】
第８態様によれば、本発明の実施形態はＵＥを提供し、当該ＵＥは、プロセッサ、メモリ、バスおよび通信インタフェースを備え、メモリは、コンピュータ実行可能命令を記憶するように構成され、プロセッサは、バスを使用することによってメモリに接続され、ＵＥが動作しているとき、プロセッサが、メモリに記憶されたコンピュータ実行可能命令を実行する結果、ＵＥは、第２態様における任意の可能な設計に係る同期情報送信方法を実行する。
【００６９】
第９態様によれば、本発明の実施形態はＵＥを提供し、当該ＵＥは、プロセッサ、メモリ、バスおよび通信インタフェースを備え、メモリは、コンピュータ実行可能命令を記憶するように構成され、プロセッサは、バスを使用することによってメモリに接続され、ＵＥが動作しているとき、プロセッサが、メモリに記憶されたコンピュータ実行可能命令を実行する結果、ＵＥは、第３態様における任意の可能な設計に係る同期情報送信方法を実行する。
【００７０】
本発明において、同期情報送信装置の名前は、デバイスに対して限定を課さない。実際の適用において、デバイスの機能が本発明と同様であり、以下の請求項および本発明の同等技術ににおいて定義される範囲内に含まれるならば、デバイスは他の名前を有し得る。
【００７１】
加えて、第４態様から第９態様における任意の設計方式によってもたらされる技術的効果については、第１態様から第３態様における様々な設計方式によってもたらされる技術的効果を参照されたい。ここでは詳細を再度説明しない。
【００７２】
これらの態様、または、本発明の他の態様は、以下の実施形態において、より簡潔かつ分かり易く説明されている。
【図面の簡単な説明】
【００７３】
本発明の実施形態における、または従来技術における技術的解決法をより明確に説明すべく、実施形態または従来技術を説明するために必要な添付図面を以下で簡潔に説明する。
【００７４】
【図１】本発明の実施形態に係る同期情報送信方法の適用シナリオの概略図１である。
【００７５】
【図２】本発明の実施形態に係る同期情報送信方法の概略的フローチャート１である。
【００７６】
【図３】本発明の実施形態に係る同期情報送信方法の適用シナリオの概略図２である。
【００７７】
【図４】本発明の実施形態に係る同期情報送信方法の概略的フローチャート２である。
【００７８】
【図５】本発明の実施形態に係る同期情報送信方法の適用シナリオの概略図３である。
【００７９】
【図６】本発明の実施形態に係る同期情報送信方法の適用シナリオの概略図４である。
【００８０】
【図７】本発明の実施形態に係る同期情報送信方法の概略的フローチャート３である。
【００８１】
【図８】本発明の実施形態に係る同期情報送信方法の適用シナリオの概略図５である。
【００８２】
【図９】本発明の実施形態に係る同期情報送信方法の概略的フローチャート４である。
【００８３】
【図１０】本発明の実施形態に係る同期情報送信方法の概略的フローチャート５である。
【００８４】
【図１１】従来技術の通常ＣＰの場合における第２同期情報内のＰＳＳＳおよびＳＳＳＳの位置を示す。
【００８５】
【図１２】従来技術の拡張ＣＰの場合における第２同期情報内のＰＳＳＳおよびＳＳＳＳの位置を示す。
【００８６】
【図１３】本発明の実施形態に係る拡張ＣＰの場合における第１同期情報内のＤＭＲＳシンボルの位置の概略図である。
【００８７】
【図１４】本発明の実施形態に係る拡張ＣＰの場合における第１同期情報内のＤＭＲＳシンボルの位置の別の概略図である。
【００８８】
【図１５】本発明の実施形態に係る通常ＣＰの場合における第１同期情報内のＤＭＲＳシンボルの位置の概略図である。
【００８９】
【図１６】本発明の実施形態に係る通常ＣＰの場合における第１同期情報内のＤＭＲＳシンボルの位置の別の概略図である。
【００９０】
【図１７】本発明の実施形態に係る２つの同期サブフレームを使用することによる第１同期情報の送信についての概略図１である。
【００９１】
【図１８】本発明の実施形態に係る２つの同期サブフレームを使用することによる第１同期情報の送信についての概略図２である。
【００９２】
【図１９】本発明の実施形態に係る同期情報送信装置の概略構造図１である。
【００９３】
【図２０】本発明の実施形態に係る同期情報送信装置の概略構造図２である。
【００９４】
【図２１】本発明の実施形態に係る同期情報送信装置の概略構造図３である。
【００９５】
【図２２】本発明の実施形態に係る同期情報送信装置の概略構造図４である。
【００９６】
【図２３】本発明の実施形態に係るユーザ機器の概略構造図である。
【発明を実施するための形態】
【００９７】
本発明の実施形態における添付図面を参照して、本発明の実施形態における技術的解決法を以下で明確かつ完全に説明する。説明される実施形態は、本発明の実施形態の一部に過ぎず、全部ではないことは明らかである。
【００９８】
加えて、「第１」および「第２」という用語は、単に説明の目的で用いられることが意図されているに過ぎず、相対的な重要度の指示もしくは示唆、または、指示される技術的特徴の数量の黙示的な指示として理解されるべきではない。したがって、「第１」または「第２」によって限定される特徴は、１または複数の特徴を明示的または黙示的に含み得る。本発明の説明において、別段の記載が無い限り、「複数の」は、少なくとも２つあることを意味する。
【００９９】
本明細書における「および／または」という用語は、関連対象を説明するための関連関係を説明するに過ぎず、３つの関係が存在し得ることを表す。例えば、Ａおよび／またはＢは、以下の３つの場合、すなわち、Ａのみが存在すること、ＡおよびＢの両方が存在すること、ならびにＢのみが存在することを表し得る。加えて、本明細書における記号「／」は一般に、関連対象間の「または」という関係を示す。
【０１００】
具体的に、本発明の実施形態において提供される同期情報送信方法を明確に説明するべく、以下の実施形態において説明され得るいくつか概念を最初に説明する。
【０１０１】
本発明の実施形態におけるＵＥは、具体的には、車載デバイスもしくは路側ユニット（ＲＳＵ、Ｒｏａｄ  Ｓｉｄｅ  Ｕｎｉｔ）であり得るか、または、歩行者によって使用される携帯電話などのデバイスであり得る。代替的に、ＵＥは、中継機能を有するＵＥと基地局との間に中継リンクがあるかどうかという決定条件に従って、中継ＵＥ（すなわち、Ｒｅｌａｙ  ＵＥ）および遠端ＵＥ（Ｒｅｍｏｔｅ  ＵＥ）に分類され得る。本発明において、ＵＥが適用されるシナリオは限定されない。
【０１０２】
本発明におけるＤ２Ｄシステムは、３ＧＰＰプロトコルＲｅｌ−１２またはＲｅｌ−１３において規定される方式で通信が実行されるシステムである。このプロトコルにおいて、Ｄ２Ｄは、近接ベースのサービス（Ｐｒｏｘｉｍｉｔｙ−ｂａｓｅｄ  Ｓｅｒｖｉｃｅｓ、ＰｒｏＳｅ）という用語で示される。
【０１０３】
第１リンクとは、ＵＥ間のリンクである。Ｄ２Ｄシステムにおいて、第１リンクは、Ｄ２Ｄリンクまたはサイドリンク（ｓｉｄｅｌｉｎｋ）と称され得る。インターネットオブビークルにおいて、第１リンクは、Ｖ２Ｖリンク、ビークルツーパーソン（Ｖｅｈｉｃｌｅ  ｔｏ  ｐｅｒｓｏｎ、Ｖ２Ｐ）リンク、ビークルツーインフラストラクチャ（ｖｅｈｉｃｌｅ  ｔｏ  ｉｎｆｒａｓｔｒｕｃｔｕｒｅ、Ｖ２Ｉ）リンクまたはサイドリンクと称され得る。本発明の実施形態における第１リンクは、上記のリンクのいずれか１つであり得る。ただしこれに限定されない。
【０１０４】
加えて、第１リンクは、ブロードキャストモード、ユニキャストモードまたはマルチキャストモードのいずれか１つにおいて情報を送信するために使用され得る。
【０１０５】
第２リンクとは、ＵＥと基地局との間のリンク、例えば、ＵＥと当該ＵＥの担当基地局との間のリンク、または、ＵＥと近隣の基地局との間のリンクである。この第２リンクはセルラーリンクと称され得る。同様に、第２リンクは、ブロードキャストモード、ユニキャストモードまたはマルチキャストモードのいずれか１つにおいて情報を送信するために使用され得る。
【０１０６】
全球測位衛星システム（ｇｌｏｂａｌ  ｎａｖｉｇａｔｉｏｎ  ｓａｔｅｌｌｉｔｅ  ｓｙｓｔｅｍ、ＧＮＳＳ）などの衛星デバイスは、具体的には、様々な国および地域によって提供される測位衛星システム、例えば、中国の北斗衛星導航系統、米国のＧＰＳ衛星ナビゲーションシステム、欧州のガリレオ衛星ナビゲーションシステム、およびロシアのＧＬＯＮＡＳＳ衛星ナビゲーションシステムを含み得る。加えて、衛星デバイスは、タイミング能力が衛星と同等であるデバイスを含み得る。例えば、原子時計を有するタイミングデバイスのタイミング精度は衛星と同等である。本発明の以下の実施形態は、ＧＮＳＳが衛星デバイスとして使用される例を使用することによって説明を提供する。
【０１０７】
同期元とは、ＧＮＳＳ、基地局、またはＵＥなどの、ＵＥが直接同期されるデバイスである。例えば、ＵＥ１が同期元として使用されるとき、ＵＥ１は、タイミング情報および／または周波数情報を別のＵＥに提供し得る。ＵＥ１がＵＥ２の同期元であると決定された後、ＵＥ２は、ＵＥ１と同一のタイミング情報および／または周波数情報を使用し得る。
【０１０８】
第１同期情報とは、Ｖ２Ｘ（Ｖ２Ｖを含む）システムにおいて、同期元として使用することが可能なデバイスによって、同期される必要があるＵＥへ送信される指示情報および／または同期信号であり、同期元として使用されるデバイスの優先度を示すために使用され、これにより、同期される必要があるＵＥは、受信された複数の第１同期情報に従って、そのＵＥ自身の同期元を決定する。複数の異なる適用シナリオにおける第１同期情報の具体的な内容は、以下の実施形態において詳細に説明されるので、したがって、ここでは説明されない。
【０１０９】
第２同期情報とは、３ＧＰＰプロトコルＲｅｌ−１２またはＲｅｌ−１３において規定された方式でサイドリンクにおいて送信される同期情報であり、同期される必要があるＵＥへ送信される指示情報および／または同期信号を含み得る。
【０１１０】
本発明の実施形態においては、Ｖ２ＸシステムまたはＶ２Ｖシステムのみが、説明のための例として使用されることに留意すべきである。本発明の実施形態において提供される同期情報送信方法は、例えば、航空機間の同期、航空機と船舶との間の同期、船舶間の通信など、デバイス間で同期が実行される必要がある適用シナリオに適用され得ることが理解されるべきである。本発明の実施形態はこれに限定されない。
【０１１１】
具体的には、本発明の実施形態において提供される同期情報送信方法の中核的原理は、少なくとも１つの同期元、例えば第１ＵＥが、同期される必要がある第２ＵＥへ第１同期情報を送信し得ることである。第１同期情報は同期元として使用される第１ＵＥの優先度を示し得るので、第２ＵＥの同期元を選択するとき、第２ＵＥは、複数の受信された第１同期情報に従って、比較的高い優先度を有する第１ＵＥを第２ＵＥの同期元として選択し得て、これにより、インターネットオブビークルなどの、超高信頼性かつ低遅延通信のシナリオにおいて、ＵＥ間の同期の信頼性および精度を保証する。
【０１１２】
以下では、上記の中核的原理に関連して、本発明の実施形態において提供される同期情報送信方法の詳細を様々な適用シナリオにおいて説明する。
【０１１３】
［実施形態１］
図１に示されるように、図１は、本発明のこの実施形態に係る同期情報送信方法の具体的な適用シナリオを示す。このシナリオにおいて、ＵＥ１は基地局１のカバレッジエリア内にあり、ＵＥ１の同期元は基地局１であり、基地局１のタイミングはＧＮＳＳに由来し、ＵＥ２は基地局２のカバレッジエリア内にあり、ＵＥ２の同期元は基地局２であり、ＵＥ３は基地局１および基地局２のカバレッジエリア外にある。この場合、ＵＥ１またはＵＥ２、すなわち第１ＵＥが同期元として使用され得て、同期される必要があるＵＥ３、すなわち第２ＵＥへ第１同期情報を送信し得て、これにより、第２ＵＥは、第１同期情報に従って第２ＵＥの同期元を選択する。
【０１１４】
具体的には、本発明のこの実施形態に係る同期情報送信方法を示す図１に関連して、図２に示されるように、当該方法は具体的には以下の段階を備える。
【０１１５】
１０１（任意）：第１ＵＥが第１構成情報を取得し、第１構成情報は、第１ＵＥおよび第１ＵＥの同期元に使用される周波数情報および／またはタイミング情報を含む。
【０１１６】
任意で、第１ＵＥ、例えば図１におけるＵＥ１またはＵＥ２は、第１構成情報を基地局から取得し得る。
【０１１７】
第１構成情報は、第１ＵＥおよび第１ＵＥの同期元に使用される周波数情報および／またはタイミング情報を含む。
【０１１８】
例えば、第１構成情報は、具体的には、第１ＵＥが所在する第１リンクの周波数使用情報、および／または、第１ＵＥが所在する第２リンクのタイミング指示情報、および／または、第１ＵＥが所在する第１リンクのタイミング調整指示情報であり得る。
【０１１９】
例えば、第１構成情報によれば、第１ＵＥが所在する第１リンクに使用される周波数スペクトルは５ＧＨｚの周波数帯内にあり、第１ＵＥが所在する第２リンクについてのタイミングはＧＮＳＳのタイミングに揃えられる。
【０１２０】
１０２：第１ＵＥが第１同期情報を決定する。
【０１２１】
段階１０２において、第１ＵＥは、第１構成情報に従って第１同期情報を決定し得て、第１同期情報は、具体的には、第１リンクの周波数が第２リンクの周波数であるかどうかを示す情報、および／または、第２リンクについてのタイミングがＧＮＳＳに由来するかどうかを示す情報、および／または、第２リンクについてのタイミングがＧＮＳＳのタイミングに揃えられているかどうかを示す情報を含む。
【０１２２】
第１リンクの周波数が第２リンクの周波数と同一である場合、同期元として使用される第１ＵＥの優先度が比較的高いこと、または、比較的低いことを示し得る。同様に、第２リンクについてのタイミングがＧＮＳＳに由来するか、または、第２リンクについてのタイミングがＧＮＳＳのタイミングに揃えられている場合、同期元として使用される第１ＵＥの優先度が比較的高いか、または、比較的低いことを示し得る。
【０１２３】
代替的に、段階１０２において、第１ＵＥは、予め定められた方式で第１同期情報を取得し得る。例えば、第１ＵＥのメモリは、第１同期情報を予め記憶し得る。この場合、第１ＵＥは、第１同期情報を第１ＵＥのメモリから直接読み取り得る。
【０１２４】
１０３：第１ＵＥが第１同期情報を第２ＵＥへ送信する。
【０１２５】
具体的には、第１ＵＥは、第１同期情報を第２ＵＥへ送信し、第１同期情報は、物理サイドリンクブロードキャストチャネル（Ｐｈｙｓｉｃａｌ  Ｓｉｄｅｌｉｎｋ  Ｂｒｏａｄｃａｓｔ  Ｃｈａｎｎｅｌ、ＰＳＢＣＨ）チャネル上で、および／または、ＳＬＳＳ内において搬送され得る。
【０１２６】
例えば、指示がＰＳＢＣＨチャネルにおいて提供されるとき、第１リンクの周波数が第２リンクの周波数かどうかを示すために１ビットが使用され得る。ビットが０であるとき、第１リンクの周波数は第２リンクの周波数と異なり、ビットが１であるとき、第１リンクの周波数は第２リンクの周波数と同一である。指示がＰＳＢＣＨチャネルにおいて提供されるとき、第１リンクについてのタイミングがＧＮＳＳに由来するかどうかを示すために１ビットが使用され得る。ビットが０であるとき、第１リンクについてのタイミングはＧＮＳＳに由来せず、ビットが１であるとき、第１リンクについてのタイミングはＧＮＳＳに由来する。指示がＰＳＢＣＨチャネルにおいて提供されるとき、第１リンクについてのタイミングがＧＮＳＳのタイミングに揃えられているかどうかを示すために、１ビットが使用され得る。ビットが０であるとき、第１リンクについてのタイミングは、ＧＮＳＳのタイミングに揃えられておらず、ビットが１であるとき、第１リンクについてのタイミングは、ＧＮＳＳのタイミングに揃えられている。上記の情報の任意の１つは、ＰＳＢＣＨチャネルにおける未使用の予備フィールドを使用することによって示され得るか、または、ＰＳＢＣＨチャネルを使用することによって黙示的に示され得る。
【０１２７】
加えて、指示情報は、ＳＬＳＳ信号を使用することによって示され得る。すなわち、上記の情報の任意の１つは、２つの状態を使用することによって示され得る。
【０１２８】
指示は、具体的には、以下の方式のうちの任意の１つにおいて提供され得る。指示は、ＳＬＳＳにおける異なる複数の一次サイドリンク同期信号（Ｐｒｉｍａｒｙ  Ｓｉｄｅｌｉｎｋ  Ｓｙｎｃｈｒｏｎｉｚａｔｉｏｎ  Ｓｉｇｎａｌ、ＰＳＳＳ）シーケンスを使用することによって提供される。指示は、ＳＬＳＳにおける異なる複数の二次サイドリンク同期信号（Ｓｅｃｏｎｄａｒｙ  Ｓｉｄｅｌｉｎｋ  Ｓｙｎｃｈｒｏｎｉｚａｔｉｏｎ  Ｓｉｇｎａｌ、ＳＳＳＳ）シーケンスを使用することによって提供される。指示は、ＳＬＳＳにおける異なるＰＳＳＳシーケンスおよびＳＳＳＳシーケンスの組み合わせを使用することによって提供される。または、指示は、ＳＬＳＳにおけるＰＳＳＳおよび／またはＳＳＳＳの時間領域位置、および／または、ＰＳＳＳおよび／またはＳＳＳＳの周波数領域位置を使用することによって提供される。
【０１２９】
加えて、第１ＵＥによって第１同期情報を送信するための具体的な方法は、以下の実施形態において詳細に説明され、したがって、ここでは説明されない。
【０１３０】
１０４：第２ＵＥが第１同期情報を取得する。
【０１３１】
第２ＵＥは、図１におけるＵＥ３であり得る。ＵＥ３は、ネットワークによってカバーされていない。
【０１３２】
１０５：第２ＵＥが、第１同期情報に従って、第２ＵＥの同期元として第１ＵＥを使用するかどうかを決定する。
【０１３３】
具体的には、段階１０５では、段階１０４において取得された第１同期情報によると、第１リンクの周波数が第２リンクの周波数と同一である場合、第２ＵＥは、第１ＵＥを第２ＵＥの同期元として使用し得る。このようにして、第２ＵＥが第１ＵＥを同期元として選択するとき、第２ＵＥのタイミングは第２リンクにおける基地局のタイミングと同一なので、タイミングの違いに起因する、基地局の受信器または第２リンクにおけるＵＥの受信器に対する潜在的な干渉を回避できる。
【０１３４】
代替的に、段階１０４において取得された第１同期情報によると、第２リンクについてのタイミングがＧＮＳＳに由来する場合、第２ＵＥは、第１ＵＥを第２ＵＥの同期元として使用し得る。このようにして、第２ＵＥが第１ＵＥを同期元として選択するとき、第２ＵＥのタイミングは第２リンクにおける基地局のタイミングと同一なので、第１リンクにおける同期精度および安定性を改善できる。
【０１３５】
代替的に、段階１０４において取得された第１同期情報によると、第２リンクについてのタイミングがＧＮＳＳのタイミングに揃えられている場合、第２ＵＥは、第１ＵＥを第２ＵＥの同期元として使用し得る。このようにして、第２ＵＥが第１ＵＥを同期元として選択するとき、第２ＵＥのタイミングはＧＮＳＳのタイミングに揃えられているので、第１リンクにおけるすべてのＵＥのタイミングは同一であり、これにより、第１リンクにおけるＵＥの通信性能が保証される。
【０１３６】
代替的に、表１に記載されているように、段階１０４において取得される第１同期情報は、第１リンクの周波数が第２リンクの周波数と同一かどうか、および、第２リンクについてのタイミングが衛星デバイスに由来するかどうかを示す情報を含む。
【０１３７】
この場合、第２ＵＥは、表１に記載の方式で、第１ＵＥを第２ＵＥの同期元として使用するかどうかを決定し得る。
【表１】
2018537026.tif 000046
【０１３８】
本発明のこの実施形態において提供される同期情報送信方法によれば、図１に示される適用シナリオに基づくと、第１ＵＥは第１構成情報を取得した後、第１同期情報を決定し、同期される必要がある第２ＵＥへ第１同期情報を送信する。第１同期情報は、第１リンクの周波数と第２リンクの周波数との間の関係、および／または、第２リンクについてのタイミングとＧＮＳＳのタイミングとの間の関係を反映し得て、その結果、第２ＵＥは、第２ＵＥの同期元を選択するとき、第１同期情報に従って、比較的高い優先度を有するＵＥを第２ＵＥの同期元として選択でき、これにより、第２ＵＥの同期信頼性および同期精度を改善する。
【０１３９】
［実施形態２］
図３に示されるように、図３は、本発明のこの実施形態に係る同期情報送信方法の具体的な適用シナリオを示す。このシナリオにおいて、ＧＮＳＳは含まれず、ＵＥ１は基地局１のカバレッジエリア内にあり、ＵＥ１の同期元は基地局１であり、ＵＥ２は基地局２のカバレッジエリア内にあり、ＵＥ２の同期元は基地局２であり、ＵＥ３は基地局１および基地局２のカバレッジエリア外にある。この場合、ＵＥ１またはＵＥ２、すなわち第１ＵＥが同期元として使用され、同期される必要があるＵＥ３、すなわち第２ＵＥへ第１同期情報を送信し得て、その結果、第２ＵＥは、第１同期情報に従って第２ＵＥの同期元を選択する。
【０１４０】
本発明におけるカバレッジエリアとは、ＵＥが第２リンク（セルラーリンク）を使用することによって、第１リンクおよび／または第２リンクにおける通信に必要である、基地局によって送信されるシステムメッセージを受信できることを意味し、受信できない場合、ＵＥはカバレッジエリア外にあると見なされ得る。
【０１４１】
具体的には、本発明のこの実施形態に係る同期情報送信方法を示す図３に関連して、図４に示されるように、当該方法は具体的には以下の段階を備える。
【０１４２】
２０１（任意）：第１ＵＥが第２構成情報を取得する。第２構成情報は、第１ＵＥが所在するセルのカバレッジエリア情報を含む。
【０１４３】
任意で、第１ＵＥ、例えば図３におけるＵＥ１またはＵＥ２は、第２構成情報を基地局から取得し得る。
【０１４４】
第２構成情報は、第１ＵＥが所在するセルのカバレッジエリア情報を含む。
【０１４５】
例えば、第２構成情報は、具体的には、第１ＵＥのサービングセルの伝送電力情報、および／または、第１ＵＥのサービングセルのカバレッジ半径情報、および／または、第１ＵＥと第１ＵＥのサービングセルとの間の単方向または双方向タイミングアドバンス（Ｔｉｍｉｎｇ  Ａｄｖａｎｃｅ、ＴＡ）値についての情報であり得る。
【０１４６】
ＴＡ値とは、第１ＵＥと基地局との間の累計指定アドバンス値であり、ＵＥ自体によって取得され得るか、または、基地局によって指示される情報から取得され得る。この情報は、第１ＵＥが所在するセルのカバレッジエリア情報を反映し得る。例えば、第１ＵＥが所在するセルの伝送電力が高いことは、第１ＵＥが所在するセルのカバレッジエリアが大きいことを示す。
【０１４７】
２０２：第１ＵＥが第１同期情報を決定する。
【０１４８】
段階２０２において、第１ＵＥは、段階２０１において取得された第２構成情報に従って、第１同期情報を決定し得る。
【０１４９】
この場合、第１同期情報は、具体的には、第１ＵＥのサービングセルの伝送電力を示す情報（例えば、第１ＵＥが所在するセルの伝送電力が、予め設定された第１閾値より高いかどうか）、および／または、第１ＵＥのサービングセルのカバレッジ半径を示す情報（例えば、第１ＵＥが所在するセルのカバレッジ半径が、予め設定された第２閾値より高いかどうか）、および／または、第２リンクにおける第１ＵＥとサービングセルとの間のＴＡ値を示す情報（例えば、第１ＵＥと第１ＵＥの担当基地局との間の単方向または双方向ＴＡ値が、予め設定された第３閾値より高いかどうか）を含み得る。
【０１５０】
第１ＵＥが所在するセルのカバレッジ半径が小さいことは、同期元として使用される第１ＵＥの優先度が高いことを示していることに留意すべきである。第２ＵＥのタイミングが、より小さいカバレッジエリアを有するセルのタイミングと同一であるとき、潜在的な干渉信号がより小さいセルに到達した後、第２ＵＥのタイミングは、当該セルのタイミングに揃えられる。したがって、より大きいカバレッジエリアを有するセルに対する干渉は発生しない。特に、第１リンクのために使用される周波数スペクトルが第２リンクのアップリンク周波数スペクトルであるとき、第１リンクにおける伝送に起因して、第２リンクにおける基地局側の受信器に対して潜在的な干渉が発生する。より大きいセルについては、セルの半径がより大きい。したがって、ネットワーク外のＵＥが伝送を実行するとき、より大きいセルに対応する基地局側のアップリンク受信器に干渉することは、ほぼあり得ない。
【０１５１】
代替的に、第１ＵＥは、予め定められた方式で第１同期情報を取得し得る。例えば、第１ＵＥのメモリは、第１同期情報を予め記憶し得る。この場合、第１ＵＥは、第１同期情報を第１ＵＥのメモリから直接読み取り得る。
【０１５２】
同様に、第１同期情報は、送信のために、ＰＳＢＣＨチャネル上で、および／または、ＳＬＳＳ内において搬送され得る。
【０１５３】
２０３：第１ＵＥが第１同期情報を第２ＵＥへ送信する。
【０１５４】
２０４：第２ＵＥが第１同期情報を取得する。
【０１５５】
２０５：第２ＵＥが第１同期情報に従って、第１ＵＥを第２ＵＥの同期元として使用するかどうかを決定する。
【０１５６】
具体的には、段階２０５において、第１ＵＥが所在するセルの伝送電力が第１閾値より低い場合、第２ＵＥは、第１ＵＥを第２ＵＥの同期元として使用し、および／または、第１ＵＥが所在するセルのカバレッジ半径が第２閾値より低い場合、第２ＵＥは、第１ＵＥを第２ＵＥの同期元として使用し、および／または、第２リンクにおける第１ＵＥのＴＡ値が第３閾値より低い場合、第２ＵＥは第１ＵＥを第２ＵＥの同期元として使用する。
【０１５７】
加えて、第２ＵＥは、複数の第１ＵＥによって送信される第１同期情報を受信し得て、例えば、図３におけるＵＥ３は、ＵＥ１およびＵＥ２によって送信される第１同期情報を受信する。したがって、ＵＥ１およびＵＥ２によって送信された第１同期情報が上記の条件を満たす場合、ＵＥ３は、ＵＥ１またはＵＥ２のいずれかをＵＥ３の同期元として選択し得る。
【０１５８】
当然ながら、第１ＵＥは代替的に、第１ＵＥが属するサービングセルの伝送電力、カバレッジ半径、またはＴＡ値を第１同期情報として直接的に使用して第２ＵＥへ送信し得る。次に、第２ＵＥは、異なる第１同期情報を比較した後、第１同期情報において示される、最小のカバレッジ半径を有するセルに対応する第１ＵＥを第２ＵＥの同期元として選択し得る。
【０１５９】
本発明のこの実施形態において提供される同期情報送信方法によれば、図３に示される適用シナリオに基づくと、第１ＵＥは第２構成情報を取得した後、第１同期情報を決定し、同期される必要がある第２ＵＥへ第１同期情報を送信する。第１同期情報は、第１ＵＥの同期元、および、第１ＵＥが所在するセルのカバレッジエリア情報を反映し得て、その結果、第２ＵＥは、第２ＵＥの同期元を選択するとき、第１同期情報に従って、比較的小さいカバレッジエリアを有するセルに対応する第１ＵＥを第２ＵＥの同期元として選択でき、これにより、比較的小さい半径を有するセルカバレッジ領域における、基地局のアップリンク受信器に対する干渉を低減または除去する。
【０１６０】
［実施形態３］
図５に示されるように、図５は、本発明のこの実施形態に係る同期情報送信方法の具体的な適用シナリオを示す。ＵＥ１およびＵＥ２の両方は、基地局１のカバレッジエリア内にあり、ＵＥ１およびＵＥ２の同期元は基地局１であるが、距離ｄ１と距離ｄ２との間に比較的大きい差がある。ｄ１はＵＥ１と基地局１との間の距離を示し、ｄ２はＵＥ２と基地局１との間の距離を示す。その結果、ＵＥ２がＵＥ１によって送信された第１同期情報を受信したとき、遅延差が発生する。ＵＥ１とＵＥ２との間の距離はｄ１２である。
【０１６１】
遅延差ｔａｕは、以下のように求められる。
ｔａｕ＝（ｄ１−ｄ２＋ｄ１２）／ｃ
ここで、ｃは光速を示している。
【０１６２】
例えば、ｄ１＝２ｋｍ、ｄ２＝３００ｍ、ｄ１２＝４００ｍである場合、ｔａｕ＝７ｕｓの等式が真になる。遅延差がＣＰの長さより大きい場合、ＵＥ１によって送信された信号をＵＥ２が検出したとき、ある程度のシンボル間干渉が発生する。結果として、信号品質が低下する。遅延および信頼性の影響を比較的受けやすいインターネットオブビークルシステムにおいて、ＵＥ１によって送信されたデータパケットがＵＥ２によって検出されなかった場合、伝送誤りが発生する。誤りが複数回にわたって発生するのでパケット損失が発生し、その結果、遅延の増加および伝送メッセージの損失につながる。
【０１６３】
これに鑑みて、本発明のこの実施形態は、同期情報送信方法を提供する。第１ＵＥ（例えば図５におけるＵＥ１）は、第１同期情報を基地局から、または、予め定められた方式で取得し得て、第１同期情報は、同期信号ＳＬＳＳであり得る。この場合、第２リンクにおける第１ＵＥと第１ＵＥの担当基地局（すなわち基地局１）との間のＴＡ値が第４の予め設定された値より高い場合、第１ＵＥはＳＬＳＳを送信するようにトリガされる。第４の予め設定された値は、基地局によって指示されるか、または、予め設定される。
【０１６４】
第１ＵＥは、同期信号送信サイクル内の予め設定された位置においてＳＬＳＳを送信し得るか、または、第１リンク伝送リソースが送信されるサブフレームの前の１つのサブフレームもしくはいくつかのサブフレーム内でＳＬＳＳを送信し得ることに留意すべきである。
【０１６５】
さらに、図６に示されるように、図６は、本発明の実施形態に係る同期情報送信方法の別の具体的な適用シナリオを示す。この適用シナリオにおいて、基地局１および基地局２は、同期または非同期の状態であり、ＵＥ１およびＵＥ２はそれぞれ、基地局１および基地局２のカバレッジエリア内にあるが、基地局１のカバレッジエリアと基地局２のカバレッジエリアとの間には比較的大きい違いがある。この場合、上記の適用シナリオと同様に、ＵＥ２がＵＥ１によって送信された第１同期情報を受信したとき、まだ遅延差が発生している。
【０１６６】
これに鑑みて、本発明のこの実施形態は、同期情報送信方法を提供する。第１ＵＥは第１セル内に所在し、第２ＵＥは第１セルに隣接する第２セル内に所在すると想定する。図７に示されるように、方法は以下の段階を備える。
【０１６７】
３０１：第１ＵＥが第１同期情報を取得する。第１同期情報は、同期信号ＳＬＳＳであり得る。
【０１６８】
具体的には、第１ＵＥ（例えば図６におけるＵＥ１）は、第１同期情報を基地局から、または、予め定められた方式で取得し得て、第１同期情報は、同期信号ＳＬＳＳであり得る。
【０１６９】
さらに、第１ＵＥは、第１セルおよび第２セルのタイミング情報、ならびに／または、第１セルおよび第２セルの同期状態情報、ならびに／または、第１セルおよび第２セルのカバレッジ半径情報、ならびに／または、第１セルおよび第２セルの伝送電力情報を取得し得る。
【０１７０】
３０２：第１ＵＥと第２ＵＥとの間のタイミング遅延が、予め設定されたトリガ条件を満たす場合、第１ＵＥが第１同期情報を送信し、その結果、第２ＵＥが、受信した第１同期情報に従って、第２ＵＥの同期元を選択する。
【０１７１】
予め設定されたトリガ条件は、第１セルのタイミングと第２セルのタイミングとの間の差が第１の予め設定された値より高いこと、第１セルのタイミングおよび第２セルのタイミングが非同期状態であること、第１セルのカバレッジ半径と第２セルのカバレッジ半径との間の差が第２の予め設定された値より高いこと、または、第１セルの伝送電力と第２セルの伝送電力との間の差が第３の予め設定された値より高いことのうちの少なくとも１つを含む。
【０１７２】
このようにして、上記のトリガ条件が満たされたとき、第１ＵＥは、第１同期情報を送信、すなわち、ＳＬＳＳを送信する。第１の予め設定された値、第２の予め設定された値、および、第３の予め設定された値は、シグナリングを使用することによって基地局によって指示され得るか、または、予め設定され得る。
【０１７３】
実施形態３に示される２つの適用シナリオにおいて、第１ＵＥが第１同期情報を送信するためのトリガ条件が追加され、その結果、これらの条件に従ってＳＬＳＳを送信するように第１ＵＥをトリガでき、これにより、ＵＥによって、第１リンクにおいて、送信されるようにトリガされたＳＬＳＳを使用することによって、第１リンクにおけるより良い同期が実装されることが分かる。その結果、遅延差に起因してＵＥ間で発生する、パケット損失または検出誤りなどの問題を減らすことができ、これにより、第１リンク全体の通信性能が改善する。
【０１７４】
［実施形態４］
図８に示されるように、図８は、本発明のこの実施形態に係る同期情報送信方法の具体的な適用シナリオを示す。このシナリオにおいて、基地局１のカバレッジエリアには、２種類のＵＥ、すなわち、基地局１と直接通信する中継ＵＥ、および、中継ＵＥを使用することによって基地局１と通信できる、スマートバンドもしくは別のウェアラブルデバイスなどの遠端ＵＥがある。任意で、遠端ＵＥと基地局１との間には、直接的なリンクがあっても無くてもよい。
【０１７５】
この適用シナリオにおいて、いずれの種類のＵＥも第１同期信号を送信できる場合、不必要な伝送が何度も実行され、その結果、遠端ＵＥの電力消費が増加する。加えて、サイズおよび費用の制約に起因して、遠端ＵＥの水晶発振子の安定性および品質は、中継ＵＥより低い。したがって、中継ＵＥのタイミングが、中継ＵＥと遠端ＵＥとの間のリンクにおける同期のための基準として使用される場合、通信信頼性および性能が改善される。例えば、遠端ＵＥの水晶発振子の安定性は約４０ｐｐｍであり、中継ＵＥの水晶発振子の安定性は、２０ｐｐｍ内で維持される。
【０１７６】
具体的には、本発明のこの実施形態に係る同期情報送信方法を示す図８に関連して、図９に示されるように、当該方法は具体的には以下の段階を備える。
【０１７７】
４０１：第１ＵＥが第２ＵＥによって送信された同期信号を受信する。
【０１７８】
具体的には、第１ＵＥは、図８における中継ＵＥであり得て、第１ＵＥは、任意の種類の第２ＵＥによって送信された同期信号を受信できる。
【０１７９】
同期信号は、ＳＬＳＳ＿ｎｅｔのいくつかのサブセットであり得て、または、ＳＬＳＳ＿ｏｏｎのいくつかのサブセットであり得る。これらのサブセットは、基地局によって構成されるか、または、予め設定され、特に、遠端ＵＥが同期信号を送信するときに使用される。
【０１８０】
ＳＬＳＳ＿ｎｅｔは、同期信号シーケンス識別子のセットであり、第１ＵＥがネットワークカバレッジエリア内の同期元であることを示すために使用される。ＳＬＳＳ＿ｏｏｎ（ＳＬＳＳ  ｏｕｔ  ｏｆ  ｎｅｔｗｏｒｋ）は、ネットワークカバレッジエリア外のＳＬＳＳである。
【０１８１】
４０２：第２ＵＥが遠端ＵＥであることを同期信号が示し、かつ、同期信号の信号品質が予め設定された閾値より高い場合、第１ＵＥが第１同期情報を決定する。
【０１８２】
予め設定された閾値は、基地局によって構成されるか、または、予め設定される。
【０１８３】
段階４０２において、伝送端すなわち第２ＵＥが遠端ＵＥであることを段階４０１における同期信号が示す場合、同期信号の信号品質がさらに検出され得る。例えば、信号品質は、基準信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）、基準信号受信品質（Ｒｅｆｅｒｅｎｃｅ  Ｓｉｇｎａｌ  Ｒｅｃｅｉｖｉｎｇ  Ｑｕａｌｉｔｙ、ＲＳＲＱ）、または、受信信号強度指標（Ｒｅｃｅｉｖｅｄ  Ｓｉｇｎａｌ  Ｓｔｒｅｎｇｔｈ  Ｉｎｄｉｃａｔｏｒ、ＲＳＳＩ）のいずれか１つである。このとき、同期信号の信号品質が予め設定された閾値より高い場合、第１ＵＥは、第１同期情報を決定する。
【０１８４】
第１ＵＥによって第１同期情報を決定するための方法については、上記の実施形態のいずれかを参照してよい。したがって、ここでは詳細を再度説明しない。
【０１８５】
４０３：第１ＵＥが第１同期情報を送信し、その結果、第２ＵＥが、受信された第１同期情報に従って、第２ＵＥの同期元を選択する。
【０１８６】
図８に示される適用シナリオにおいて、上記のプロセスによれば、遠端ＵＥが基地局のカバレッジエリア内にあるかどうかにかかわらず、および、第２リンクにおける中継ＵＥの信号品質にかかわらず、中継ＵＥのみが遠端ＵＥと中継ＵＥとの間のデータ通信中に第１同期情報を送信することが分かる。これにより、ＵＥ間の同期が実装され、遠端ＵＥの電力消費が減少する。
【０１８７】
［実施形態５］
具体的には、第２ＵＥがより高い精度の同期元を第２ＵＥの同期元として選択することを助けるべく、本発明のこの実施形態は、同期情報送信方法を提供する。図１０に示されるように、方法は具体的には、以下の段階を備える。
【０１８８】
５０１：第２ＵＥが第１同期情報を取得する。
【０１８９】
第１同期情報は、具体的には、異なる種類の同期元の優先度情報、および／または、異なる種類の同期元の同期信号品質閾値を含み得る。
【０１９０】
例えば、第１同期情報において、優先度の降順が以下の通りであることが規定されている。
【０１９１】
ネットワーク外のＵＥの受信器については、同期元の優先度は、ＧＮＳＳ、ＧＮＳＳと同期されているＵＥ、基地局と同期されているＵＥ、ローカルのタイミングを使用するＵＥの順序である。
【０１９２】
ネットワーク内のＵＥの受信器については、同期元の優先度は、基地局に基づいて構成され得て、優先度は、基地局、基地局と同期されているＵＥ、衛星、衛星と同期されているＵＥの順序であり得るか、または、衛星、基地局、基地局と同期されているＵＥ、衛星と同期されているＵＥの順序であり得る。
【０１９３】
様々な同期元の優先度に対応する同期信号品質閾値は、閾値１、閾値２、閾値３および閾値４である。これらの閾値は、基地局によって構成され得るか、または、予め設定され得る。
【０１９４】
５０２：第２ＵＥが、第１同期情報に従って、第１ＵＥを第２ＵＥの同期元として使用するかどうかを決定する。
【０１９５】
具体的には、第２ＵＥが第１同期情報を第１ＵＥから受信し、第１ＵＥの同期元がＧＮＳＳであり、ＧＮＳＳの優先度が最高である場合、第２ＵＥは、第１ＵＥを第２ＵＥの同期元として優先的に選択し得る。さらに、第２ＵＥは、第１ＵＥの信号品質が閾値１より高いかどうかを決定し、第１ＵＥの信号品質が閾値１より高い場合、第１ＵＥを第２ＵＥの同期元として使用することを決定する。
【０１９６】
第１ＵＥの信号品質が閾値１より高くない場合、第２ＵＥは、別のＵＥによって送信された第１同期情報に従って、優先度がＧＮＳＳより低い同期元を選択し得る。優先度がＧＮＳＳより低い同期元の信号品質が対応する閾値より高いとき、優先度がＧＮＳＳより低い同期元を第２ＵＥの同期元として使用し得る。
【０１９７】
特に、ＧＮＳＳが同期元として使用されるとき、比較的高い同期精度が達成されるので、第１同期情報はさらに、第１ＵＥのタイミングソース情報、および、第１ＵＥのネットワークカバレッジ情報を含み得る。
【０１９８】
例えば、１ビットのｉｎＧＮＳＳフィールドが第１同期情報として使用され得る。第１同期情報が「１」であるとき、第１ＵＥのタイミングが衛星に由来することが示される。第１同期情報が「０」であるとき、第１ＵＥのタイミングが衛星に由来しないことが示される。
【０１９９】
別の例については、表２に記載されている方式が、２種類の同期元を示すために使用され得る。
【表２】
2018537026.tif 000047
【０２００】
ＳＬＳＳ＿ｏｏｎは、同期信号シーケンス識別子のセットであり、第１ＵＥがネットワークカバレッジエリア外の同期元であることを示すために使用される。ＳＬＳＳ＿ｎｅｔは、同期信号シーケンス識別子のセットであり、第１ＵＥがネットワークカバレッジエリア内の同期元であることを示すために使用される。
【０２０１】
この場合、第１ＵＥのタイミングがＧＮＳＳに由来し、かつ、第１ＵＥがネットワークカバレッジエリアの外にある場合、第２ＵＥは、第１ＵＥを第２ＵＥの同期元として使用する。
【０２０２】
第２ＵＥは、複数の同期元（すなわち、複数の第１ＵＥ）によって送信された同期信号を受信したとき、第１同期情報に従って、比較的高い優先度および比較的高い信号品質を有する第１ＵＥを第２ＵＥの同期元として選択し得て、これにより、第２ＵＥの同期信頼性および同期精度を改善することが分かる。
【０２０３】
［実施形態６］
実施形態１から実施形態４の各々において、第１ＵＥが第１同期情報を送信する段階が説明されている。この実施形態においては、第１ＵＥが第１同期情報を送信する具体的な方式が重点的に説明されている。この方式の結果、受信端として使用される第２ＵＥは、物理層において、Ｄ２Ｄシステムにおける同期情報（本発明の実施形態において第２同期情報と称される）と第１同期情報とを区別でき、これにより、第２ＵＥによって実行される検出を単純化する。
【０２０４】
具体的には、Ｄ２Ｄ通信プロトコルは、３ＧＰＰプロトコルＲｅｌ−１２およびＲｅｌ−１３において定義され、通信プロトコルは通常、セルラー通信の周波数スペクトル上で使用される。
【０２０５】
インターネットオブビークル通信においては、より多くの周波数スペクトル、例えば、インテリジェントトラフィックシステム（Ｉｎｔｅｌｌｉｇｅｎｔ  Ｔｒａｆｆｉｃ  Ｓｙｓｔｅｍ，  ＩＴＳ）周波数スペクトル、すなわち、５．９ＧＨｚ付近の周波数スペクトルが使用され得る。この周波数スペクトルは、非セルラー通信周波数スペクトルである。当然ながら、代替的にセルラー通信周波数スペクトルがインターネットオブビークル通信において使用され得る。
【０２０６】
換言すると、同一の周波数スペクトルがＤ２Ｄシステムおよびインターネットオブビークルシステムにおいて使用されるという適用シナリオがある。したがって、セルラー通信周波数スペクトルにおいて、Ｄ２Ｄサービスおよびインターネットオブビークルサービスの両方が存在し得る。本発明のこの実施形態は、データが復調される前に、受信端（例えば、第２ＵＥ）が２つのサービスを区別することを助けるためのものである。さもなければ、Ｄ２Ｄ受信端がインターネットオブビークルサービスを受信および復調し、インターネットオブビークルにおける受信端がＤ２Ｄサービスを受信および復調するという問題が発生する。すなわち、物理層で復調が実行された後に初めて、２つのサービスをサービスレイヤで区別でき、これにより、受信端によって実行される不必要な検出および電力消費が発生する。
【０２０７】
これに鑑みて、本発明のこの実施形態は、同期情報送信方法を提供し、その結果、ＵＥ間で同期が実行されるとき、後続の通信サービスがＤ２Ｄサービスか、または、インターネットオブビークルサービスかを決定できる。
【０２０８】
具体的には、方法は、第１ＵＥが第１リンクにおいて第１同期情報を送信する段階を備え、第１同期情報は、３ＧＰＰプロトコルＲｅｌ−１２およびＲｅｌ−１３において定義されている第２同期情報と異なる。
【０２０９】
第１同期情報が第２同期情報と異なることは、具体的には、以下のうちの少なくとも１つを含む。
【０２１０】
１．第１同期情報における同期信号の、同期サブフレームにおけるシンボル位置が、第２同期情報における同期信号の、同期サブフレームにおけるシンボル位置と異なる。
【０２１１】
２．第１同期情報における同期信号の、同期サブフレームにおけるシンボル数が、第２同期情報における同期信号の、同期サブフレームにおけるシンボル数と異なる。
【０２１２】
３．第１同期情報における同期信号に使用されるシーケンスが、第２同期情報における同期信号に使用されるシーケンスと異なる。
【０２１３】
４．第１同期情報における同期信号に使用されるシーケンスの周波数領域マッピング方式が、第２同期情報における同期信号に使用されるシーケンスの周波数領域マッピング方式と異なる。
【０２１４】
５．第１同期情報を搬送する制御チャネルが、第２同期情報を搬送する制御チャネルと異なる。
【０２１５】
以下では、第１同期情報が第２同期情報と異なる、５つの具体的な場合を詳細に説明する。
【０２１６】
１．第１同期情報における同期信号（すなわちＳＬＳＳであり、ＳＬＳＳはＰＳＳＳおよびＳＳＳＳを含む）の、同期サブフレームにおけるシンボル位置が、第２同期情報における同期信号の、同期サブフレームにおけるシンボル位置と異なる。
【０２１７】
具体的には、図１１は、従来技術の通常サイクリックプリフィクス（Ｃｙｃｌｉｃ  Ｐｒｅｆｉｘ、ＣＰ）の場合における、第２同期情報におけるＰＳＳＳおよびＳＳＳＳの位置を示し、図１２は、従来技術の拡張ＣＰの場合における、第２同期情報におけるＰＳＳＳおよびＳＳＳＳの位置を示す。
【０２１８】
本発明では、通常ＣＰの場合、第２同期情報におけるＰＳＳＳのシンボル位置が移動され得る。図１１における第１タイムスロットのシンボル１におけるＰＳＳＳは、第１タイムスロットの別のシンボル、例えば、シンボル０、４、５または６にマッピングされ、第１同期情報におけるＰＳＳＳを取得する。代替的に、第２同期情報におけるＰＳＳＳのシンボル位置が移動され得る。図１１における第１タイムスロットのシンボル２におけるＰＳＳＳは、第１タイムスロットの別のシンボル、例えば、シンボル０、４、５または６にマッピングされ、第１同期情報におけるＰＳＳＳを取得する。ＧＡＰは、送信される信号が無いことを示す。
【０２１９】
本発明では、拡張ＣＰの場合、第２同期情報におけるＰＳＳＳのシンボル位置が移動され得る。図１２における第１タイムスロットのシンボル０におけるＰＳＳＳは、第１タイムスロットの別のシンボル、例えば、シンボル３、４または５にマッピングされ、第１同期情報におけるＰＳＳＳを取得する。代替的に、第２同期情報におけるＰＳＳＳのシンボル位置が移動され得る。図１２における第１タイムスロットのシンボル１におけるＰＳＳＳは、第１タイムスロットの別のシンボル、例えば、シンボル３、４または５にマッピングされ、第１同期情報におけるＰＳＳＳを取得する。
【０２２０】
同様に、通常ＣＰの場合、第２同期情報におけるＳＳＳＳのシンボル位置は移動され得る。図１１における第２タイムスロットのシンボル４および５におけるＳＳＳＳは、同期サブフレームにおける２つの連続するデータシンボル、例えば、タイムスロット１におけるシンボル４および５、タイムスロット１におけるシンボル５および６、タイムスロット１におけるシンボル６およびタイムスロット２におけるシンボル０、タイムスロット２におけるシンボル０および１、または、タイムスロット２におけるシンボル１および２にマッピングされ、最後に第１同期情報におけるＳＳＳＳを取得する。代替的に、第２同期情報におけるＳＳＳＳのシンボル位置は移動され得る。図１１における第２タイムスロットのシンボル４またはシンボル５におけるＳＳＳＳは、サブフレームにおける別のデータシンボル位置にマッピングされ、最後に第１同期情報におけるＳＳＳＳを取得する。
【０２２１】
拡張ＣＰの場合、第２同期情報におけるＳＳＳＳのシンボル位置は移動され得て、図１２における第２タイムスロットのシンボル３および４におけるＳＳＳＳは、同期サブフレームにおける２つの連続するデータシンボル、例えば、タイムスロット１におけるシンボル３および４、タイムスロット１におけるシンボル５およびタイムスロット２におけるシンボル０、または、タイムスロット２におけるシンボル０および１にマッピングされ、第１同期情報におけるＳＳＳＳを取得する。代替的に、第２同期情報におけるＳＳＳＳのシンボル位置は移動され得る。図１２における第２タイムスロットのシンボル３またはシンボル４におけるＳＳＳＳは、サブフレームにおける別のデータシンボル位置にマッピングされ、最後に第１同期情報におけるＳＳＳＳを取得する。
【０２２２】
ＳＳＳＳのシンボル位置が移動された後、データシンボルがＳＳＳＳの元のシンボル位置に追加されることに留意すべきである。同様に、ＰＳＳＳのシンボル位置が移動された後、データシンボルがＰＳＳＳの元のシンボル位置に追加される。
【０２２３】
２．第１同期情報における同期信号の、同期サブフレームにおけるシンボル数が、第２同期情報における同期信号の、同期サブフレームにおけるシンボル数と異なる。
【０２２４】
例えば、通常ＣＰの場合、ＰＳＳＳの元の位置は変化せず、１または２つのＰＳＳＳシンボルが同期サブフレームにおける第１タイムスロットのシンボル０および／またはシンボル３に追加され得る。代替的に、ＳＳＳＳの元の位置は変化せず、１または２つのＳＳＳＳシンボルが同期サブフレームにおける第２タイムスロットのシンボル２および／またはシンボル３に追加され得る。
【０２２５】
加えて、復調参照信号（Ｄｅｍｏｄｕｌａｔｉｏｎ  Ｒｅｆｅｒｅｎｃｅ  Ｓｉｇｎａｌ、ＤＭＲＳ）が同期サブフレームにおける第１タイムスロットのシンボル５、および、同期サブフレームにおける第２タイムスロットのシンボル１へ移動され得る。
【０２２６】
拡張ＣＰの場合、ＰＳＳＳの元の位置は変化せず、１つのＰＳＳＳシンボルが同期サブフレームにおける第１タイムスロットのシンボル３に追加され得る。代替的に、ＳＳＳＳの元の位置は変化せず、１つのＳＳＳＳシンボルが同期サブフレームにおける第２タイムスロットのシンボル２に追加され得る。
【０２２７】
同様に、ＤＭＲＳが、同期サブフレームにおける第１タイムスロットのシンボル４、および、同期サブフレームにおける第２タイムスロットのシンボル０の両方へ移動され得る。
【０２２８】
このようにして、同期信号におけるＰＳＳＳおよびＳＳＳＳの数を増加させることにより、同期サブフレーム全体において同期信号を復調する性能を改善することができる。
【０２２９】
３．第１同期情報における同期信号に使用されるシーケンスが、第２同期情報における同期信号に使用されるシーケンスと異なる。
【０２３０】
具体的には、上記の違いは、以下の１または複数の態様に存在する。第１同期情報における同期信号に使用される第１同期シーケンスが、第２同期情報における同期信号に使用される第１同期シーケンスと異なる。または、第１同期情報における同期信号に使用される第２同期シーケンスが、第２同期情報における同期信号に使用される第２同期シーケンスと異なる。または、第１同期情報における同期信号に使用される第１同期シーケンスおよび第２同期シーケンスの組み合わせ方式が、第２同期情報における同期信号に使用される第１同期シーケンスおよび第２同期シーケンスの組み合わせ方式と異なる。
【０２３１】
例えば、従来技術のＤ２Ｄにおいて使用される第２同期シーケンスは、以下の方式で生成される。ＰＳＳＳ同期シーケンスについては、従来技術のＤ２Ｄ通信技術において、ＰＳＳＳシーケンスは、長さが６３であるＺａｄｏｆｆ−Ｃｈｕシーケンスを使用することによって生成され、ルートシーケンス２６および３７は、ＰＳＳＳシーケンスに使用される。本発明において、ルートシーケンス２６および３７と異なるルートシーケンス（すなわち、第１同期シーケンス）、例えば、ルートシーケンスｘおよびｙが使用され得て、ここで、ｘおよびｙは２６および３７と異なる値である。
【０２３２】
代替的に、Ｄ２Ｄ通信と異なるシーケンスが使用され得る。例えば、ｍシーケンス、Ｇｏｌｄシーケンス、または別の擬似ランダムシーケンスが使用される。
【０２３３】
代替的に、異なるＺＣシーケンスが、第１同期情報における２つのＰＳＳＳシンボルに使用され得る。例えば、ルート番号（２６，３７）もしくは（３７，２６）を有するＺＣシーケンス、または、ルート番号（Ｘ，Ｙ）を有するシーケンスが、２つの隣接ＰＳＳＳの各々に使用され、ここで、ＸはＹに等しくない。
【０２３４】
ＳＳＳＳ同期シーケンスについては、従来技術のＤ２Ｄ通信技術において、二次同期シーケンスがロングタームエボリューション（Ｌｏｎｇ  Ｔｅｒｍ  Ｅｖｏｌｕｔｉｏｎ、ＬＴＥ）システムと同一であるシステムが、ＳＳＳＳシーケンスに使用される。実際には、ＳＳＳＳシーケンスは、長さが３１であるｍシーケンスを使用することによって生成されるＧｏｌｄシーケンスであり、対応するシーケンス番号は、０〜１６７である。
【０２３５】
Ｄ２Ｄ通信技術において使用されるシーケンスは、インターネットオブビークルにおける第１同期情報のＳＳＳＳにも使用され得るが、シーケンス番号は、１６７より大きい、ＬＴＥシステムのために確保されたシーケンスの番号であり得る。
【０２３６】
代替的に、異なるＳＳＳＳシーケンス番号が、２つのＳＳＳＳシーケンスが所在するシンボルにマッピングされ得るか、または、副搬送波へのシーケンスのマッピングが異なる方式で実行される。例えば、ＬＴＥシステムにおける、各ダウンリンクシステムフレームのサブフレーム０およびダウンリンクサブフレーム５のＳＳＳＳシーケンスが使用されるか、または、シーケンスを副搬送波にマッピングするための、以下の異なる方式が使用される。
【０２３７】
４．第１同期情報における同期信号に使用されるシーケンスの周波数領域マッピング方式が、第２同期情報における同期信号に使用されるシーケンスの周波数領域マッピング方式と異なる。
【０２３８】
具体的には、ＬＴＥシステムにおけるセルラーダウンリンクにおける各システムフレームのサブフレーム５におけるダウンリンク二次同期シーケンスが第２同期シーケンスとして使用され得て、および／または、第２同期シーケンスによって占有された偶数の副搬送波および奇数の副搬送波はそれぞれ、第２リンクにおけるサブフレーム０またはサブフレーム５における二次同期シーケンスの奇数の副搬送波および偶数の副搬送波上のシーケンスに対応する。
【０２３９】
例えば、従来技術のＤ２Ｄ通信技術において、ＬＴＥセルラーダウンリンクにおける各システムサブフレームのサブフレーム０におけるシーケンスが第２同期情報におけるＳＳＳＳシーケンスに使用され、マッピング方式は次式（１）で示される。
【数１】
2018537026.tif 000048
ここで、
【数２】
2018537026.tif 000049
は、偶数の副搬送波にマッピングされるシーケンスを示し、
【数３】
2018537026.tif 000050
は、奇数の副搬送波にマッピングされるシーケンスを示し、
【数４】
2018537026.tif 000051
、および、
【数５】
2018537026.tif 000052
は、
【数６】
2018537026.tif 000053
を生成するためのシーケンスであり、
【数７】
2018537026.tif 000054
、
【数８】
2018537026.tif 000055
、および、
【数９】
2018537026.tif 000056
は、
【数１０】
2018537026.tif 000057
を生成するためのシーケンスである。
【０２４０】
本発明のこの実施形態において、任意の方法は以下の通りである。
【０２４１】
方法１：ＬＴＥサブフレーム０におけるシーケンスは、第１同期情報におけるＳＳＳＳシーケンスとして使用され得るが、奇数の副搬送波および偶数の副搬送波にマッピングされるシーケンスは交換可能である。この場合、マッピング方式は次式（２）で示される。
【数１１】
2018537026.tif 000058
【０２４２】
方法２：ＬＴＥサブフレーム５におけるシーケンスが第１同期情報におけるＳＳＳＳシーケンスとして使用され得る。具体的な実装は以下の通りである。
【０２４３】
第１マッピング方式：このマッピング方式は、数式（１）と同様であり、次式（３）で示される。
【数１２】
2018537026.tif 000059
【０２４４】
第２マッピング方式：上記の数式（３）とは対照的に、奇数の副搬送波および偶数の副搬送波に対応するシーケンスは交換可能である。この場合、マッピング方式は次式（４）で示される。
【数１３】
2018537026.tif 000060
【０２４５】
５．第１同期情報を搬送する制御チャネルは、第２同期情報を搬送する制御チャネルと異なる。
【０２４６】
具体的な実施形態において、ここでは、制御チャネルは、第１同期情報を搬送するＰＳＢＣＨチャネルであり得る。
【０２４７】
具体的には、上記の違いは、以下のような１または複数の態様にある。
【０２４８】
（１）第１同期情報を搬送する制御チャネルに使用される復調参照信号は、第２同期情報を搬送する制御チャネルに使用される復調参照信号と異なる。
【０２４９】
例えば、第１同期情報を搬送する制御チャネルに使用される復調参照信号のシーケンスは、第２同期情報を搬送する制御チャネルに使用される復調参照信号のシーケンスと異なる。または、第１同期情報を搬送する制御チャネルに使用される復調参照信号のシンボル位置は、第２同期情報を搬送する制御チャネルに使用される復調参照信号のシンボル位置と異なる。または、第１同期情報を搬送する制御チャネルに使用される復調参照信号によって占有されるシンボル数は、第２同期情報を搬送する制御チャネルに使用される復調参照信号によって占有されるシンボル数と異なる。
【０２５０】
可能な設計において、拡張ＣＰサブフレームについては、図１３に示されるように、同期サブフレームにおけるタイムスロット１のシンボル５において、新しく追加されたＤＭＲＳシンボルがある。図１４に示されるように、同期サブフレームにおけるタイムスロット１のシンボル４およびタイムスロット２のシンボル０の各々において新しく追加されたＤＭＲＳシンボルがある。
【０２５１】
別の可能な設計において、通常ＣＰサブフレームについては、図１５に示されるように、ＤＭＲＳシンボルがタイムスロット１のシンボル６に追加され得て、ＤＭＲＳシンボルがタイムスロット２のシンボル０に追加され得る。図１６に示されるように、ＤＭＲＳシンボルがタイムスロット１のシンボル６およびタイムスロット２のシンボル０の両方に追加され得て、ＤＭＲＳシンボルは、タイムスロット１のシンボル５およびタイムスロット２のシンボル１の両方に追加され得る。
【０２５２】
任意で、タイムスロット１のシンボル１およびシンボル２における２つのＰＳＳＳシンボルが、シンボル０およびシンボル１に追加され得る。
【０２５３】
このようにして、ＤＭＲＳを使用することによってすべてのデータシンボルを推定する最適な性能を保証できる。加えて、第１タイムスロットにおいて、ＰＳＳＳがシンボル０の位置へ移動された後、シンボル０にはデータシンボルが無く、シンボル２におけるデータシンボルはＤＭＲＳに隣接し、その結果、データシンボルを推定する性能を保証できる。これにより、インターネットオブビークルにおいて、車両が高速で移動しているとき、車両の通信性能を改善できる。
【０２５４】
（２）第１同期情報を搬送する制御チャネルに使用される巡回冗長検査（Ｃｙｃｌｉｃ  Ｒｅｄｕｎｄａｎｃｙ  Ｃｈｅｃｋ、ＣＲＣ）マスクは、第２同期情報を搬送する制御チャネルに使用されるＣＲＣマスクと異なる。
【０２５５】
Ｄ２Ｄシステムにおいて、１６ビットＣＲＣがＰＳＢＣＨチャネルに使用され、ＣＲＣマスクは使用されない。すなわち、ＣＲＣマスクは、長さ１６のオールゼロビットを有する。
【０２５６】
例えば、インターネットオブビークルにおいて、長さ１６の非オールゼロビットを有するＣＲＣマスクが、第１同期情報を搬送する制御チャネルに追加され得て、これにより、Ｄ２ＤシステムにおけるＰＳＢＣＨとインターネットオブビークルにおけるＰＳＢＣＨとを区別する。
【０２５７】
例えば、インターネットオブビークルにおける第１同期情報のＰＳＢＣＨのＣＲＣマスク、および、Ｄ２Ｄシステムにおける第２同期情報のＰＳＢＣＨのＣＲＣマスクが表３に記載されている。
【表３】
2018537026.tif 000061
【０２５８】
（４）第１同期情報を搬送する制御チャネルのパケットサイズは、第２同期情報を搬送する制御チャネルのパケットサイズと異なる。
【０２５９】
例えば、Ｄ２Ｄシステムにおいて、ＰＳＢＣＨチャネルのパケットサイズは４０ビットであり、インターネットオブビークルシステムにおいて、ＰＳＢＣＨチャネルのパケットサイズは増加または減少し得て、その結果、受信端すなわち第２ＵＥは、伝送端によって使用されるＰＳＢＣＨチャネルを正確に検出できない。
【０２６０】
（５）第１同期情報を搬送する制御チャネルに使用される、スクランブルシーケンスの初期値、または、初期値の計算パラメータは、第２同期情報を搬送する制御チャネルに使用される、スクランブルシーケンスの初期値、または、初期値の計算パラメータと異なる。
【０２６１】
現在、Ｄ２ＤシステムにおけるＰＳＢＣＨチャネルに使用される、スクランブルシーケンスの初期値は、
【数１４】
2018537026.tif 000062
であり、インターネットオブビークルシステムにおいてＰＳＢＣＨに使用される初期値は、インターネットオブビークルシステムにおいて使用されるＩＤ、例えば、
【数１５】
2018537026.tif 000063
に変更され得る。当該ＩＤは、Ｄ２Ｄシステムにおいて使用されるＩＤと異なる。
【０２６２】
代替的に、インターネットオブビークルシステムにおけるスクランブルシーケンスの初期値は、
【数１４】
2018537026.tif 000064
以外の値、例えば、
【数１６】
2018537026.tif 000065
に設定され得て、Δは非ゼロの定数である。
【０２６３】
本発明のこの実施形態において提供される同期情報送信方法によれば、インターネットオブビークルシステムにおける第１同期情報は、Ｄ２Ｄシステムにおける第２同期情報と異なるように設定され、その結果、同期を実行するとき、受信端として使用される第２ＵＥは、後続の通信サービスがＤ２Ｄサービスか、または、インターネットオブビークルサービスかを決定できる。これにより、第１ＵＥまたは第２ＵＥによって実行される検出が簡略化し、不必要な誤検出が回避される。
【０２６４】
［実施形態７］  実施形態６において、第１同期情報を送信するための具体的な方法が提供されている。第１同期情報は、同期サブフレームにおける制御チャネル、例えばＰＳＢＣＨチャネル上で搬送され得て、同期サブフレームにおけるＤＭＲＳの数は、少なくとも３に増加し得る。この場合、使用可能なデータシンボルの数は減少し、ＰＳＢＣＨチャネルのビットレートは増加する。結果として、受信端、すなわち第２ＵＥの検出性能が低下する。
【０２６５】
加えて、従来技術のＤ２Ｄシステムにおける同期サイクルは４０ｍｓである。受信器（例えば第２ＵＥ）を同期信号と同期させるには数百ミリ秒かかり、その結果、信号を検出するために過剰に長い時間がかかる。根本原因は、既存のＤ２Ｄ同期信号の性能が望ましくないことである。
【０２６６】
これに鑑みて、本発明のこの実施形態は、第１同期情報送信方法を提供する。第１同期情報は周期的に送信されるので、同期サイクルにおいて、第１同期情報は、Ｎ個の同期サブフレームを使用することによって送信され得て、ここで、Ｎは２より小さくない正の整数である。
【０２６７】
具体的には、各同期サブフレームにおける第１同期情報を送信する具体的な方式については、実施形態６において提供される方法を参照されたい。したがって、ここでは詳細を再度説明しない。
【０２６８】
Ｎ個の同期サブフレームは、同期サイクルにおけるＮ個の隣接サブフレームであり、または、Ｎ個の同期サブフレームの間の時間間隔は、同期サイクルの１／Ｎである。
【０２６９】
好ましくは、図１７に示されているように、第１同期情報を送信するために、２つの同期サブフレーム（すなわち、第１同期サブフレームおよび第２同期サブフレーム）が使用され得る。加えて、２つのサブフレームにおける同期信号は、同一でも異なっていてもよい。
【０２７０】
例えば、第１同期情報を送信するために、２つの同期サブフレーム（すなわち、第１同期サブフレームおよび第２同期サブフレーム）が使用される。第１同期サブフレームにおける第１同期シーケンスは、第２同期サブフレームにおける第１同期シーケンスと異なり、および／または、第１同期サブフレームにおける第２同期シーケンスは、第２同期サブフレームにおける第２同期シーケンスと異なる。
【０２７１】
例えば、第１同期サブフレームおよび第２同期サブフレームにおける同期信号は厳密に同一である。例えば、一次同期信号は同一であり、ＬＴＥ二次同期サブフレーム１における信号は、二次同期信号として使用される。
【０２７２】
代替的に、第１同期サブフレームおよび第２同期サブフレームにおける同期信号は異なる。例えば、一次同期信号は異なる。すなわち、第１同期サブフレームにおける一次同期信号は、第２同期サブフレームにおける一次同期信号と異なり得て、ここで、２つの一次同期信号は、同一のシンボルである。代替的に、ＬＴＥサブフレーム０における二次同期信号およびＬＴＥサブフレーム５における二次同期信号はそれぞれ、第１同期サブフレームおよび第２同期サブフレームにおいて使用され得る。
【０２７３】
Ｎ個の同期サブフレームを使用することによって第１同期情報が送信される上記の適用シナリオにおいて、ＰＳＢＣＨチャネルなどの制御チャネルについてのマッピング方法は、以下の通りである。第１同期情報を搬送する制御チャネルは、少なくともＭ個の部分を含み、Ｍ個の部分はそれぞれ、Ｎ個の同期サブフレームにマッピングされる。または、第１同期情報を搬送する制御チャネルは、同期サイクルにおいてＭ回伝送され、ここで、Ｍは２より小さくない正の整数である。
【０２７４】
例えば、２つの同期サブフレーム（すなわち、第１同期サブフレームおよび第２同期サブフレーム）が、第１同期情報を送信するために使用される。制御チャネルを２つのサブフレームにマッピングすることは、以下の通りであり得る。
【０２７５】
ＰＳＢＣＨチャネルについての内容の同一部分はそれぞれ、第１同期サブフレームおよび第２同期サブフレームにマッピングされ得る。すなわち、１チャネルについての内容の２つの同一部分が送信される。
【０２７６】
代替的に、チャネル符号化、ＣＲＣ、および変調（ＱＰＳＫなど）がＰＳＢＣＨチャネルについての内容の１つの部分に対して実行され得て、処理されたＰＳＢＣＨチャネルは、２つの部分に分割され、２つの部分はそれぞれ、第１同期サブフレームおよび第２同期サブフレームにマッピングされる。すなわち、１つのチャネルについての２つの異なる部分はそれぞれ、２つのサブフレームにマッピングされ、送信される。
【０２７７】
さらに、Ｎ個の同期サブフレームが１組の同期リソースとして使用され得る場合、少なくとも２組の同期リソースが同期サイクルに含まれ得る。図１８に示されるように、サブフレーム００およびサブフレーム０１は、１組の同期リソースとして使用され、サブフレーム１０およびサブフレーム１１は、別の組の同期リソースとして使用される。
【０２７８】
この場合、第１ＵＥは、第１同期情報を送信するとき、第１同期情報を送信するために、少なくとも２組の同期リソースのうちの１つを選択し得て、別の組の同期リソースを使用して、別のＵＥによって送信された同期情報、例えば第３同期情報を受信し得る。
【０２７９】
換言すると、１組の同期リソースを使用して第１同期情報を送信するとき、第１ＵＥは、別の組の同期リソースを同時に使用して、別のＵＥによって送信された同期情報を受信し得る。これにより、第１ＵＥが第１同期情報を送信するとき、別のＵＥ、すなわち、別の同期元によって送信された同期信号を同時に検出できないという場合を回避する。
【０２８０】
本発明のこの実施形態に提供される同期情報送信方法によれば、Ｎ個の同期サブフレームを使用することによって、同期サイクルにおいて第１同期情報が送信され、その結果、ＤＭＲＳの数を保証しながら、同期サブフレームにおけるデータシンボルの数を増加させることができる。この結果、制御チャネルのビットレートが減少し、これにより、第２ＵＥによる、制御チャネルおよび第１同期情報の検出の性能が改善する。
【０２８１】
［実施形態８］
図１９は、本発明のこの実施形態に係る同期情報送信装置の概略構造図である。本発明のこの実施形態において提供される同期情報送信装置は、図１から図１８に示される本発明の実施形態における方法を実装するように構成され得る。説明を容易にするため、本発明のこの実施形態に関連する部分のみを説明する。開示されていない技術的詳細については、図１から図１８に示される本発明の実施形態を参照されたい。
【０２８２】
同期情報送信装置は、具体的には、携帯電話または車両などのＵＥ、例えば、実施形態１から実施形態７における第１ＵＥであり得る。
【０２８３】
図１９に示されるように、同期情報送信装置は決定ユニット０１および送信ユニット０２を備える。
【０２８４】
決定ユニット０１は、第１同期情報を決定するように構成されている。ここで、第１同期情報は、同期元として使用される第１ＵＥの優先度を示すために使用される。
【０２８５】
送信ユニット０２は、第１同期情報を送信するように構成され、その結果、第２ＵＥは、受信された第１同期情報に従って、第２ＵＥの同期元を選択する。
【０２８６】
第１同期情報は同期元として使用される第１ＵＥの優先度を示し得るので、第２ＵＥの同期元を選択するとき、第２ＵＥは、複数の受信された第１同期情報に従って、比較的高い優先度を有する第１ＵＥを第２ＵＥの同期元として選択し得て、これにより、インターネットオブビークルなどの、超高信頼性かつ低遅延通信のシナリオにおいて、ＵＥ間の同期の信頼性および精度を保証する。
【０２８７】
さらに、図２０に示されているように、装置は、基地局から、または、予め定められた方式で、第１構成情報を取得するように構成されている取得ユニット０３をさらに備え、ここで、第１構成情報は、第１ＵＥおよび第１ＵＥの同期元に使用される周波数情報および／またはタイミング情報を含み、第１ＵＥの同期元のタイミングは衛星デバイスに由来し、ここで、第１同期情報は、第１リンクの周波数が第２リンクの周波数であるかどうかを示す情報、および／または、第２リンクについてのタイミングが衛星デバイスに由来するかどうかを示す情報、および／または、第２リンクについてのタイミングが衛星デバイスのタイミングに揃えられているかどうかを示す情報を含み、ここで、第２リンクは、第１ＵＥと基地局との間のリンクであり、第１リンクは、第１ＵＥと第２ＵＥとの間のリンクである。
【０２８８】
このようにして、第１リンクの周波数が第２リンクの周波数と同一であり、かつ、第２ＵＥが第１ＵＥを同期元として選択するとき、第２ＵＥのタイミングが第２リンクにおける基地局のタイミングと同一であるので、タイミングの違いに起因する、第２リンクにおける基地局の受信器またはＵＥの受信器に対する潜在的な干渉を回避できる。第２リンクについてのタイミングが衛星デバイスに由来し、かつ、第２ＵＥが第１ＵＥを同期元として選択するとき、第２ＵＥのタイミングが第２リンクにおける基地局のタイミングと同一であるので、第１リンクにおける同期精度および安定性を改善できる。
【０２８９】
代替的に、取得ユニット０３は、基地局から、または、予め定められた方式で、第２構成情報を取得するように構成され、ここで、第２構成情報は、第１ＵＥが所在するセルのカバレッジエリア情報を含み、第１ＵＥの同期元のタイミングは、衛星デバイスと無関係であり、ここで、第１同期情報は、第１ＵＥのサービングセルの伝送電力を示す情報、および／または、第１ＵＥのサービングセルのカバレッジ半径を示す情報、および／または、第２リンクにおける第１ＵＥとサービングセルとの間のＴＡ値を示す情報を含む。
【０２９０】
第１同期情報は、第１ＵＥの同期元、および、第１ＵＥが所在するセルのカバレッジエリア情報を反映し得て、その結果、第２ＵＥは、第２ＵＥの同期元を選択するとき、第１同期情報に従って、比較的小さいカバレッジエリアを有するセルに対応する第１ＵＥを第２ＵＥの同期元として選択でき、これにより、比較的小さい半径を有するセルカバレッジ領域における、基地局のアップリンク受信器に対する干渉を低減または除去する。
【０２９１】
さらに、決定ユニット０１は、具体的には、基地局から、または、予め定められた方式で第１同期情報を取得するように構成され、第１同期情報は第１サイドリンク同期信号ＳＬＳＳを含み、送信ユニット０２は、第１ＵＥと第２ＵＥとの間のタイミング遅延が予め設定されたトリガ条件を満たしている場合、第１同期情報を送信するように構成されている。
【０２９２】
第１ＵＥが第１セルに所在し、第２ＵＥが第１セルに隣接する第２セルに所在する場合、予め設定されたトリガ条件は、第１セルのタイミングと第２セルのタイミングとの間の差が第１の予め設定された値より高いこと、第１セルのタイミングおよび第２セルのタイミングが非同期状態であること、第１セルのカバレッジ半径と第２セルのカバレッジ半径との間の差が第２の予め設定された値より高いこと、または、第１セルの伝送電力と第２セルの伝送電力との間の差が第３の予め設定された値より高いことのうちの少なくとも１つを含む。
【０２９３】
対応して、第１ＵＥおよび第２ＵＥの両方が第１セルに所在する場合、予め設定されたトリガ条件は、第２リンクにおける第１ＵＥのＴＡ値が第４の予め設定された値より高いことである。
【０２９４】
第１ＵＥが第１同期情報を送信するためのトリガ条件が追加され、その結果、これらの条件に従ってＳＬＳＳを送信するように第１ＵＥをトリガでき、これにより、ＵＥによって、第１リンクにおいて、送信されるようにトリガされたＳＬＳＳを使用することによって、第１リンクにおけるより良い同期が実装される。その結果、遅延差に起因してＵＥ間で発生する、パケット損失または検出誤りなどの問題を減らすことができ、これにより、第１リンク全体の通信性能が改善する。
【０２９５】
例えば、第１同期情報は第１リンク物理制御チャネルおよび／またはＳＬＳＳにおいて搬送される。
【０２９６】
代替的に、決定ユニット０１は、第２ＵＥによって送信された同期信号を受信するように、および、第２ＵＥが遠端ＵＥであることを同期信号が示し、かつ、同期信号の信号品質が予め設定された閾値より高い場合、第１同期情報を決定するように構成されている。
【０２９７】
このようにして、上記のプロセスによれば、遠端ＵＥが基地局のカバレッジエリア内にあるかどうかにかかわらず、および、第２リンクにおける中継ＵＥの信号品質にかかわらず、中継ＵＥのみが遠端ＵＥと中継ＵＥとの間のデータ通信中に第１同期情報を送信する。これにより、ＵＥ間の同期が実装され、遠端ＵＥの電力消費が減少する。
【０２９８】
例えば、第１同期情報は、以下のいずれか１つを含む。第１同期情報は、第１ＵＥのタイミングが衛星デバイスと同一であることを示し、第１同期情報は、第１ＵＥがネットワーク内にあることを示すシーケンスを含み、第１ＵＥがネットワーク内に由来すること、かつ、第１ＵＥのタイミングが衛星デバイスと同期状態であることを意味する。第１同期情報は、第１ＵＥのタイミングが衛星デバイスと同一であることを示し、第１同期情報は、第１ＵＥがネットワーク外にあることを示すシーケンスを含み、第１ＵＥがネットワーク外に由来すること、かつ、第１ＵＥのタイミングが衛星デバイスと同一であることを意味する。第１同期情報は、第１ＵＥのタイミングが衛星デバイスと異なることを示し、第１同期情報は、第１ＵＥがネットワーク内にあることを示すシーケンスを含み、第１ＵＥがネットワーク内に由来すること、かつ、第１ＵＥのタイミングが衛星デバイスと異なることを意味する。または、第１同期情報は、第１ＵＥのタイミングが衛星デバイスと異なることを示し、第１同期情報は、第１ＵＥがネットワーク外にあることを示すシーケンスを含み、第１ＵＥがネットワーク外にあること、かつ、自身のタイミングを使用することを意味する。
【０２９９】
図２１は、本発明の実施形態に係る同期情報送信装置の概略構造図である。本発明のこの実施形態において提供される同期情報送信装置は、図１から図１８に示される本発明の実施形態における方法を実装するように構成され得る。説明を容易にするため、本発明のこの実施形態に関連する部分のみを説明する。開示されていない技術的詳細については、図１から図１８に示される本発明の実施形態を参照されたい。
【０３００】
同期情報送信装置は、具体的には、携帯電話または車両などのＵＥ、例えば、実施形態１および実施形態７における第１ＵＥであり得る。
【０３０１】
図２１に示されるように、同期情報送信装置は決定ユニット１１および送信装置１２を備える。
【０３０２】
決定ユニット１１は、第１同期情報を決定するように構成されている。
【０３０３】
送信ユニット１２は、第１リンクにおいて、第１同期情報を送信するように構成され、第１同期情報は第２同期情報と異なり、第１リンクは、第１ＵＥと第２ＵＥとの間のリンクである。
【０３０４】
第１同期情報が第２同期情報と異なることは、具体的には、第１同期情報における同期信号の、同期サブフレームにおけるシンボル位置が、第２同期情報における同期信号の、同期サブフレームにおけるシンボル位置と異なること、第１同期情報における同期信号の、同期サブフレームにおけるシンボル数が、第２同期情報における同期信号の、同期サブフレームにおけるシンボル数と異なること、第１同期情報における同期信号に使用されるシーケンスが、第２同期情報における同期信号に使用されるシーケンスと異なること、第１同期情報における同期信号に使用されるシーケンスの周波数領域マッピング方式が、第２同期情報における同期信号に使用されるシーケンスの周波数領域マッピング方式と異なること、または、第１同期情報を搬送する制御チャネルが、第２同期情報を搬送する制御チャネルと異なることのうちの少なくとも１つを含む。
【０３０５】
具体的には、第１同期情報における同期信号に使用されるシーケンスが、第２同期情報における同期信号に使用されるシーケンスと異なることは、第１同期情報における同期信号に使用される第１同期シーケンスが、第２同期情報における同期信号に使用される第１同期シーケンスと異なること、第１同期情報における同期信号に使用される第２同期シーケンスが、第２同期情報における同期信号に使用される第２同期シーケンスと異なること、または、第１同期情報における同期信号に使用される第１同期シーケンスおよび第２同期シーケンスの組み合わせ方式が、第２同期情報における同期信号に使用される第１同期シーケンスおよび第２同期シーケンスの組み合わせ方式と異なること、のうちの少なくとも１つを含む。
【０３０６】
第１同期情報における同期信号に使用されるシーケンスの周波数領域マッピング方式が、第２同期情報における同期信号に使用されるシーケンスの周波数領域マッピング方式と異なることは、第２リンクにおけるサブフレーム５におけるダウンリンク二次同期シーケンスが第２同期シーケンスとして使用されることであって、第２リンクは、第１ＵＥと基地局との間のリンクである、こと、および／または、第２同期シーケンスによって占有される偶数の副搬送波および奇数の副搬送波はそれぞれ、第２リンクにおけるサブフレーム０またはサブフレーム５における、二次同期シーケンスの奇数の副搬送波および偶数の副搬送波に対応するシーケンスに対応することを含む。
【０３０７】
第１同期情報を搬送する制御チャネルが、第２同期情報を搬送する制御チャネルと異なることは、具体的には、第１同期情報を搬送する制御チャネルに使用される復調参照信号が、第２同期情報を搬送する制御チャネルに使用される復調参照信号と異なること、第１同期情報を搬送する制御チャネルに使用されるＣＲＣマスクが、第２同期情報を搬送する制御チャネルに使用されるＣＲＣマスクと異なること、第１同期情報を搬送する制御チャネルのパケットサイズが、第２同期情報を搬送する制御チャネルのパケットサイズと異なること、または、第１同期情報を搬送する制御チャネルに使用される、スクランブルシーケンスの初期値、または、初期値の計算パラメータが、第２同期情報を搬送する制御チャネルに使用される、スクランブルシーケンスの初期値、または、初期値の計算パラメータと異なることのうちの少なくとも１つを含む。
【０３０８】
第１同期情報を搬送する制御チャネルに使用される復調参照信号が、第２同期情報を搬送する制御チャネルに使用される復調参照信号と異なることは、第１同期情報を搬送する制御チャネルに使用される復調参照信号のシーケンスが、第２同期情報を搬送する制御チャネルに使用される復調参照信号のシーケンスと異なること、第１同期情報を搬送する制御チャネルに使用される復調参照信号のシンボル位置が、第２同期情報を搬送する制御チャネルに使用される復調参照信号のシンボル位置と異なること、または、第１同期情報を搬送する制御チャネルに使用される復調参照信号によって占有されるシンボル数が、第２同期情報を搬送する制御チャネルに使用される復調参照信号によって占有されるシンボル数と異なることのうちの少なくとも１つを含む。
【０３０９】
例えば、通常ＣＰの場合、第１同期情報を搬送する制御チャネルは、同期サブフレームにおける、第１タイムスロットのシンボル３および６、ならびに、第２タイムスロットのシンボル０および３を占有し、または、第１同期情報を搬送する制御チャネルは、同期サブフレームにおける、第１タイムスロットのシンボル３および５、ならびに、第２タイムスロットのシンボル１および３を占有し、拡張ＣＰの場合、第１同期情報を搬送する制御チャネルは、同期サブフレームにおける、第１タイムスロットのシンボル２および５、ならびに、第２タイムスロットのシンボル２を占有し、または、第１同期情報を搬送する制御チャネルは、同期サブフレームにおける、第１タイムスロットのシンボル２および４、ならびに、第２タイムスロットのシンボル０および２を占有する。
【０３１０】
このようにして、インターネットオブビークルシステムにおける第１同期情報は、Ｄ２Ｄシステムにおける第２同期情報と異なるように設定され、その結果、同期を実行するとき、受信端として使用される第２ＵＥは、後続の通信サービスがＤ２Ｄサービスか、または、インターネットオブビークルサービスかを決定できる。これにより、第１ＵＥまたは第２ＵＥによって実行される検出を簡略化し、不必要な誤検出を回避する。
【０３１１】
さらに、送信ユニット１２は、具体的には、Ｎ個の同期サブフレームを使用することによって、同期サイクルにおいて、第１同期情報を送信するように構成され、Ｎは２より小さくない正の整数である。
【０３１２】
Ｎ個の同期サブフレームは、同期サイクルにおけるＮ個の隣接サブフレームであるか、または、Ｎ個の同期サブフレームの間の時間間隔は、同期サイクルの１／Ｎである。
【０３１３】
例えば、Ｎ個の同期サブフレームが第１同期サブフレームおよび第２同期サブフレームを含む場合、第１同期サブフレームにおける第１同期シーケンスは、第２同期サブフレームにおける第１同期シーケンスと異なり、および／または、第１同期サブフレームにおける第２同期シーケンスは、第２同期サブフレームにおける第２同期シーケンスと異なる。
【０３１４】
さらに、送信ユニット１２は、具体的には、少なくとも２組の同期リソースのうちの１つを使用することによって、第１同期情報を送信し、および、少なくとも２組の同期リソースにおける別の組の同期リソースを使用することによって、別のＵＥによって送信された第３同期情報を受信するように構成されている。
【０３１５】
このようにして、第１同期情報は、同期サイクルにおいて、Ｎ個の同期サブフレームを使用することによって送信され、その結果、ＤＭＲＳの数を保証しながら、同期サブフレームにおけるデータシンボルの数を増加させることができる。この結果、制御チャネルのビットレートが減少し、これにより、第２ＵＥによる、制御チャネルおよび第１同期情報の検出の性能が改善する。
【０３１６】
図２２は、本発明の実施形態に係る同期情報送信装置の概略構造図である。本発明の実施形態において提供される同期情報送信装置は、図１から図１８に示される本発明のこの実施形態における方法を実装するように構成され得る。説明を容易にするため、本発明のこの実施形態に関連する部分のみを説明する。開示されていない技術的詳細については、図１から図１８に示される本発明の実施形態を参照されたい。
【０３１７】
同期情報送信装置は、具体的には、携帯電話または車両などのＵＥ、例えば、実施形態１から実施形態７における第２ＵＥであり得る。
【０３１８】
図２２に示されるように、同期情報送信装置は、取得ユニット２１および決定ユニット２２を備える。
【０３１９】
取得ユニット２１は、第１同期情報を取得するように構成されている。ここで、第１同期情報は、同期元として使用される第１ＵＥの優先度を示すために使用される。
【０３２０】
決定ユニット２２は、第１同期情報に従って、第１ＵＥを第２ＵＥの同期元として使用するかどうかを決定するように構成されている。
【０３２１】
さらに、決定ユニット２２は、具体的には、第１リンクの周波数が第２リンクの周波数である場合、第２ＵＥによって、第１ＵＥを第２ＵＥの同期元として使用し、または、第２リンクについてのタイミングが衛星デバイスに由来する場合、第２ＵＥによって、第１ＵＥを第２ＵＥの同期元として使用し、または、第１リンクの周波数が第２リンクの周波数であり、かつ、第２リンクのタイミングが衛星デバイスに由来する場合、第２ＵＥによって、第１ＵＥを第２ＵＥの同期元として使用するように構成されている。
【０３２２】
第１同期情報は、第１リンクの周波数が第２リンクの周波数かどうかを示す情報、および／または、第２リンクについてのタイミングが衛星デバイスに由来するかどうかを示す情報、および／または、第２リンクについてのタイミングが衛星デバイスのタイミングに揃えられているかどうかを示す情報を含み、第２リンクは、第１ＵＥと基地局との間のリンクであり、第１リンクは、第１ＵＥと第２ＵＥとの間のリンクである。
【０３２３】
代替的に、決定ユニット２２は、具体的には、第１ＵＥが所在するセルの伝送電力が第１閾値より低い場合、第２ＵＥによって、第１ＵＥを第２ＵＥの同期元として使用し、および／または、第１ＵＥが所在するセルのカバレッジ半径が第２閾値より低い場合、第２ＵＥによって、第１ＵＥを第２ＵＥの同期元として使用し、および／または、第２リンクにおける第１ＵＥのＴＡ値が第３閾値より低い場合、第２ＵＥによって、第１ＵＥを第２ＵＥの同期元として使用するように構成されている。
【０３２４】
第１同期情報は、第１ＵＥが所在するセルの伝送電力を示す情報を備え、および／または、第１ＵＥが所在するセルのカバレッジ半径を示す情報、および／または、第２リンクにおける第１ＵＥのタイミングアドバンスＴＡ値を示す情報を含む。
【０３２５】
代替的に、決定ユニット２２は、具体的には、最高優先度を有する同期元を選択するように構成され、最高優先度を有する同期元の信号品質が、最高優先度を有する同期元に対応する信号品質閾値より低いとき、最高優先度を有する同期元より低い優先度を有する同期元を第２ＵＥの同期元として選択し、第１同期情報は、異なる種類の同期元の優先度情報、および／または、異なる種類の同期元の同期信号品質閾値を含む。
【０３２６】
代替的に、決定ユニット２２は、具体的には、第１ＵＥのタイミングソース情報が、第１ＵＥのタイミングが衛星デバイスに由来することを示し、かつ、第１ＵＥのネットワークカバレッジ情報が、第１ＵＥがネットワークカバレッジエリア外にあることを示す場合、第２ＵＥによって、第１ＵＥを第２ＵＥの同期元として使用するように構成され、第１同期情報は、第１ＵＥのタイミングソース情報、および、第１ＵＥのネットワークカバレッジ情報を含む。
【０３２７】
加えて、図２３に示されるように、図１９から図２２の同期情報送信装置は、図２３におけるユーザ機器ＵＥとして実装され得る。
【０３２８】
図２３は、本発明の実施形態に係るユーザ機器の概略図である。ユーザ機器１００は、少なくとも１つのプロセッサ３１、通信バス３２、メモリ３３および少なくとも１つの通信インタフェース３４を備える。加えて、プロセッサ３１、通信インタフェース３４およびメモリ３３は、通信バス３２を使用することによって互いに通信する。
【０３２９】
例えば、決定ユニット０１、１１および２２、送信ユニット０２および１２、ならびに取得ユニット０３および２１は、図２３に示されるプロセッサ３１が、メモリ３３内の命令を呼び出すことによって実装され得る。
【０３３０】
具体的には、メモリ３３は、コンピュータ実行可能命令を記憶するように構成される。プロセッサ３１は、通信バス３２を使用することによってメモリ３３に接続される。ユーザ機器１００が動作しているとき、プロセッサ３１は、メモリ３３に記憶されたコンピュータ実行可能命令を実行し、その結果、ユーザ機器１００は、図１から図１８に示される同期情報送信方法を実行する。
【０３３１】
プロセッサ３１は、中央処理装置（ｃｅｎｔｒａｌ  ｐｒｏｃｅｓｓｉｎｇ  ｕｎｉｔ、ＣＰＵ）であり得る。プロセッサ３１は、代替的に、別の汎用プロセッサ、デジタル信号プロセッサ（ｄｉｇｉｔａｌ  ｓｉｇｎａｌ  ｐｒｏｃｅｓｓｉｎｇ、ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ−ｐｒｏｇｒａｍｍａｂｌｅ  ｇａｔｅ  ａｒｒａｙ、ＦＰＧＡ）、別のプログラマブル論理デバイス、ディスクリートゲートもしくはトランジスタ論理デバイス、または、ディスクリートハードウェアコンポーネントなどであり得る。汎用プロセッサはマイクロプロセッサであり得るか、または、プロセッサは従来のプロセッサなどであり得る。
【０３３２】
プロセッサ３１は、ユーザ機器１００の制御中心である。プロセッサ３１は、通信インタフェース３４によって受信されたデータを処理し、メモリ３３内のソフトウェアを呼び出すか、または、メモリ３３内のプログラムを呼び出し、ユーザ機器１００の様々な機能を実行する。
【０３３３】
通信バス３２は、チャネルを含み得て、上記コンポーネントの間で情報を伝達する。通信インタフェース３４は、任意のトランシーバなどの装置を使用して、別のデバイス、または、Ｅｔｈｅｒｎｅｔ（登録商標）、無線アクセスネットワーク（ＲＡＮ）、または、無線ローカルエリアネットワーク（Ｗｉｒｅｌｅｓｓ  Ｌｏｃａｌ  Ａｒｅａ  Ｎｅｔｗｏｒｋｓ、ＷＬＡＮ）などの通信ネットワークと通信する。
【０３３４】
メモリ３３は、リードオンリメモリ（ｒｅａｄ−ｏｎｌｙ  ｍｅｍｏｒｙ、ＲＯＭ）もしくは静的情報および命令を記憶し得る別の種類の静的ストレージデバイス、または、ランダムアクセスメモリ（ｒａｎｄｏｍ  ａｃｃｅｓｓ  ｍｅｍｏｒｙ、ＲＡＭ）もしくは情報および命令を記憶し得る別の種類の動的ストレージデバイスであり得て、または、電気消去可能プログラマブルリードオンリメモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスクリードオンリメモリ（Ｃｏｍｐａｃｔ  Ｄｉｓｃ  Ｒｅａｄ−Ｏｎｌｙ  Ｍｅｍｏｒｙ、ＣＤ‐ＲＯＭ）もしくは別の光ディスクストレージ、光ディスクストレージ（コンパクトディスク、レーザディスク、光ディスク、デジタルバーサタイルディスクまたはブルーレイディスクなどを含む）、磁気ディスク記憶媒体、別の磁気ストレージデバイス、または、所望のプログラムコードを命令もしくはデータの構造的な形式で保持もしくは記憶するために使用でき、コンピュータによってアクセスできる任意の他の媒体であり得るが、これに限定されない。メモリは独立に存在し得て、バスを使用することによってプロセッサに接続される。代替的に、メモリは、プロセッサと統合され得る。
【０３３５】
メモリ３３は、本発明の解決法において、アプリケーションプログラムコードを記憶および実行するように構成され、プロセッサ３１は実行を制御する。プロセッサ３１は、メモリ３３に記憶されたアプリケーションプログラムコードを実行するように構成されている。
【０３３６】
具体的な実装中、ある実施形態において、プロセッサ３１は、１または複数のＣＰＵ、例えば、図２３におけるＣＰＵ０およびＣＰＵ１を含み得る。
【０３３７】
具体的な実装中、ある実施形態において、ユーザ機器１００は、複数のプロセッサ、例えば、図２３におけるプロセッサ３１およびプロセッサ３８を備え得る。プロセッサの各々は、シングルコアプロセッサ（ｓｉｎｇｌｅ−ＣＰＵ）であり得るか、または、マルチコアプロセッサ（ｍｕｌｔｉ−ＣＰＵ）であり得る。ここでは、プロセッサは、１または複数のデバイス、回路、および／または、データ（例えばコンピュータプログラム命令）を処理するためのプロセッシングコアであり得る。
【０３３８】
具体的な実装中、ある実施形態において、ユーザ機器１００はさらに、出力デバイス３５および入力デバイス３６を備え得る。出力デバイス３５はプロセッサ３１と通信し、複数の方式で情報を表示し得る。例えば、出力デバイス３５は、液晶ディスプレイ（ｌｉｑｕｉｄ  ｃｒｙｓｔａｌ  ｄｉｓｐｌａｙ、ＬＣＤ）、発光ダイオード（ｌｉｇｈｔ  ｅｍｉｔｔｉｎｇ  ｄｉｏｄｅ、ＬＥＤ）ディスプレイデバイス、陰極線管（ｃａｔｈｏｄｅ  ｒａｙ  ｔｕｂｅ、ＣＲＴ）ディスプレイデバイス、プロジェクタ（ｐｒｏｊｅｃｔｏｒ）、または同様のものであってよい。入力デバイス３６は、プロセッサ３１と通信し、複数の方式でユーザ入力を受信し得る。例えば、入力デバイス３６は、マウス、キーボード、タッチスクリーンデバイスまたはセンサデバイスなどであり得る。
【０３３９】
上記のユーザ機器１００は、汎用コンピュータデバイスまたは専用コンピュータデバイスであり得る。具体的な実装中、ユーザ機器１００は、車載コンピュータ、ポータブルコンピュータ、ネットワークサーバ、パーソナルデジタルアシスタント（Ｐｅｒｓｏｎａｌ  Ｄｉｇｉｔａｌ  Ａｓｓｉｓｔａｎｔ、ＰＤＡ）、携帯電話、タブレットコンピュータ、無線端末デバイス、通信デバイス、組み込みデバイス、または、図２３と同様の構造を有するデバイスであり得る。本発明のこの実施形態において、ユーザ機器１００の種類は限定されない。
【０３４０】
本発明のこの実施形態において提供される同期情報送信装置は、同期される必要がある第２ＵＥへ第１同期情報を送信し得る。第１同期情報は同期元として使用される第１ＵＥの優先度を示し得るので、第２ＵＥの同期元を選択するとき、第２ＵＥは、複数の受信された第１同期情報に従って、比較的高い優先度を有する第１ＵＥを第２ＵＥの同期元として選択し得て、これにより、インターネットオブビークルなどの、超高信頼性かつ低遅延通信のシナリオにおいて、ＵＥ間の同期の信頼性および精度を保証する。
【０３４１】
当業者であれば、上記の機能モジュールの分割は、説明の便宜および簡潔性のために、説明のための例として使用されていることを明確に理解するであろう。実際の適用において、上記した機能は、必要に応じて異なる機能モジュールに割り当てられ、実装されることができる。つまり装置の内部構造が、上述した機能の全部または一部を実装すべく、異なる機能モジュールに分割される。上記システム、装置およびユニットの詳細な動作プロセスについては、上記方法の実施形態における対応するプロセスを参照されたい。ここでは詳細を再度説明しない。
【０３４２】
本願において提供されるいくつかの実施形態において、開示されるシステム、装置、および方法は、他の方式で実装され得ることを理解すべきである。例えば、説明された装置の実施形態は例に過ぎない。例えば、モジュールまたはユニットの分割は、論理的機能の分割に過ぎず、実際の実装においては、他の分割であり得る。例えば、複数のユニットまたはコンポーネントは、別のシステムと組み合わせられまたは統合されてよい。または、いくつかの特徴は、無視されてよく、または、実行されなくてよい。加えて、表示または説明された相互結合または直接的な結合もしくは通信接続は、いくつかのインタフェースを使用することによって実装され得る。装置間またはユニット間の間接連結または通信接続は、電子的、機械的、または他の形態で実装され得る。
【０３４３】
別個の部分として説明されたユニットは、物理的に分かれていてもそうでなくてもよく、また、ユニットとして表示された部分は、物理的なユニットであってもそうでなくてもよく、１箇所に所在していてもよく、または、複数のネットワークユニットにおいて分散されていてもよい。実施形態の解決法の目的を達成するための実際の要件に応じて、ユニットの一部または全部が選択されてよい。
【０３４４】
加えて、本発明の実施形態における機能ユニットは、１つの処理ユニットに統合されてよく、または、ユニットの各々は、物理的に単独で存在してよく、または、少なくとも２つのユニットが１つのユニットに統合されてよい。統合されたユニットは、ハードウェアの形態で実装されてよく、または、ソフトウェア機能ユニットの形態で実装されてよい。
【０３４５】
統合されたユニットがソフトウェア機能ユニットの形式で実装され、独立の製品として販売または使用されるとき、統合されたユニットは、コンピュータ可読記憶媒体に記憶されてよい。このような理解に基づいて、本質的に本発明の技術的解決法、または従来技術に寄与する部分、または技術的解決法の全部もしくは一部が、ソフトウェア製品の形態で実装されてよい。コンピュータソフトウェア製品は、記憶媒体に記憶され、コンピュータデバイス（パーソナルコンピュータ、サーバ、またはネットワークデバイスなどであってよい）またはプロセッサ（ｐｒｏｃｅｓｓｏｒ）に、本発明の実施形態において説明された方法の段階のすべてまたはいくつかを実行するように命令するためのいくつかの命令を含む。上記の記憶媒体は、プログラムコードを記憶できる、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクをなどの任意の媒体を含む。
【０３４６】
上記の説明は、本発明の具体的な実装に過ぎず、本発明の保護範囲を限定することを意図するものではない。本発明において開示される技術的範囲内において当業者により容易に想到されるあらゆる変形または置き換えは、本発明の保護範囲に属するものとする。したがって、本発明の保護範囲は、特許請求の範囲の保護範囲によって決まるものとする。
【国際調査報告】
2018537026.tif 000066
2018537026.tif 000067
2018537026.tif 000068
2018537026.tif 000069
2018537026.tif 000070
2018537026.tif 000071